(57)【特許請求の範囲】
【請求項１】
3Dプリンティングシステムにより、ターゲットプリントファイルを取得するステップと、
前記3Dプリンティングシステムにより、前記ターゲットプリントファイルが第1の安全基準を満たすかどうかを判定するステップと、
前記ターゲットプリントファイルが前記第1の安全基準を満たす場合、前記3Dプリンティングシステムにより、前記ターゲットプリントファイルをプリントするステップと、
前記3Dプリンティングシステムが、前記ターゲットプリントファイルが前記第1の安全基準を満たしていないと判定した場合、前記3Dプリンティングシステムにより、前記ターゲットプリントファイルに対応する既定のプリンティングライセンスが保存されているかどうかを判定し、保存されている場合には、前記3Dプリンティングシステムにより、前記ターゲットプリントファイルをプリントし、または保存されていない場合には、前記3Dプリンティングシステムにより、第1のライセンス要求情報のプリンティングライセンス付与センターへの送信の動作をトリガするステップと、
前記3Dプリンティングシステムによって、前記ライセンス付与センターにより送信された第1のプリンティングライセンスが受信されたかどうかを判定するステップであって、前記ライセンス付与センターが前記第1のライセンス要求情報が第2の安全基準を満たしていると判定した場合、前記第1のプリンティングライセンスが前記ライセンス付与センターにより送信される、ステップと、
前記3Dプリンティングシステムが前記ライセンス付与センターにより送信された前記第1のプリンティングライセンスを受信した場合、前記3Dプリンティングシステムにより、前記ターゲットプリントファイルをプリントするステップとを含む、3Dプリンティング方法。
【請求項２】
前記3Dプリンティングシステムによる、前記ターゲットプリントファイルが第1の安全基準を満たすかどうかを判定する前記ステップが、
前記3Dプリンティングシステムにより、前記ターゲットプリントファイルに対応するターゲット製品の属性を取得するステップと、
ターゲット製品の前記属性に従う前記3Dプリンティングシステムにより、前記ターゲットプリントファイルに対応する前記ターゲット製品のクラスを取得するステップであって、前記ターゲット製品の前記属性は、ターゲット製品の原材料のカテゴリ情報、前記ターゲット製品の前記原材料の正確な情報、前記ターゲット製品の製造の技術的プロセス情報、前記ターゲット製品の空間形状情報、または前記ターゲット製品の目的情報を含み、前記ターゲット製品の前記クラスは前記ターゲットプリントファイルの分類を示すために使用される、ステップと、
前記製品クラスと前記第1の安全基準との間の対応関係に従う前記3Dプリンティングシステムにより、前記ターゲットプリントファイルが前記第1の安全基準を満たすかどうかを判定するステップとを含む、請求項１に記載の3Dプリンティング方法。
【請求項３】
前記製品クラスが、安全な製品および安全ではない製品を含み、
前記製品クラスと前記第1の安全基準との間の対応関係に従う前記3Dプリンティングシステムによる、前記ターゲットプリントファイルが前記第1の安全基準を満たすかどうかを判定する前記ステップは、前記ターゲット製品の前記クラスが安全な製品の場合、前記3Dプリンティングシステムによる、前記ターゲットプリントファイルが前記第1の安全基準を満たしていると判定するステップ、または前記ターゲット製品の前記クラスが安全ではない製品の場合、前記3Dプリンティングシステムによる、前記ターゲットプリントファイルが前記第1の安全基準を満たしていないと判定するステップを含む、請求項２に記載の3Dプリンティング方法。
【請求項４】
前記方法が、
前記3Dプリンティングシステムにより、前記ライセンス付与センターにより送信された前記既定のプリンティングライセンスを受信するステップをさらに含む、請求項１に記載の3Dプリンティング方法。
【請求項５】
前記方法が、
前記3Dプリンティングシステムにより、前記プリンティングライセンス付与センターからのターゲットサーバアドレスを取得するステップであって、前記ターゲットサーバアドレスがターゲットサーバのアドレスである、ステップと、
前記3Dプリンティングシステムにより、前記ターゲットサーバアドレスにアクセスして前記ターゲットサーバから更新ファイルをダウンロードするステップと、
前記3Dプリンティングシステムにより、前記製品クラスと前記更新ファイルに従う前記第1の安全基準との間の前記対応関係を更新するステップとをさらに含む、請求項２に記載の3Dプリンティング方法。
【請求項６】
ターゲットプリントファイルを取得するように構成された、第1のファイル取得モジュールと、
前記ターゲットプリントファイルが第1の安全基準を満たしているかどうかを判定するように構成された、第1の安全判定モジュールと、
前記第1の安全判定モジュールが、前記ターゲットプリントファイルが前記第1の安全基準を満たしていると判定した場合、前記ターゲットプリントファイルをプリントするように構成された、第1のファイルプリンティングモジュールと、
前記第1の安全判定モジュールが、前記ターゲットプリントファイルが前記第1の安全基準を満たしていないと判定した場合、第1のライセンス要求情報を3Dプリンティングライセンス付与装置に送信するように構成された、第1の要求送信モジュールと、
前記第1の安全判定モジュールが、前記ターゲットプリントファイルが前記第1の安全基準を満たしていないと判定した場合、第1の事前設定ストレージモジュールが前記ターゲットプリントファイルに対応する既定のプリンティングライセンスを保存しているかどうかを判定するように構成された、第1の事前設定判定モジュールであって、
前記第1のファイルプリンティングモジュールは、前記第1の事前設定判定モジュールが、前記第1の事前設定ストレージモジュールが前記ターゲットプリントファイルに対応する前記既定のプリンティングライセンスを保存していると判定した場合、前記ターゲットプリントファイルをプリントするようにさらに構成されており、
前記第1の要求送信モジュールは、前記第1の事前設定判定モジュールが、前記第1の事前設定ストレージモジュールが前記ターゲットプリントファイルに対応する前記既定のプリンティングライセンスを保存していないと判定した場合、前記第1のライセンス要求情報を前記3Dプリンティングライセンス付与装置に送信するようにさらに構成されている、第1の事前設定判定モジュールと、
前記3Dプリンティングライセンス付与装置により送信された第1のプリンティングライセンスが受信されたかどうかを判定するように構成された第1のライセンス判定モジュールであって、前記3Dプリンティングライセンス付与装置が、前記第1のライセンス要求情報が、第2の安全基準を満たしていると判定した場合、前記第1のプリンティングライセンスが前記3Dプリンティングライセンス付与装置により送信され、前記第2の安全基準は、前記3Dプリンティングライセンス付与装置が前記受信された要求情報に対応するプリントファイルが安全かどうかを判定する基準である、第1のライセンス判定モジュールとを備え、
前記第1のファイルプリンティングモジュールは、前記第1のライセンス判定モジュールが前記3Dプリンティングライセンス付与装置によって送信された前記第1のプリンティングライセンスが受信されたと判定した場合、前記ターゲットプリントファイルをプリントするようにさらに構成されている、3Dプリンティング装置。
【請求項７】
前記第1の安全判定モジュールが、
前記ターゲットプリントファイルに対応するターゲット製品の属性を取得するように構成された、第1の属性取得ユニットと、
前記ターゲット製品の前記属性に従い、前記ターゲットプリントファイルに対応する前記ターゲット製品のクラスを取得するように構成された第1のクラス取得ユニットであって、前記ターゲット製品の前記属性は、前記ターゲット製品の原材料のカテゴリ情報、前記ターゲット製品の前記原材料の正確な情報、前記ターゲット製品の製造の技術的プロセス情報、前記ターゲット製品の空間形状情報、または前記ターゲット製品の目的情報を含み、前記ターゲット製品の前記クラスが前記ターゲットプリントファイルの分類を示すために使用される、第1のクラス取得ユニットと、
前記製品クラスと前記第1の安全基準との間の対応関係に従い、前記ターゲットプリントファイルが前記第1の安全基準を満たすかどうかを判定するように構成された、第1の安全判定ユニットとを備える、請求項６に記載の3Dプリンティング装置。
【請求項８】
前記装置が、
前記3Dプリンティングライセンス付与装置によって送信された前記既定のプリンティングライセンスを受信するように構成された、第1の事前設定ストレージモジュールをさらに備える、請求項７に記載の3Dプリンティング装置。
【請求項９】
前記装置が、
前記3Dプリンティングライセンス付与装置からターゲットサーバアドレスを取得するように構成された、第2のアドレス取得モジュールであって、前記ターゲットサーバアドレスはターゲットサーバのアドレスである、第2のアドレス取得モジュールと、
前記ターゲットサーバアドレスにアクセスして前記ターゲットサーバから更新ファイルをダウンロードするように構成された第2のアドレスアクセスモジュールと、
前記製品クラスと前記更新ファイルに従う前記第1の安全基準との間の前記対応関係を更新するように構成された、第2の基準更新モジュールとをさらに備える、請求項７に記載の3Dプリンティング装置。
【発明の詳細な説明】
【技術分野】
【０００１】
本願は2014年4月8日に中国特許庁に出願され、「3Dプリンティングデザイン、プリンティング、およびライセンス付与方法、装置、およびシステム」と題する中国特許出願第201410138390．9号に対する優先権を主張し、その内容全体を参照により本明細書に引用したものとする。
【０００２】
本発明は、3Dプリンティングテクノロジの分野に関し、特に、3Dプリンティングデザイン、プリンティング、およびライセンス付与方法、装置、およびシステムに関するものである。
【背景技術】
【０００３】
紙上への2次元テキストプリンティングや製品がフライス加工などの手段によって製造される従来の方法とは異なり、3Dプリンティングとは品物が3次元多層プリンティングによって製造される一連のテクノロジおよび方法である。特定の実施方法は、コンピュータ3次元デザインモデルが青写真として使用され、金属粉末、セラミック粉末、プラスチック、および細胞組織などの特殊な材料が、ソフトウェア階層離散化およびレーザビーム、ホットメルトノズルなどを使用し、数値制御成形システムによって多層に蓄積および接合され、最終的に形状を形成して物理的製品を製造するように重ね合わされるものである。
【０００４】
従来の製造方法と比べると、3Dプリンティングには多くの利点がある。例えば、技術的プロセスは単純化されており、その空間的形状が比較的複雑な品物を製造することができ、原材料は削減される。したがって、最近、3Dプリンティングテクノロジは急速に進歩しており、例えば、商品、食品、化学工学、自動車、医療材料などの多くの分野で利用されている。3Dプリンティングの手段によって製造された品物は既に、人々の生活の様々な分野に深く浸透している。
【０００５】
銃やナイフなどの一部の品物の場合、大量生産され社会で自由に流通すると、社会の安定性や市民個人の安全が大いに脅かされる。したがって、これらの危険性の高い品物は規制される必要がある。従来の方法では、これらの危険性の高い品物は、注入成形、鋳造、フライス加工、または彫刻の手段で成形または工作機械によってすべて製造され製作されている。したがって、これらの危険性の高い品物は、これらの危険性の高い品物を製作するための成形または工作機械の流通方法を制御することによって規制することができる。しかし、3Dプリンティングテクノロジの場合、製品はコンピュータによるデザインおよびプリンターによるプリンティングのみの手段によって製造することができ、他のツールは必要ない。したがって、3Dプリンティングの手段によって製作される危険性が高い品物を規制することは非常に難しく、社会の安定性や市民個人の安全が影響を受ける。
【発明の概要】
【課題を解決するための手段】
【０００６】
本発明の実施形態では、3Dプリンティングデザイン、プリンティング、およびライセンス付与方法、装置、およびシステムを提供しており、それはターゲット製品に規制を実施して、危険性の高い品物の生産を規制するための難しい問題を解決し、社会の安定性や市民個人の安全を確実にすることができる。
【０００７】
本発明の実施形態の第1の態様では、3Dプリンティングデザイン方法を提供しており、次が含まれる。
3Dプリンティングデザインシステムによる、ターゲットプリントファイルの判定、
3Dプリンティングデザインシステムによる、ターゲットプリントファイルが第1の安全基準を満たすかどうかの判定、および
ターゲットプリントファイルが第1の安全基準を満たす場合、3Dプリンティングデザインシステムによってターゲットプリントファイルが3Dプリンティングシステムに送られ、その結果、3Dプリンティングシステムはターゲットプリントファイルに従ってプリンティングを行う。
【０００８】
本発明の実施形態の第1の態様に関連して、本発明の実施形態の第1の態様の第1の実施方法では、3Dプリンティングデザインシステムによる、ターゲットプリントファイルが第1の安全基準を満たすかどうかの判定には、次が含まれる。
3Dプリンティングデザインシステムによる、ターゲットプリントファイルに対応するターゲット製品の属性の取得、
ターゲット製品の属性に従う3Dプリンティングデザインシステムによる、ターゲットプリントファイルに対応するターゲット製品のクラスの取得、ここで、ターゲット製品の属性には、ターゲット製品の原材料のカテゴリ情報、ターゲット製品の原材料の正確な情報、ターゲット製品の製造の技術的プロセス情報、ターゲット製品の空間形状情報、またはターゲット製品の目的情報が含まれ、ターゲット製品のクラスはターゲットプリントファイルの分類を示すために使用され、ターゲット製品のクラスはターゲットプリントファイルの分類を示すために使用され、および
製品クラスと第1の安全基準との間の対応関係に従う3Dプリンティングデザインシステムによる、ターゲットプリントファイルが第1の安全基準を満たすかどうかの判定。
【０００９】
本発明の実施形態の第1の態様の第1の実施方法に関連して、本発明の実施形態の第1の態様の第2の実施方法では、製品クラスには、安全な製品および安全ではない製品が含まれ、並びに
製品クラスと第1の安全基準との間の対応関係に従う3Dプリンティングデザインシステムによる、ターゲットプリントファイルが第1の安全基準を満たすかどうかの判定には、ターゲット製品のクラスが安全な製品の場合、3Dプリンティングデザインシステムによる、ターゲットプリントファイルが第1の安全基準を満たしていることの判定、またはターゲット製品のクラスが安全ではない製品の場合、3Dプリンティングデザインシステムによる、ターゲットプリントファイルが第1の安全基準を満たしていないことの判定が含まれる。
【００１０】
本発明の実施形態の第1の態様の第1の実施方法または本発明の実施形態の第1の態様の第2の実施方法に関連して、本発明の実施形態の第1の態様の第3の実施方法では、方法にはさらに次が含まれる。
3Dプリンティングデザインシステムがターゲットプリントファイルが第1の安全基準を満たしていないと判定する場合の、3Dプリンティングデザインシステムによる、第1のライセンス要求情報のプリンティングライセンス付与センターへの送信、
3Dプリンティングデザインシステムによる、ライセンス付与センターにより送信された第1のプリンティングライセンスを受信したかどうかの判定、ここで、第1のプリンティングライセンスは、ライセンス付与センターが第1のライセンス要求情報が第2の安全基準を満たしていると判定した場合にライセンス付与センターにより送信され、第2の安全基準はライセンス付与センターが受信した要求情報に対応するプリントファイルが安全かどうかを判定する基準であり、および
プリンティングデザインシステムがライセンス付与センターにより送信された第1のプリンティングライセンスを受信する場合、3Dプリンティングデザインシステムによってターゲットプリントファイルが3Dプリンティングシステムに送られ、その結果、3Dプリンティングシステムはターゲットプリントファイルに従ってプリンティングを行う。
【００１１】
本発明の実施形態の第1の態様の第1の実施方法または本発明の実施形態の第1の態様の第2の実施方法に関連して、本発明の実施形態の第1の態様の第4の実施方法では、方法にはさらに次が含まれる。
3Dプリンティングデザインシステムによる、ライセンス付与センターにより送信された既定のプリンティングライセンスの受信、
3Dプリンティングデザインシステムが、ターゲットプリントファイルが第1の安全基準を満たしていないと判定する場合、3Dプリンティングデザインシステムにより、ターゲットプリントファイルに対応する既定のプリンティングライセンスを保存するかどうかを判定し、保存する場合には、3Dプリンティングデザインシステムによる、ターゲットプリントファイルの3Dプリンティングシステムへの送信、または保存しない場合には、3Dプリンティングデザインシステムによる、第1のライセンス要求情報のプリンティングライセンス付与センターへの送信。
【００１２】
本発明の実施形態の第1の態様の第1の実施方法または本発明の実施形態の第1の態様の第2の実施方法に関連して、本発明の実施形態の第1の態様の第5の実施方法では、方法にはさらに次が含まれる。
3Dプリンティングデザインシステムによる、プリンティングライセンス付与センターからのターゲットサーバアドレスの取得、ここで、ターゲットサーバアドレスはターゲットサーバのアドレスであり、および
3Dプリンティングデザインシステムによる、ターゲットサーバアドレスへのアクセスおよびターゲットサーバからの更新ファイルのダウンロード、並びに
3Dプリンティングデザインシステムによる、更新ファイルに従う製品クラスと第1の安全基準との間の対応関係の更新。
【００１３】
本発明の実施形態の第2の態様では、3Dプリンティング方法を提供しており、次が含まれる。
3Dプリンティングシステムによる、ターゲットプリントファイルの取得、
3Dプリンティングシステムによる、プリンティングライセンス付与センターにより送信された第2のプリンティングライセンスを受信したかどうかの判定、および
プリンティングライセンス付与センターにより送信された第2のプリンティングライセンスを受信した場合の、3Dプリンティングシステムによる、ターゲットプリントファイルのプリンティング。
【００１４】
本発明の実施形態の第3の態様では、3Dプリンティング方法を提供しており、次が含まれる。
3Dプリンティングシステムによる、ターゲットプリントファイルの取得、
3Dプリンティングシステムによる、ターゲットプリントファイルが第3の安全基準を満たすかどうかの判定、および
ターゲットプリントファイルが第3の安全基準を満たす場合の、3Dプリンティングシステムによる、ターゲットプリントファイルのプリンティング。
【００１５】
本発明の実施形態の第3の態様に関連して、本発明の実施形態の第3の態様の第1の実施方法では、3Dプリンティングデザインシステムによる、ターゲットプリントファイルが第3の安全基準を満たすかどうかの判定には、次が含まれる。
3Dプリンティングシステムによる、ターゲットプリントファイルに対応するターゲット製品の属性の取得、
ターゲット製品の属性に従う3Dプリンティングシステムによる、ターゲットプリントファイルに対応するターゲット製品のクラスの取得、ここで、ターゲット製品の属性には、ターゲット製品の原材料のカテゴリ情報、ターゲット製品の原材料の正確な情報、ターゲット製品の製造の技術的プロセス情報、ターゲット製品の空間形状情報、またはターゲット製品の目的情報が含まれ、ターゲット製品のクラスはターゲットプリントファイルの分類を示すために使用され、および
製品クラスと第3の安全基準との間の対応関係に従う3Dプリンティングシステムによる、ターゲットプリントファイルが第3の安全基準を満たすかどうかの判定。
【００１６】
本発明の実施形態の第3の態様の第1の実施方法に関連して、本発明の実施形態の第3の態様の第2の実施方法では、製品クラスには、安全な製品および安全ではない製品が含まれ、並びに
製品クラスと第3の安全基準との間の対応関係に従う3Dプリンティングシステムによる、ターゲットプリントファイルが第3の安全基準を満たすかどうかの判定には、ターゲット製品のクラスが安全な製品の場合、3Dプリンティングシステムによる、ターゲットプリントファイルが第3の安全基準を満たしていることの判定、またはターゲット製品のクラスが安全ではない製品の場合、3Dプリンティングシステムによる、ターゲットプリントファイルが第3の安全基準を満たしていないことの判定が含まれる。
【００１７】
本発明の実施形態の第3の態様の第1の実施方法または本発明の実施形態の第3の態様の第2の実施方法に関連して、本発明の実施形態の第3の態様の第3の実施方法では、方法にはさらに次が含まれる。
3Dプリンティングシステムが、ターゲットプリントファイルが第3の安全基準を満たしていないと判定する場合の、3Dプリンティングシステムによる、第2のライセンス要求情報のプリンティングライセンス付与センターへの送信、
3Dプリンティングシステムによる、ライセンス付与センターにより送信された第3のプリンティングライセンスを受信したかどうかの判定、ここで、第3のプリンティングライセンスはライセンス付与センターが第2のライセンス要求情報が第2の安全基準を満たしていると判定する場合にライセンス付与センターにより送信され、および
3Dプリンティングシステムがライセンス付与センターにより送信された第3のプリンティングライセンスを受信した場合の、3Dプリンティングシステムによる、ターゲットプリントファイルのプリンティング。
【００１８】
本発明の実施形態の第3の態様の第3の実施方法に関連して、本発明の実施形態の第3の態様の第4の実施方法では、方法にはさらに次が含まれる。
3Dプリンティングシステムによる、ライセンス付与センターにより送信された既定のプリンティングライセンスの受信、および
3Dプリンティングシステムによる、第2のライセンス要求情報のプリンティングライセンス付与センターへの送信の前に、方法はさらに、3Dプリンティングシステムが、ターゲットプリントファイルが第3の安全基準を満たしていないと判定する場合、3Dプリンティングシステムにより、ターゲットプリントファイルに対応する既定のプリンティングライセンスを保存するかどうかを判定し、保存する場合には、3Dプリンティングシステムによる、ターゲットプリントファイルのプリンティング、または保存しない場合には、3Dプリンティングシステムによる、第2のライセンス要求情報のプリンティングライセンス付与センターへの送信の動作のトリガを含む。
【００１９】
本発明の実施形態の第3の態様の第1の実施方法に関連して、本発明の実施形態の第3の態様の第5の実施方法では、方法にはさらに次が含まれる。
3Dプリンティングシステムによる、プリンティングライセンス付与センターからのターゲットサーバアドレスの取得、ここで、ターゲットサーバアドレスはターゲットサーバのアドレスであり、
3Dプリンティングシステムによる、ターゲットサーバアドレスへのアクセスおよびターゲットサーバからの更新ファイルのダウンロード、並びに
3Dプリンティングシステムによる、製品クラスと更新ファイルに従う第3の安全基準との間の対応関係の更新。
【００２０】
本発明の実施形態の第4の態様では、3Dプリンティングライセンス付与方法を提供しており、次が含まれる。
3Dプリンティングデザインシステムにより送信された第1のライセンス要求情報の、プリンティングライセンス付与センターによる受信、
プリンティングライセンス付与センターによる、第1のライセンス要求情報が第2の安全基準を満たしているかどうかの判定、ここで、第2の安全基準はライセンス付与センターが受信した要求情報に対応するプリントファイルが安全かどうかを判定する基準であり、および
第1のライセンス要求情報が第2の安全基準を満たす場合の、プリンティングライセンス付与センターによる、第1のプリンティングライセンスの3Dプリンティングデザインシステムへの送信、ここで、第1のプリンティングライセンスは3Dプリンティングデザインシステムが第1のライセンス要求情報に対応するターゲットプリントファイルを3Dプリンティングシステムに送信できるように使用される。
【００２１】
本発明の実施形態の第4の態様に関連して、本発明の実施形態の第4の態様の第1の実施方法では、プリンティングライセンス付与センターによる、第1のライセンス要求情報が第2の安全基準を満たすかどうかの判定には、次が含まれる。
第1のライセンス要求情報に対応するターゲット製品の属性、ターゲット製品のクラス、または第1のライセンス要求情報を送信する3Dプリンティングデザインシステムの安全レベルに従うプリンティングライセンス付与センターによる、第1のライセンス要求情報が第2の安全基準を満たしているかどうかの判定、ここで、安全レベルは3Dプリンティングデザインシステムの安全性を示すために使用される。
【００２２】
本発明の実施形態の第4の態様または本発明の実施形態の第4の態様の第1の実施方法に関連して、本発明の実施形態の第4の態様の第2の実施方法では、プリンティングライセンス付与センターによる、第1のライセンス要求情報が第2の安全基準を満たすかどうかの判定の前に、方法にはさらに次が含まれる。
プリンティングライセンス付与センターによる、第1のライセンス要求情報に従うライセンス要求クラスの取得、
ライセンス要求クラスに対応するライセンス要求情報に対するプリンティングライセンス付与センターによる処理の回数の数量の、プリンティングライセンス付与センターによる取得、
プリンティングライセンス付与センターによる、ライセンス要求クラスに対応するライセンス要求情報に対する処理の回数の数量が回数の事前設定数量に達したかどうかの判定、および
プリンティングライセンス付与センターがライセンス要求クラスに対応するライセンス要求情報に対する処理の回数の数量が回数の事前設定数量に達したと判定した場合の、プリンティングライセンス付与センターによる、第1のプリンティングライセンスの3Dプリンティングデザインシステムへの送信のスキップ、または
プリンティングライセンス付与センターがライセンス要求クラスに対応するライセンス要求情報に対する処理の回数の数量が回数の事前設定数量に達していないと判定した場合の、プリンティングライセンス付与センターによる、第1のライセンス要求情報が第2の安全基準を満たしているかどうかの判定の動作の、プリンティングライセンス付与センターによるトリガ。
【００２３】
本発明の実施形態の第5の態様では、3Dプリンティングライセンス付与方法を提供しており、次が含まれる。
3Dプリンティングデザインシステムにより送信された第1のライセンス要求情報の、プリンティングライセンス付与センターによる受信、
プリンティングライセンス付与センターによる、第1のライセンス要求情報が第2の安全基準を満たしているかどうかの判定、ここで、第2の安全基準はライセンス付与センターが受信した要求情報に対応するプリントファイルが安全かどうかを判定する基準であり、および
第1のライセンス要求情報が第2の安全基準を満たす場合の、プリンティングライセンス付与センターによる、第2のプリンティングライセンスの3Dプリンティングシステムへの送信、ここで、第2のプリンティングライセンスは3Dプリンティングシステムが第1のライセンス要求情報に対応するターゲットプリントファイルをプリントできるように使用される。
【００２４】
本発明の実施形態の第5の態様に関連して、本発明の実施形態の第5の態様の第1の実施方法では、プリンティングライセンス付与センターによる、第1のライセンス要求情報が第2の安全基準を満たすかどうかの判定には、次が含まれる。
第1のライセンス要求情報に対応するターゲット製品の属性、ターゲット製品のクラス、または第1のライセンス要求情報を送信する3Dプリンティングデザインシステムの安全レベルに従うプリンティングライセンス付与センターによる、第1のライセンス要求情報が第2の安全基準を満たしているかどうかの判定、ここで、安全レベルは3Dプリンティングデザインシステムの安全性を示すために使用される。
【００２５】
本発明の実施形態の第6の態様では、3Dプリンティングライセンス付与方法を提供しており、次が含まれる。
3Dプリンティングシステムにより送信された第2のライセンス要求情報の、プリンティングライセンス付与センターによる受信、
プリンティングライセンス付与センターによる、第2のライセンス要求情報が第2の安全基準を満たしているかどうかの判定、ここで、第2の安全基準はライセンス付与センターが受信した要求情報に対応するプリントファイルが安全かどうかを判定する基準であり、および
第2のライセンス要求情報が第2の安全基準を満たす場合の、プリンティングライセンス付与センターによる、第3のプリンティングライセンスの3Dプリンティングデザインシステムへの送信、ここで、第2のプリンティングライセンスは3Dプリンティングシステムが第2のライセンス要求情報に対応するターゲットプリントファイルをプリントできるように使用される。
【００２６】
本発明の実施形態の第6の態様に関連して、本発明の実施形態の第6の態様の第1の実施方法では、プリンティングライセンス付与センターによる、第2のライセンス要求情報が第2の安全基準を満たすかどうかの判定には、次が含まれる。
第2のライセンス要求情報に対応するターゲット製品の属性、ターゲット製品のクラス、または第2のライセンス要求情報を送信する3Dプリンティングシステムの安全レベルに従うプリンティングライセンス付与センターによる、第1のライセンス要求情報が第2の安全基準を満たしているかどうかの判定、ここで、安全レベルは3Dプリンティングシステムの安全性を示すために使用される。
【００２７】
本発明の実施形態の第7の態様では、3Dプリンティングデザイン装置を提供しており、次が含まれる。
ターゲットプリントファイルを判定するように構成された、ファイル判定モジュール、
ターゲットプリントファイルが第1の安全基準を満たしているかどうかを判定するように構成された、第1の安全判定モジュール、および
第1の安全判定モジュールが、ターゲットプリントファイルが第1の安全基準を満たしていると判定する場合、ターゲットプリントファイルを3Dプリンティング装置に送信するように構成され、その結果、3Dプリンティング装置がターゲットプリントファイルに従ってプリンティングを行う、ファイル送信モジュール。
【００２８】
本発明の実施形態の第7の態様に関連して、本発明の実施形態の第7の態様の第1の実施方法では、第1の安全判定モジュールには次が含まれる。
ターゲットプリントファイルに対応するターゲット製品の属性を取得するように構成された、第1の属性取得ユニット、
ターゲット製品の属性に従い、ターゲットプリントファイルに対応するターゲット製品のクラスを取得するように構成された第1のクラス取得ユニット、ここで、ターゲット製品の属性には、ターゲット製品の原材料のカテゴリ情報、ターゲット製品の原材料の正確な情報、ターゲット製品の製造の技術的プロセス情報、ターゲット製品の空間形状情報、またはターゲット製品の目的情報が含まれ、ターゲット製品のクラスはターゲットプリントファイルの分類を示すために使用され、および
製品クラスと第1の安全基準との間の対応関係に従い、ターゲットプリントファイルが第1の安全基準を満たすかどうかを判定するように構成された、第1の安全判定ユニット。
【００２９】
本発明の実施形態の第7の態様の第1の実施方法に関連して、本発明の実施形態の第7の態様の第2の実施方法では、装置にはさらに次が含まれる。
第1の安全判定ユニットが、ターゲットプリントファイルが第1の安全基準を満たしていないと判定する場合、第1のライセンス要求情報を3Dプリンティングライセンス付与装置に送信するように構成された、第1の要求送信モジュール、
3Dプリンティングライセンス付与装置により送信された第1のプリンティングライセンスを受信したかどうかを判定するように構成された第1のライセンス判定モジュール、ここで、第1のプリンティングライセンスは、3Dプリンティングライセンス付与装置が第1のライセンス要求情報が第2の安全基準を満たしていると判定した場合に3Dプリンティングライセンス付与装置により送信され、第2の安全基準は3Dプリンティングライセンス付与装置が受信した要求情報に対応するプリントファイルが安全かどうかを判定する基準であり、および
ファイル送信モジュールは、第1のライセンス判定モジュールが3Dプリンティングライセンス付与装置によって送信された第1のプリンティングライセンスを受信したと判定する場合に、ターゲットプリントファイルを3Dプリンティング装置に送信するようにさらに構成され、その結果、3Dプリンティング装置はターゲットプリントファイルに従ってプリンティングを行う。
【００３０】
本発明の実施形態の第7の態様の第2の実施方法に関連して、本発明の実施形態の第7の態様の第3の実施方法では、装置にはさらに次が含まれる。
3Dプリンティングライセンス付与装置によって送信された既定のプリンティングライセンスを受信するように構成された、第1の事前設定ストレージモジュール、および
第1の安全判定ユニットが、ターゲットプリントファイルが第1の安全基準を満たしていないと判定する場合、第1の事前設定ストレージモジュールがターゲットプリントファイルに対応する既定のプリンティングライセンスを保存しているかどうかを判定するように構成された、第1の事前設定判定モジュール、
ファイル送信モジュールは、第1の事前設定判定モジュールが第1の事前設定ストレージモジュールがターゲットプリントファイルに対応する既定のプリンティングライセンスを保存していると判定する場合に、ターゲットプリントファイルを3Dプリンティング装置に送信するようにさらに構成されており、および
第1の要求送信モジュールは、第1の事前設定判定モジュールが第1の事前設定ストレージモジュールがターゲットプリントファイルに対応する既定のプリンティングライセンスを保存していないと判定する場合に、第1のライセンス要求情報を3Dプリンティングライセンス付与装置に送信するようにさらに構成されている。
【００３１】
本発明の実施形態の第7の態様の第2の実施方法または本発明の実施形態の第7の態様の第3の実施方法に関連して、本発明の実施形態の第7の態様の第4の実施方法では、装置にはさらに次が含まれる。
3Dプリンティングライセンス付与装置からターゲットサーバアドレスを取得するように構成された、第1のアドレス取得モジュール、ここで、ターゲットサーバアドレスはターゲットサーバのアドレスであり、
ターゲットサーバアドレスにアクセスしてターゲットサーバから更新ファイルをダウンロードするように構成された第1のアドレスアクセスモジュール、および
製品クラスと更新ファイルに従う第1の安全基準との間の対応関係を更新するように構成された、第1の基準更新モジュール。
【００３２】
本発明の実施形態の第8の態様では、3Dプリンティング装置を提供しており、次が含まれる。
ターゲットプリントファイルを取得するように構成された、第1のファイル取得モジュール、
3Dプリンティングライセンス付与装置によって送信された第2のプリンティングライセンスを受信したかどうかを判定するように構成された、第2のライセンス判定モジュール、および
第2のライセンス判定モジュールが3Dプリンティングライセンス付与装置によって送信された第2のプリンティングライセンスを受信したと判定する場合に、ターゲットプリントファイルをプリントするように構成された、第1のファイルプリンティングモジュール。
【００３３】
本発明の実施形態の第9の態様では、3Dプリンティング装置を提供しており、次が含まれる。
ターゲットプリントファイルを取得するように構成された、第2のファイル取得モジュール、
ターゲットプリントファイルが第3の安全基準を満たしているかどうかを判定するために構成された、第2の安全判定モジュール、および
第2の安全判定モジュールが、ターゲットプリントファイルが第3の安全基準を満たしていると判定する場合に、ターゲットプリントファイルをプリントするように構成された、第2のファイルプリンティングモジュール。
【００３４】
本発明の実施形態の第9の態様に関連して、本発明の実施形態の第9の態様の第1の実施方法では、第2の安全判定モジュールには次が含まれる。
ターゲットプリントファイルに対応するターゲット製品の属性を取得するように構成された、第2の属性取得ユニット、
ターゲット製品の属性に従い、ターゲットプリントファイルに対応するターゲット製品のクラスを取得するように構成された第2のクラス取得ユニット、ここで、ターゲット製品の属性には、ターゲット製品の原材料のカテゴリ情報、ターゲット製品の原材料の正確な情報、ターゲット製品の製造の技術的プロセス情報、ターゲット製品の空間形状情報、またはターゲット製品の目的情報が含まれ、ターゲット製品のクラスはターゲットプリントファイルの分類を示すために使用され、および
製品クラスと第3の安全基準との間の対応関係に従い、ターゲットプリントファイルが第3の安全基準を満たすかどうかを判定するように構成された、第2の安全判定ユニット。
【００３５】
本発明の実施形態の第9の態様の第1の実施方法に関連して、本発明の実施形態の第9の態様の第2の実施方法では、装置にはさらに次が含まれる。
第2の安全判定ユニットが、ターゲットプリントファイルが第3の安全基準を満たしていないと判定する場合、第2のライセンス要求情報を3Dプリンティングライセンス付与装置に送信するように構成された、第2の要求送信モジュール、
3Dプリンティングライセンス付与装置により送信された第3のプリンティングライセンスを受信したかどうかを判定するように構成された第2のライセンス判定モジュール、ここで、第3のプリンティングライセンスは、3Dプリンティングライセンス付与装置が第2のライセンス要求情報が第2の安全基準を満たしていると判定した場合に3Dプリンティングライセンス付与装置により送信され、第2の安全基準は3Dプリンティングライセンス付与装置が受信した要求情報に対応するプリントファイルが安全かどうかを判定する基準であり、および
第2のファイルプリンティングモジュールは、第2のライセンス判定モジュールが3Dプリンティングライセンス付与装置によって送信された第3のプリンティングライセンスを受信したと判定する場合に、ターゲットプリントファイルをプリントするようにさらに構成されている。
【００３６】
本発明の実施形態の第9の態様の第2の実施方法に関連して、本発明の実施形態の第9の態様の第3の実施方法では、装置にはさらに次が含まれる。
3Dプリンティングライセンス付与装置によって送信された既定のプリンティングライセンスを受信するように構成された、第2の事前設定ストレージモジュール、および
第2の安全判定ユニットが、ターゲットプリントファイルが第3の安全基準を満たしていないと判定する場合、第2の事前設定ストレージモジュールがターゲットプリントファイルに対応する既定のプリンティングライセンスを保存しているかどうかを判定するように構成された、第2の事前設定判定モジュール、
第2のファイルプリンティングモジュールは、第2の事前設定判定モジュールが第2の事前設定ストレージモジュールがターゲットプリントファイルに対応する既定のプリンティングライセンスを保存していると判定する場合に、ターゲットプリントファイルをプリントするようにさらに構成されており、および
第2の要求送信モジュールは、第2の事前設定判定モジュールが第2の事前設定ストレージモジュールがターゲットプリントファイルに対応する既定のプリンティングライセンスを保存していないと判定する場合に、第2のライセンス要求情報を3Dプリンティングライセンス付与装置に送信するようにさらに構成されている。
【００３７】
本発明の実施形態の第9の態様の第1の実施方法に関連して、本発明の実施形態の第9の態様の第4の実施方法では、装置にはさらに次が含まれる。
3Dプリンティングライセンス付与装置からターゲットサーバアドレスを取得するように構成された、第2のアドレス取得モジュール、ここで、ターゲットサーバアドレスはターゲットサーバのアドレスであり、
ターゲットサーバアドレスにアクセスしてターゲットサーバから更新ファイルをダウンロードするように構成された第2のアドレスアクセスモジュール、および
製品クラスと更新ファイルに従う第3の安全基準との間の対応関係を更新するように構成された、第2の基準更新モジュール。
【００３８】
本発明の実施形態の第10の態様では、3Dプリンティングデザイン装置を提供しており、次が含まれる。
3Dプリンティングデザイン装置によって送信された第1のライセンス要求情報を受信するように構成された、第1の要求受信モジュール、
第1のライセンス要求情報が第2の安全基準を満たしているかどうかを判定するように構成された、第1の基準判定モジュール、ここで、第2の安全基準は3Dプリンティングライセンス付与装置が受信した要求情報に対応するプリントファイルが安全かどうかを判定する基準であり、および
第1の基準判定モジュールが第1のライセンス要求情報が第2の安全基準を満たすと判定する場合に、第1のプリンティングライセンスを3Dプリンティングデザイン装置に送信するように構成された第1のライセンス送信モジュール、ここで、第1のプリンティングライセンスは3Dプリンティングデザイン装置が第1のライセンス要求情報に対応するターゲットプリントファイルを3Dプリンティング装置に送信できるように使用される。
【００３９】
本発明の実施形態の第10の態様に関連して、本発明の実施形態の第10の態様の第1の実施方法では、第1の基準判定モジュールは、第1のライセンス要求情報に対応するターゲット製品の属性、ターゲット製品のクラス、または第1のライセンス要求情報を送信する3Dプリンティングデザイン装置の安全レベルに従い、第1のライセンス要求情報が第2の安全基準を満たしているかどうかを判定するように特に構成されており、ここで、安全レベルは3Dプリンティングデザイン装置の安全性を示すために使用される。
【００４０】
本発明の実施形態の第10の態様または本発明の実施形態の第10の態様の第1の実施方法に関連して、本発明の実施形態の第10の態様の第2の実施方法では、装置にはさらに次が含まれる。
第1のライセンス要求情報に従うライセンス要求クラスを取得するように構成された、クラス取得モジュール、
ライセンス要求クラスに対応するライセンス要求情報に対する3Dプリンティングライセンス付与装置による処理の回数の数量を取得するように構成された、回数の数量を取得するためのモジュール、および
ライセンス要求クラスに対応するライセンス要求情報に対する処理の回数の数量が回数の事前設定数量に達したかどうかを判定するように構成された、回数の数量を判定するためのモジュール、および
第1の基準判定モジュールは、回数の数量を判定するためのモジュールがライセンス要求クラスに対応するライセンス要求情報に対する処理の回数の数量が回数の事前設定数量に達していないと判定する場合に、第1のライセンス要求情報が第2の安全基準を満たしているかどうかを判定するように特に構成されている。
【００４１】
本発明の実施形態の第11の態様では、3Dプリンティングデザイン装置を提供しており、次が含まれる。
3Dプリンティングデザイン装置によって送信された第1のライセンス要求情報を受信するように構成された、第2の要求受信モジュール、
第1のライセンス要求情報が第2の安全基準を満たしているかどうかを判定するように構成された、第2の基準判定モジュール、ここで、第2の安全基準は3Dプリンティングライセンス付与装置が受信した要求情報に対応するプリントファイルが安全かどうかを判定する基準であり、および
第2の基準判定モジュールが第1のライセンス要求情報が第2の安全基準を満たすと判定する場合に、第2のプリンティングライセンスを3Dプリンティング装置に送信するように構成された第2のライセンス送信モジュール、ここで、第2のプリンティングライセンスは3Dプリンティング装置が第1のライセンス要求情報に対応するターゲットプリントファイルをプリントできるように使用される。
【００４２】
本発明の実施形態の第11の態様に関連して、本発明の実施形態の第11の態様の第1の実施方法では、第2の基準判定モジュールは、第1のライセンス要求情報に対応するターゲット製品の属性、ターゲット製品のクラス、または第1のライセンス要求情報を送信する3Dプリンティングデザイン装置の安全レベルに従い、第1のライセンス要求情報が第2の安全基準を満たしているかどうかを判定するように特に構成されており、ここで、安全レベルは3Dプリンティングデザイン装置の安全性を示すために使用される。
【００４３】
本発明の実施形態の第12の態様では、3Dプリンティングデザイン装置を提供しており、次が含まれる。
3Dプリンティング装置によって送信された第2のライセンス要求情報を受信するように構成された、第3の要求受信モジュール、
第2のライセンス要求情報が第2の安全基準を満たしているかどうかを判定するように構成された、第3の基準判定モジュール、ここで、第2の安全基準は3Dプリンティングライセンス付与装置が受信した要求情報に対応するプリントファイルが安全かどうかを判定する基準であり、および
第3の基準判定モジュールが第2のライセンス要求情報が第2の安全基準を満たすと判定する場合に、第3のプリンティングライセンスを3Dプリンティング装置に送信するように構成された第3のライセンス送信モジュール、ここで、第2のプリンティングライセンスは3Dプリンティング装置が第2のライセンス要求情報に対応するターゲットプリントファイルをプリントできるように使用される。
【００４４】
本発明の実施形態の第12の態様に関連して、本発明の実施形態の第12の態様の第1の実施方法では、第3の基準判定モジュールは、第2のライセンス要求情報に対応するターゲット製品の属性、ターゲット製品のクラス、または第2のライセンス要求情報を送信する3Dプリンティング装置の安全レベルに従い、第2のライセンス要求情報が第2の安全基準を満たしているかどうかを判定するように特に構成されており、ここで、安全レベルは3Dプリンティング装置の安全性を示すために使用される。
【００４５】
本発明の実施形態の第13の態様では、3Dプリンティングシステムを提供しており、次が含まれる。
本発明の実施形態の第7の態様および第7の態様の第1の実施方法のいずれかに従う3Dプリンティング装置および3Dプリンティングデザイン装置。
【００４６】
本発明の実施形態の第14の態様では、3Dプリンティングシステムを提供しており、次が含まれる。
本発明の実施形態の第7の態様の第2の実施方法から第4の実施方法のいずれか一項に従う、3Dプリンティング装置、3Dプリンティングデザイン装置、および本発明の実施形態の第10の態様から第10の態様の第2の実施方法のいずれか一項に従う3Dライセンス付与装置。
【００４７】
本発明の実施形態の第15の態様では、3Dプリンティングシステムを提供しており、次が含まれる。
本発明の実施形態の第7の態様の第2の実施方法から第4の実施方法のいずれか一項に従う、3Dプリンティングデザイン装置、本発明の実施形態の第11の態様または第11の態様の第1の実施方法に従う3Dライセンス付与装置、本発明の実施形態の第8の態様に従う3Dプリンティング装置。
【００４８】
本発明の実施形態の第16の態様では、3Dプリンティングシステムを提供しており、次が含まれる。
本発明の実施形態の第9の態様および第9の態様の第1の実施方法のいずれかに従う3Dプリンティングデザイン装置および3Dプリンティング装置。
【００４９】
本発明の実施形態の第17の態様では、3Dプリンティングシステムを提供しており、次が含まれる。
本発明の実施形態の第12の態様または第12の態様の第1の実施方法に従う3Dプリンティングデザイン装置、3Dプリンティングライセンス付与装置、および本発明の実施形態の第9の態様の第2の実施方法から第4の実施方法のいずれか一項に従う3Dプリンティング装置。
【００５０】
本発明の実施形態では、ターゲットプリントファイルのデザイン完了後、3Dプリンティングシステムがターゲットプリントファイルを直接プリントするのではなく、ターゲットプリントファイルが第1の安全基準を満たしているかどうかを判定し、満たしている場合には、ターゲットプリントファイルをプリントすることが上述のテクニカルソリューションから認識することができる。本方法に従い、ターゲットプリントファイルの安全性に関する3Dプリンティングシステムによる判定が実施され、それはさらに、ターゲット製品に規制を実施して、危険性の高い品物の生産を規制するための難しい問題を解決し、社会の安定性や市民個人の安全を確実にする。
【図面の簡単な説明】
【００５１】
【図１】本発明の実施形態による3Dプリンティングデザイン方法の実施形態の流れ図である。
【図２】本発明の実施形態による3Dプリンティングデザイン方法の別の実施形態の流れ図である。
【図３】本発明の実施形態による3Dプリンティングデザイン方法の別の実施形態の流れ図である。
【図４】本発明の実施形態による3Dプリンティングデザイン方法の別の実施形態の流れ図である。
【図５】本発明の実施形態による3Dプリンティングデザイン方法の別の実施形態の流れ図である。
【図６】本発明の実施形態による3Dプリンティング方法の実施形態の流れ図である。
【図７】本発明の実施形態による3Dプリンティング方法の別の実施形態の流れ図である。
【図８】本発明の実施形態による3Dプリンティング方法の別の実施形態の流れ図である。
【図９】本発明の実施形態による3Dプリンティング方法の別の実施形態の流れ図である。
【図１０】本発明の実施形態による3Dプリンティング方法の別の実施形態の流れ図である。
【図１１】本発明の実施形態による3Dプリンティング方法の別の実施形態の流れ図である。
【図１２】本発明の実施形態による3Dプリンティングライセンス付与方法の実施形態の流れ図である。
【図１３】本発明の実施形態による3Dプリンティングライセンス付与方法の別の実施形態の流れ図である。
【図１４】本発明の実施形態による3Dプリンティングライセンス付与方法の別の実施形態の流れ図である。
【図１５】本発明の実施形態による3Dプリンティングライセンス付与方法の別の実施形態の流れ図である。
【図１６】本発明の実施形態による3Dプリンティングデザイン装置の実施形態の構造図である。
【図１７】本発明の実施形態による3Dプリンティングデザイン装置の別の実施形態の構造図である。
【図１８】本発明の実施形態による3Dプリンティングデザイン装置の別の実施形態の構造図である。
【図１９】本発明の実施形態による3Dプリンティングデザイン装置の別の実施形態の構造図である。
【図２０】本発明の実施形態による3Dプリンティングデザイン装置の別の実施形態の構造図である。
【図２１】本発明の実施形態による3Dプリンティングデザイン装置、または3Dプリンティング装置、または3Dプリンティングライセンス付与装置の実施形態の構造図である。
【図２２】本発明の実施形態による3Dプリンティングデザイン装置の別の実施形態の構造図である。
【図２３】本発明の実施形態による3Dプリンティング装置の実施形態の構造図である。
【図２４】本発明の実施形態による3Dプリンティング装置の別の実施形態の構造図である。
【図２５】本発明の実施形態による3Dプリンティング装置の別の実施形態の構造図である。
【図２６】本発明の実施形態による3Dプリンティング装置の別の実施形態の構造図である。
【図２７】本発明の実施形態による3Dプリンティング装置の別の実施形態の構造図である。
【図２８】本発明の実施形態による3Dプリンティング装置の別の実施形態の構造図である。
【図２９】本発明の実施形態による3Dプリンティング装置の別の実施形態の構造図である。
【図３０】本発明の実施形態による3Dプリンティング装置の別の実施形態の構造図である。
【図３１】本発明の実施形態による3Dプリンティングライセンス付与装置の実施形態の構造図である。
【図３２】本発明の実施形態による3Dプリンティングライセンス付与装置の別の実施形態の構造図である。
【図３３】本発明の実施形態による3Dプリンティングライセンス付与装置の別の実施形態の構造図である。
【図３４】本発明の実施形態による3Dプリンティングライセンス付与装置の別の実施形態の構造図である。
【図３５】本発明の実施形態による3Dプリンティングライセンス付与装置の別の実施形態の構造図である。
【図３６】本発明の実施形態による3Dプリンティングライセンス付与装置の別の実施形態の構造図である。
【図３７】本発明の実施形態による3Dプリンティングライセンス付与装置の別の実施形態の構造図である。
【図３８】本発明の実施形態による3Dプリンティングシステムの実施形態の構造図である。
【図３９】本発明の実施形態による3Dプリンティングシステムの別の実施形態の構造図である。
【図４０】本発明の実施形態による3Dプリンティングシステムの別の実施形態の構造図である。
【図４１】本発明の実施形態による3Dプリンティングシステムの別の実施形態の構造図である。
【図４２】本発明の実施形態による3Dプリンティングシステムの別の実施形態の構造図である。
【発明を実施するための形態】
【００５２】
本発明の実施形態では、ターゲット製品に規制を実施するための、3Dプリンティングデザイン方法を提供している。本発明の実施形態は、3Dプリンティング方法、3Dプリンティングライセンス付与方法、並びに関連装置およびシステムも提供している。以下で別々に説明が提供される。
【００５３】
図1を参照すると、本発明の実施形態で提供される3Dプリンティングデザイン方法には主に、次が含まれる。
【００５４】
101：3Dプリンティングデザインシステムはターゲットプリントファイルを判定する。
【００５５】
生産が3Dプリンティングテクノロジを使用して行われる場合、ユーザは最初に3Dプリンティングデザインシステムを使用してターゲットプリントファイルをデザインする必要がある。ターゲットプリントファイルをデザインする方法は多くある。例えば、デザインはコンピュータモデリングの手段によって行われる。本発明のこの実施形態では、それに制限を設けていない。3Dプリンティングデザインシステムはターゲットプリントファイルを判定する。
【００５６】
ターゲットプリントファイルは製造されたターゲットの特性を記録するデータの形で、ターゲットプリントファイルのフォーマットは本発明のこの実施形態では限定されていない。
【００５７】
102：3Dプリンティングデザインシステムはターゲットプリントファイルが第1の安全基準を満たすかどうかを判定する。
【００５８】
ターゲットプリントファイルの判定後、3Dプリンティングデザインシステムはターゲットプリントファイルが第1の安全基準を満たすかどうかを判定する。ターゲットプリントファイルが第1の安全基準を満たすかどうかを判定するための3Dプリンティングデザインシステムの方法は多くあり、それは、後続の実施形態で詳細に説明され、この実施形態では、それに制限を設けていない。
【００５９】
103：ターゲットプリントファイルが第1の安全基準を満たす場合、3Dプリンティングデザインシステムはターゲットプリントファイルを3Dプリンティングシステムに送信する。
【００６０】
現在の段階での3Dプリンティングテクノロジでは、ターゲットプリントファイルのデザインの完了後、3Dプリンティングデザインシステムはデザインされたターゲットプリントファイルをプリンティングのために3Dプリンティングシステムに送信する必要がある。したがって、この実施形態では、3Dプリンティングデザインシステムが、ターゲットプリントファイルが第1の安全基準を満たすと判定する場合、3Dプリンティングデザインシステムはターゲットプリントファイルを3Dプリンティングシステムに送り、その結果、3Dプリンティングシステムはターゲットプリントファイルに従ってプリンティングを行う。
【００６１】
3Dプリンティングデザインシステムはターゲットプリントファイルをインターネットを介して3Dプリンティングシステムに送信したり、またはターゲットプリントファイルを3Dプリンティングデザインシステムと3Dプリンティングシステムとの間の専用データチャネルを使用して3Dプリンティングシステムに送信したり、またはターゲットプリントファイルを、磁気ディスクを使用したデータのコピーによって3Dプリンティングシステムに送信したり、またはターゲットプリントファイルを別の方法を使用して3Dプリンティングシステムに送信することができ、本発明のこの実施形態ではそれが限定されていない。
【００６２】
3Dプリンティングデザインシステムが、ターゲットプリントファイルが第1の安全基準を満たしていないと判定した場合、3Dプリンティングデザインシステムはターゲットプリントファイルを3Dプリンティングシステムに送信しないか、またはターゲットプリントファイルを処理してから、ターゲットプリントファイルを3Dプリンティングシステムに送信するか、または別の方法が使用される場合があり、それは、後続の実施形態で明確かつ詳細に説明され、この実施形態では、それに制限を設けていない。
【００６３】
この実施形態では、ターゲットプリントファイルのデザイン完了後、3Dプリンティングデザインシステムが、ターゲットプリントファイルが第1の安全基準を満たすかどうかを判定し、ターゲットプリントファイルが第1の安全基準を満たす場合、ターゲットプリントファイルを3Dプリンティングシステムに送信し、その結果、3Dプリンティングシステムはターゲットプリントファイルに従ってプリンティングを行う。ターゲットプリントファイルが第1の安全基準を満たすかどうかを判定することによって、ターゲットプリントファイルの安全性に関する3Dプリンティングデザインシステムによる判定が実施され、それはさらにターゲット製品に規制を実施して、危険性の高い品物の生産を規制するための難しい問題を解決し、社会の安定性や市民個人の安全を確実にする。
【００６４】
図1で示される実施形態では、本発明の実施形態で提供される3Dプリンティングデザインシステムの基本的プロセスが提供され、ここで、ターゲットプリントファイルの判定後、3Dプリンティングデザインシステムはファイルが第1の安全基準を満たすかどうかを判定し、判定結果に従って、ターゲットプリントファイルを3Dプリンティングシステムに送信するかどうかを判定する。次の実施形態では、3Dプリンティングデザインシステムが、ファイルが第1の安全基準を満たすかどうかを判定する方法が図1で示される実施形態に基づいてさらに説明される。図2を参照すると、本発明で提供された3Dプリンティングデザイン方法の別の実施形態の基本的プロセスには、次が含まれる。
【００６５】
201：3Dプリンティングデザインシステムはターゲットプリントファイルを判定する。
【００６６】
ステップ201はステップ101と基本的に同じで、詳細は本明細書では再説明されない。
【００６７】
202：3Dプリンティングデザインシステムはターゲットプリントファイルに対応するターゲット製品の属性を取得する。
【００６８】
3Dプリンティングデザインシステムによってデザインされた各ターゲットプリントファイルはターゲット製品に対応する。例えば、3Dプリンティングデザインシステムが自動車についてのターゲットプリントファイルをデザインする場合、ターゲットプリントファイルに対応するターゲット製品は自動車である。加えて、ターゲット製品には属性があり、ここで、属性は、ターゲット製品の原材料のカテゴリ情報、ターゲット製品の原材料の正確な情報、ターゲット製品の製造の技術的プロセス情報、ターゲット製品の空間形状情報、またはターゲット製品の目的情報の場合があり、あるいは別の態様の属性の場合もあり、本明細書では限定されていない。
【００６９】
この実施形態では、3Dプリンティングデザインシステムはターゲットプリントファイルに対応するターゲット製品の属性を取得する。
【００７０】
203：3Dプリンティングデザインシステムは、ターゲット製品の属性に従って、ターゲットプリントファイルに対応するターゲット製品のクラスを取得する。
【００７１】
ターゲットプリントファイルに対応するターゲット製品の属性の取得後、3Dプリンティングデザインシステムは、ターゲット製品の属性に従って、ターゲットプリントファイルに対応するターゲット製品のクラスを取得することができ、ここで、ターゲット製品のクラスはターゲットプリントファイルの分類を示すために使用される。
【００７２】
ターゲット製品の属性に従って、ターゲットプリントファイルに対応するターゲット製品のクラスを取得する基準は多くある。例えば、ターゲット製品のクラスはターゲット製品、ターゲット製品の原材料の属性で、カテゴリに従って判定され、ターゲット製品の原材料のカテゴリが鉄の場合、ターゲット製品のクラスは金属製品、またはターゲット製品の原材料のカテゴリがポリエチレンの場合、ターゲット製品のクラスはプラスチック製品である。別法として、ターゲット製品のクラスはターゲット製品、ターゲット製品の属性で、目的に従って判定され、ターゲット製品の目的が歩行の代替物の場合、ターゲット製品のクラスは乗り物、またはターゲット製品の目的が液体を収容するものの場合、ターゲット製品のクラスはコンテナである。3Dプリンティングデザインシステムは、ターゲット製品の別の属性に従って、ターゲットプリントファイルに対応するターゲット製品のクラスも取得することができるか、または、複数の態様のターゲット製品の属性に従って、ターゲットプリントファイルに対応するターゲット製品のクラスを取得することができる。本明細書では、それに制限を設けていない。
【００７３】
ターゲット製品のクラスには、単に安全な製品および安全ではない製品を含めることもできる。例えば、3Dプリンティングデザインシステムがターゲット製品の属性からターゲット製品の原材料に禁止の原材料が含まれていたり、またはターゲット製品の空間形状が武器などの禁止の品物の形状であったり、またはターゲット製品の製造の技術的プロセスが禁止の品物の技術的プロセスに関連していたり、またはターゲット製品が市民の生命や所有物の安全を損なう場合がある行動活動で使用されることを認識する場合、3Dプリンティングデザインシステムはターゲット製品のクラスが安全ではない製品と判定する。3Dプリンティングデザインシステムでは、別の態様のターゲット製品の属性に従って、ターゲット製品のクラスが安全ではない製品か、または安全な製品であるかどうかも判定する場合がある。本明細書では、それに制限を設けていない。
【００７４】
204：3Dプリンティングデザインシステムでは、製品クラスと第1の安全基準との間の対応関係に従って、ターゲットプリントファイルが第1の安全基準を満たすかどうかを判定する。
【００７５】
ターゲットプリントファイルに対応するターゲット製品のクラスを取得後、3Dプリンティングデザインシステムではターゲットプリントファイルが第1の安全基準を満たすかどうかをさらに判定する場合がある。製品クラスと第1の安全基準との間には対応関係がある。例えば、金属製品は第1の安全基準を満たすことに対応しており、プラスチック製品は第1の安全基準を満たしていないことに対応している。
【００７６】
製品クラスと第1の安全基準との間の対応関係を取得する方法は多くあり、ここで、対応関係は手動で設定したり、またはサーバから3Dプリンティングデザインシステムによってアクティブに取得したり、またはサーバから3Dプリンティングデザインシステムによってパッシブに受信されたり、または別の方法が使用される場合がある。本明細書では、それに制限を設けていない。3Dプリンティングデザインシステムでは、製品クラスと第1の安全基準との間の対応関係に従って、ターゲット製品のクラスに対応するターゲットプリントファイルが第1の安全基準を満たすかどうかを判定する。
【００７７】
特に、ステップ203で、製品クラスに安全な製品および安全ではない製品のみが含まれる場合、製品クラスと第1の安全基準との間の対応関係に従う3Dプリンティングデザインシステムによる、ターゲットプリントファイルが第1の安全基準を満たすかどうかの判定には、ターゲット製品のクラスが安全な製品の場合、3Dプリンティングデザインシステムによる、ターゲットプリントファイルが第1の安全基準を満たしていることの判定、またはターゲット製品のクラスが安全ではない製品の場合、3Dプリンティングデザインシステムによる、ターゲットプリントファイルが第1の安全基準を満たしていないことの判定が含まれる。
【００７８】
3Dプリンティングデザインシステムが、ターゲットプリントファイルが第1の安全基準を満たすと判定する場合、ステップ205が行われる。
【００７９】
3Dプリンティングデザインシステムが、ターゲットプリントファイルが第1の安全基準を満たしていないと判定する場合、ステップ206が行われる。
【００８０】
205：3Dプリンティングデザインシステムはターゲットプリントファイルを3Dプリンティングシステムに送信する。
【００８１】
3Dプリンティングデザインシステムが、ターゲットプリントファイルが第1の安全基準を満たすと判定する場合、3Dプリンティングデザインシステムはターゲットプリントファイルを3Dプリンティングシステムに送り、その結果、3Dプリンティングシステムはターゲットプリントファイルに従ってプリンティングを行う。
【００８２】
206：3Dプリンティングデザインシステムは別の動作を行う。
【００８３】
3Dプリンティングデザインシステムが、ターゲットプリントファイルが第1の安全基準を満たしていないと判定した場合の、3Dプリンティングデザインシステムによる、別の動作の実行には、3Dプリンティングデザインシステムによる、ターゲットプリントファイルの3Dプリンティングシステムへの送信のスキップ、または3Dプリンティングデザインシステムによって、ターゲットプリントファイルを処理してから、ターゲットプリントファイルを3Dプリンティングシステムに送信することが含まれるか、あるいは別の動作が含まれる場合があり、それは、後続の実施形態で明確かつ詳細に説明され、この実施形態では、それに制限を設けていない。
【００８４】
ターゲットプリントファイルなどの情報が改ざんされ、ターゲットプリントファイルの安全性に関する判定に影響しないようにするため、非対称暗号が3Dプリンティングデザインシステムと3Dプリンティングシステムとの間のデータ伝送で行われる場合がある。
【００８５】
この実施形態では、3Dプリンティングデザインシステムが、ターゲットプリントファイルが第1の安全基準を満たすかを判定する方法が図1で示される実施形態に基づいて詳説され、ここで、ターゲットプリントファイルの判定後、3Dプリンティングデザインシステムはターゲットプリントファイルに対応するターゲット製品の属性を取得し、ターゲットプリントファイルに対応するターゲット製品のクラスも取得し、次に、製品クラスと第1の安全基準との間の対応関係に従って、ターゲットプリントファイルが第1の安全基準を満たすかどうかを判定し、満たしている場合には、ターゲットプリントファイルを3Dプリンティングシステムに送信する。この方法によると、3Dプリンティングデザインシステムはターゲットプリントファイルが第1の安全基準を満たすかどうかを判定することができ、それはさらにターゲット製品に規制を実施して、危険性の高い品物の生産を規制するための難しい問題を解決し、社会の安定性や市民個人の安全を確実にする。
【００８６】
図2で示される実施形態では、一方法が提供されており、ここで、3Dプリンティングデザインシステムが、ターゲットプリントファイルが第1の安全基準を満たすかどうかの判定方法が詳細に説明される。ターゲットプリントファイルの判定後、3Dプリンティングデザインシステムが、ターゲットプリントファイルが第1の安全基準を満たすかどうかを判定し、満たしている場合には、ターゲットプリントファイルを3Dプリンティングシステムに送信し、満たしていない場合には、別の動作を行う。次の実施形態では、3Dプリンティングデザインシステムが、ターゲットプリントファイルが第1の安全基準を満たしていないと判定する場合に、3Dプリンティングデザインシステムが別の動作を特に行う方法が詳細に説明される。図3を参照すると、本発明の別の実施形態の基本的プロセスには、次が含まれる。
【００８７】
301：3Dプリンティングデザインシステムはターゲットプリントファイルを判定する。
【００８８】
302：3Dプリンティングデザインシステムはターゲットプリントファイルに対応するターゲット製品の属性を取得する。
【００８９】
303：3Dプリンティングデザインシステムは、ターゲット製品の属性に従って、ターゲットプリントファイルに対応するターゲット製品のクラスを取得する。
【００９０】
304：3Dプリンティングデザインシステムでは、製品クラスと第1の安全基準との間の対応関係に従って、ターゲットプリントファイルが第1の安全基準を満たすかどうかを判定する。
【００９１】
ステップ301からステップ304はステップ201からステップ204と基本的に同じで、詳細は本明細書では再説明されない。
【００９２】
ステップ304で、3Dプリンティングデザインシステムが、ターゲットプリントファイルが第1の安全基準を満たすと判定する場合、ステップ307が行われる。または3Dプリンティングデザインシステムが、ターゲットプリントファイルが第1の安全基準を満たしていないと判定する場合、ステップ305が行われる。
【００９３】
305：3Dプリンティングデザインシステムは第1のライセンス要求情報をプリンティングライセンス付与センターに送信する。
【００９４】
3Dプリンティングデザインシステムが、ターゲットプリントファイルが第1の安全基準を満たしていないと判定する場合、3Dプリンティングデザインシステムは第1のライセンス要求情報をプリンティングライセンス付与センターに送信する。
【００９５】
プリンティングライセンス付与センターはプリンティングライセンス付与センターにより受信された要求情報が特定の安全基準を満たすかどうかを判定するように構成され、満たしている場合には、ファイルに対応するプリンティングライセンスを送出し、ここで、プリンティングライセンスは3Dプリンティングシステムがターゲットプリントファイルに従ってプリンティングの実行が許可されていることを示す。
【００９６】
完全な3Dプリンティングシステムには、複数のプリンティングライセンス付与センターが含まれる場合がある。3Dプリンティングデザインシステムは、ターゲットプリントファイルに従って対応するプリンティングライセンス付与センターを検索することができる。
【００９７】
第1のライセンス要求情報はプリンティングライセンスをプリンティングライセンス付与センターに要求するために使用され、ここで、第1のライセンス要求情報には、ターゲットプリントファイル、またはターゲット製品の属性、またはターゲット製品のクラスが含まれる場合、あるいは他の情報の場合があり、本明細書では限定されていない。
【００９８】
306：3Dプリンティングデザインシステムは、ライセンス付与センターによって送信された第1のプリンティングライセンスを受信したかどうかを判定する。
【００９９】
3Dプリンティングデザインシステムが第1のライセンス要求情報をプリンティングライセンス付与センターに送信した後、プリンティングライセンス付与センターは第1のライセンス要求情報が第2の安全基準を満たすかどうかを判定し、満たしている場合には、第1のプリンティングライセンスを3Dプリンティングデザインシステムに送信する。3Dプリンティングデザインシステムは、ライセンス付与センターによって送信された第1のプリンティングライセンスを受信したかどうかを判定する。第2の安全基準は、ライセンス付与センターが受信した要求情報に対応するプリントファイルが安全かどうかを判定する基準である。
【０１００】
3Dプリンティングデザインシステムがライセンス付与センターによって送信された第1のプリンティングライセンスを受信したと判定する場合、それはプリンティングライセンス付与センターが第1のライセンス要求情報は第2の安全基準を満たすと判定したことを示し、ステップ307が行われる。
【０１０１】
3Dプリンティングデザインシステムがライセンス付与センターによって送信された第1のプリンティングライセンスを受信していないと判定する場合、それはプリンティングライセンス付与センターが第1のライセンス要求情報は第2の安全基準を満たしていないと判定したことを示し、ステップ308が行われる。
【０１０２】
307：3Dプリンティングデザインシステムはターゲットプリントファイルを3Dプリンティングシステムに送信する。
【０１０３】
3Dプリンティングデザインシステムが、ターゲットプリントファイルが第1の安全基準を満たすと判定する場合、またはライセンス付与センターによって送信された第1のプリンティングライセンスを受信したと判定する場合、3Dプリンティングデザインシステムはターゲットプリントファイルを3Dプリンティングシステムに送り、その結果、3Dプリンティングシステムはターゲットプリントファイルに従ってプリンティングを行う。
【０１０４】
308：3Dプリンティングデザインシステムは別の動作を行う。
【０１０５】
3Dプリンティングデザインシステムが、ターゲットプリントファイルが第1の安全基準を満たしていないと判定し、3Dプリンティングデザインシステムがライセンス付与センターによって送信された第1のプリンティングライセンスを受信していないと判定した場合の、3Dプリンティングデザインシステムによる、別の動作の実行には、3Dプリンティングデザインシステムによる、ターゲットプリントファイルの3Dプリンティングシステムへのスキップ、または3Dプリンティングデザインシステムによって、ターゲットプリントファイルを処理してから、ターゲットプリントファイルを3Dプリンティングシステムに送信することが含まれるか、あるいは別の動作が含まれる場合があり、この実施形態では限定されていない。
【０１０６】
ターゲットプリントファイル、ライセンス要求情報、またはプリンティングライセンスなどの情報が改ざんされ、ターゲットプリントファイルの安全性に関する判定に影響しないようにするため、非対称暗号が3Dプリンティングデザインシステム、プリンティングライセンス付与センター、および3Dプリンティングシステムとの間のデータ伝送で行われる場合がある。
【０１０７】
この実施形態では、3Dプリンティングデザインシステムが、ターゲットプリントファイルが第1の安全基準を満たしていないと判定する場合に、3Dプリンティングデザインシステムが別の動作を特に行う方法が詳細に説明される。3Dプリンティングデザインシステムが、ターゲットプリントファイルが第1の安全基準を満たしていないと判定する場合、3Dプリンティングデザインシステムは第1のライセンス要求情報をプリンティングライセンス付与センターに送信してから、ライセンス付与センターによって送信される第1のプリンティングライセンスを受信していないかどうかを判定する。3Dプリンティングデザインシステムがライセンス付与センターによって送信された第1のプリンティングライセンスを受信したと判定する場合、それは、プリンティングライセンス付与センターが第1のライセンス要求情報は第2の安全基準を満たすと判定したことを示し、3Dプリンティングデザインシステムはターゲットプリントファイルを3Dプリンティングシステムに送り、その結果、3Dプリンティングシステムはターゲットプリントファイルに従ってプリンティングを行う。この実施形態で提供されたこの方法によると、ターゲットプリントファイルの安全性に関する3Dプリンティングデザインシステムおよびプリンティングライセンス付与センターによる二次判定が実施され、それはさらにターゲット製品に規制を実施して、危険性の高い品物の生産を規制するための難しい問題を解決し、社会の安定性や市民個人の安全を確実にする。
【０１０８】
図3で示される実施形態では、3Dプリンティングデザイン方法が提供され、ここで、プリンティングライセンス付与センターは受信したファイルの安全性を判定することができる。次の実施形態では、新しい3Dプリンティングデザイン方法が図3で示された実施形態に基づき提供され、それは、プリンティングライセンス付与センターによる安全性に関する判定の作業負荷を低減することができる。図4を参照すると、本発明の別の実施形態の基本的プロセスには、次が含まれる。
【０１０９】
401：3Dプリンティングデザインシステムはライセンス付与センターによって送信された既定のプリンティングライセンスを受信して、既定のプリンティングライセンスを保存する。
【０１１０】
ライセンス付与センターは1つまたは複数の3Dプリンティングデザインシステムによって送信されたライセンス要求を受信する必要があり、したがって、ライセンス付与センターによって受信されるデータの数量は膨大なので、比較的大量のデータの処理によってライセンス付与センターの低効率およびサーバの過度に重い負荷などの多くの問題を引き起こす。したがって、ライセンス付与センターは既定のプリンティングライセンスを3Dプリンティングデザインシステムに送信することができ、ここで、既定のプリンティングライセンスは事前設定カテゴリのターゲットプリントファイルに対応しており、ターゲット製品の属性を有するターゲットプリントファイルに特に対応することができる。例えば、既定のプリンティングライセンスがプラスチックであるターゲット製品の原材料のターゲットプリントファイルのカテゴリに対応している場合、プラスチックであるターゲット製品の原材料のすべてのターゲットプリントファイルのカテゴリは既定のプリンティングライセンスに対応する。別法として、既定のプリンティングライセンスは、そのクラスがターゲット製品のクラスであるターゲットプリントファイルに対応する場合があり、例えば、安全な製品であるターゲット製品のクラスのターゲットプリントファイルに対応する。既定のプリンティングライセンスは別の事前設定カテゴリのターゲットプリントファイルにも対応する場合がある。本明細書では、それに制限を設けていない。
【０１１１】
3Dプリンティングデザインシステムはライセンス付与センターによって送信された既定のプリンティングライセンスを受信して、既定のプリンティングライセンスを保存する。
【０１１２】
402：3Dプリンティングデザインシステムはターゲットプリントファイルを判定する。
【０１１３】
403：3Dプリンティングデザインシステムはターゲットプリントファイルに対応するターゲット製品の属性を取得する。
【０１１４】
404：3Dプリンティングデザインシステムは、ターゲット製品の属性に従って、ターゲットプリントファイルに対応するターゲット製品のクラスを取得する。
【０１１５】
405：3Dプリンティングデザインシステムでは、製品クラスと第1の安全基準との間の対応関係に従って、ターゲットプリントファイルが第1の安全基準を満たすかどうかを判定する。
【０１１６】
ステップ402からステップ405はステップ301からステップ304と基本的に同じで、詳細は本明細書では再説明されない。
【０１１７】
ステップ405で、3Dプリンティングデザインシステムが、ターゲットプリントファイルが第1の安全基準を満たすと判定する場合、ステップ409が行われる。または3Dプリンティングデザインシステムが、ターゲットプリントファイルが第1の安全基準を満たしていないと判定する場合、ステップ406が行われる。
【０１１８】
406：3Dプリンティングデザインシステムは、ターゲットプリントファイルに対応する既定のプリンティングライセンスが保存されたかどうかを判定する。
【０１１９】
3Dプリンティングデザインシステムが、ターゲットプリントファイルが第1の安全基準を満たしていないと判定する場合、3Dプリンティングデザインシステムはターゲットプリントファイルに対応する既定のプリンティングライセンスが保存されたかどうかを判定する。
【０１２０】
3Dプリンティングデザインシステムがターゲットプリントファイルに対応する既定のプリンティングライセンスが保存されたと判定する場合、ステップ409が行われる。
【０１２１】
3Dプリンティングデザインシステムがターゲットプリントファイルに対応する既定のプリンティングライセンスが保存されていないと判定する場合、ステップ407が行われる。
【０１２２】
407：3Dプリンティングデザインシステムは第1のライセンス要求情報をプリンティングライセンス付与センターに送信する。
【０１２３】
3Dプリンティングデザインシステムがターゲットプリントファイルに対応する既定のプリンティングライセンスが保存されていないと判定する場合、3Dプリンティングデザインシステムは第1のライセンス要求情報をプリンティングライセンス付与センターに送信する。
【０１２４】
プリンティングライセンス付与センターはプリンティングライセンス付与センターにより受信された要求情報が第2の安全基準を満たすかどうかを判定するように構成され、満たしている場合には、ファイルに対応するプリンティングライセンスを送出し、ここで、プリンティングライセンスは3Dプリンティングシステムがターゲットプリントファイルに従ってプリンティングの実行が許可されていることを示す。
【０１２５】
第1のライセンス要求情報はプリンティングライセンスをプリンティングライセンス付与センターに要求するために使用され、ここで、第1のライセンス要求情報には、ターゲットプリントファイル、またはターゲット製品の属性、またはターゲット製品のクラスが含まれる場合、あるいは他の情報の場合があり、本明細書では限定されていない。
【０１２６】
408：3Dプリンティングデザインシステムは、ライセンス付与センターによって送信された第1のプリンティングライセンスを受信したかどうかを判定する。
【０１２７】
3Dプリンティングデザインシステムが第1のライセンス要求情報をプリンティングライセンス付与センターに送信した後、プリンティングライセンス付与センターは第1のライセンス要求情報が第2の安全基準を満たすかどうかを判定し、判定結果に従ってプリンティングライセンスを送信する。3Dプリンティングデザインシステムは、ライセンス付与センターによって送信された第1のプリンティングライセンスを受信したかどうかを判定する。
【０１２８】
3Dプリンティングデザインシステムがライセンス付与センターによって送信された第1のプリンティングライセンスを受信したと判定する場合、それはプリンティングライセンス付与センターが第1のライセンス要求情報は第2の安全基準を満たすと判定したことを示し、ステップ409が行われる。
【０１２９】
3Dプリンティングデザインシステムがライセンス付与センターによって送信された第1のプリンティングライセンスを受信していないと判定する場合、それはプリンティングライセンス付与センターが第1のライセンス要求情報は第2の安全基準を満たしていないと判定したことを示し、ステップ410が行われる。
【０１３０】
409：3Dプリンティングデザインシステムはターゲットプリントファイルを3Dプリンティングシステムに送信する。
【０１３１】
3Dプリンティングデザインシステムが、ターゲットプリントファイルが第1の安全基準を満たすと判定するか、またはターゲットプリントファイルに対応する既定のプリンティングライセンスが保存されていると判定するか、またはライセンス付与センターによって送信された第1のプリンティングライセンスを受信したと判定する場合、3Dプリンティングデザインシステムはターゲットプリントファイルを3Dプリンティングシステムに送信する。
【０１３２】
410：3Dプリンティングデザインシステムは別の動作を行う。
【０１３３】
3Dプリンティングデザインシステムが、ターゲットプリントファイルが第1の安全基準を満たしていないと判定し、ターゲットプリントファイルに対応する既定のプリンティングライセンスが保存されていないと判定し、3Dプリンティングデザインシステムがライセンス付与センターによって送信された第1のプリンティングライセンスを受信していないと判定した場合の、3Dプリンティングデザインシステムによる、別の動作の実行には、3Dプリンティングデザインシステムによる、ターゲットプリントファイルの3Dプリンティングシステムへのスキップ、またはDプリンティングデザインシステムによって、ターゲットプリントファイルを処理してから、ターゲットプリントファイルを3Dプリンティングシステムに送信することが含まれるか、あるいは別の動作が含まれる場合があり、この実施形態では限定されていない。
【０１３４】
ステップ401はステップ402からステップ405のいずれか1つの後に行うことも可能であり、ステップ401がステップ406の前に行われる限り、この実施形態では限定されていない。
【０１３５】
ターゲットプリントファイル、ライセンス要求情報、またはプリンティングライセンスなどの情報が改ざんされ、ターゲットプリントファイルの安全性に関する判定に影響しないようにするため、非対称暗号が3Dプリンティングデザインシステム、プリンティングライセンス付与センター、および3Dプリンティングシステムとの間のデータ伝送で行われる場合がある。
【０１３６】
図4で示される実施形態では、3Dプリンティングデザイン方法が提供され、その結果、3Dプリンティングデザインシステムは既定のプリンティングライセンスに従ってターゲットプリントファイルの安全性を判定することができる。3Dプリンティングデザインシステムが、ターゲットプリントファイルが第1の安全基準を満たしていないと判定する場合、3Dプリンティングデザインシステムはターゲットプリントファイルに対応する既定のプリンティングライセンスを保存するかどうかを判定し、保存する場合には、3Dプリンティングデザインシステムはターゲットプリントファイルを3Dプリンティングシステムに送信する。この方法によると、ターゲットプリントファイルの安全性に関する3Dプリンティングデザインシステムおよびプリンティングライセンス付与センターによる判定が実施され、それはさらにターゲット製品に規制を実施して、危険性の高い品物の生産を規制するための難しい問題を解決し、社会の安定性や市民個人の安全を確実にする。加えて、第1のライセンス要求情報をプリンティングライセンス付与センターに送信する前に、3Dプリンティングデザインシステムはターゲットプリントファイルに対応する既定のプリンティングライセンスが保存されているかどうかを判定して、保存されている場合には、ターゲットプリントファイルを3Dプリンティングシステムに直接送信し、その結果、一部の安全性判定動作は3Dプリンティングデザインシステムで完了することができ、それによって、プリンティングライセンス付与センターによって受信されるライセンス要求の数量およびプリンティングライセンス付与センターによる安全性判定動作の数量が減り、プリンティングライセンス付与センターの負荷が軽減され、ターゲットプリントファイルの安全性に関する判定の効率が向上する。
【０１３７】
図4で示される実施形態では、一方法が提供されており、ここで、当該方法はターゲットプリントファイルの安全性に関する判定の効率を向上させることができる。次の実施形態では、別の3Dプリンティングデザイン方法が提供され、その結果、ターゲットプリントファイルの安全性に関する判定精度が向上する。図5を参照すると、本発明で提供された別の実施形態の基本的プロセスには、次が含まれる。
【０１３８】
501：3Dプリンティングデザインシステムはライセンス付与センターによって送信された既定のプリンティングライセンスを受信して、既定のプリンティングライセンスを保存する。
【０１３９】
502：3Dプリンティングデザインシステムはターゲットプリントファイルを判定する。
【０１４０】
503：3Dプリンティングデザインシステムはターゲットプリントファイルに対応するターゲット製品の属性を取得する。
【０１４１】
504：3Dプリンティングデザインシステムは、ターゲット製品の属性に従って、ターゲットプリントファイルに対応するターゲット製品のクラスを取得する。
【０１４２】
505：3Dプリンティングデザインシステムでは、製品クラスと第1の安全基準との間の対応関係に従って、ターゲットプリントファイルが第1の安全基準を満たすかどうかを判定する。
【０１４３】
ステップ501からステップ505はステップ401からステップ405と基本的に同じで、詳細は本明細書では再説明されない。
【０１４４】
ステップ505で、3Dプリンティングデザインシステムが、ターゲットプリントファイルが第1の安全基準を満たすと判定する場合、ステップ509が行われる。または3Dプリンティングデザインシステムが、ターゲットプリントファイルが第1の安全基準を満たしていないと判定する場合、ステップ506が行われる。
【０１４５】
506：3Dプリンティングデザインシステムは、ターゲットプリントファイルに対応する既定のプリンティングライセンスが保存されたかどうかを判定する。
【０１４６】
3Dプリンティングデザインシステムが、ターゲットプリントファイルが第1の安全基準を満たしていないと判定する場合、3Dプリンティングデザインシステムはターゲットプリントファイルに対応する既定のプリンティングライセンスが保存されたかどうかを判定する。
【０１４７】
3Dプリンティングデザインシステムがターゲットプリントファイルに対応する既定のプリンティングライセンスが保存されたと判定する場合、ステップ509が行われる。
【０１４８】
3Dプリンティングデザインシステムがターゲットプリントファイルに対応する既定のプリンティングライセンスが保存されていないと判定する場合、ステップ507が行われる。
【０１４９】
507：3Dプリンティングデザインシステムは第1のライセンス要求情報をプリンティングライセンス付与センターに送信する。
【０１５０】
508：3Dプリンティングデザインシステムは、ライセンス付与センターによって送信された第1のプリンティングライセンスを受信したかどうかを判定する。
【０１５１】
ステップ507とステップ508はステップ407とステップ408と基本的に同じで、詳細は本明細書では再説明されない。
【０１５２】
3Dプリンティングデザインシステムがライセンス付与センターによって送信された第1のプリンティングライセンスを受信したと判定する場合、それはプリンティングライセンス付与センターが第1のライセンス要求情報は第2の安全基準を満たすと判定したことを示し、ステップ509が行われる。
【０１５３】
3Dプリンティングデザインシステムがライセンス付与センターによって送信された第1のプリンティングライセンスを受信していないと判定する場合、それはプリンティングライセンス付与センターが第1のライセンス要求情報は第2の安全基準を満たしていないと判定したことを示し、ステップ510が行われる。
【０１５４】
509：3Dプリンティングデザインシステムはターゲットプリントファイルを3Dプリンティングシステムに送信する。
【０１５５】
510：3Dプリンティングデザインシステムは別の動作を行う。
【０１５６】
ステップ509とステップ510はステップ409とステップ410と基本的に同じで、詳細は本明細書では再説明されない。
【０１５７】
511：3Dプリンティングデザインシステムはターゲットサーバアドレスをプリンティングライセンス付与センターから取得する。
【０１５８】
3Dプリンティングデザインシステムは、製品クラスと第1の安全基準との間の対応関係を取得し、対応関係に従って、ターゲットプリントファイルが第1の安全基準を満たすかどうかを判定する。ただし、実際の適用例では、製品クラスと第1の安全基準との間の対応関係は、政府の方針または科学的および技術的進歩などの理由により変更される場合がある。例えば、製品クラスと第1の安全基準との間の元々の対応関係に従うと、ナイフの特定のタイプは第1の安全基準を満たすが、製品クラスと第1の安全基準との間の更新された対応関係に従うと、ナイフというタイプは第1の安全基準を満さない。製品クラスと第1の安全基準との間の対応関係が変化するが、3Dプリンティングデザインシステムが対応関係を更新していない場合、更新されていない対応関係に従う3Dプリンティングデザインシステムによる判定結果は正確ではない。したがって、3Dプリンティングデザインシステムは製品クラスと第1の安全基準との間の対応関係を常時更新する必要がある。
【０１５９】
この実施形態では、製品クラスと第1の安全基準との間の最新の対応関係がターゲットサーバに保存され、3Dプリンティングデザインシステムはターゲットサーバアドレスをプリンティングライセンス付与センターから取得し、ここで、ターゲットサーバアドレスはターゲットサーバのアドレスである。
【０１６０】
512：3Dプリンティングデザインシステムはターゲットサーバアドレスにアクセスして、ターゲットサーバから更新ファイルをダウンロードする。
【０１６１】
ターゲットサーバアドレスをプリンティングライセンス付与センターから取得した後、3Dプリンティングデザインシステムはターゲットサーバアドレスにアクセスしてターゲットサーバから更新ファイルをダウンロードし、ここで、更新ファイルは製品クラスと第1の安全基準との間の対応関係を更新するために使用される。
【０１６２】
513：3Dプリンティングデザインシステムは製品クラスと更新ファイルに従う第1の安全基準との間の対応関係を更新する。
【０１６３】
ターゲットサーバから更新ファイルをダウンロードした後、3Dプリンティングデザインシステムは製品クラスと更新ファイルに従う第1の安全基準との間の対応関係を更新する。
【０１６４】
ステップ511からステップ513は、ステップ501からステップ510のいずれか1つの前に行うこともでき、この実施形態では限定されていない。
【０１６５】
ステップ511からステップ513は、事前設定の時間の長さ毎に一度行うこともでき、この実施形態では限定されていない。
【０１６６】
ターゲットプリントファイル、ライセンス要求情報、またはプリンティングライセンスなどの情報が改ざんされ、ターゲットプリントファイルの安全性に関する判定に影響しないようにするため、非対称暗号が3Dプリンティングデザインシステム、プリンティングライセンス付与センター、および3Dプリンティングシステムとの間のデータ伝送で行われる場合がある。
【０１６７】
この実施形態では、3Dプリンティングデザイン方法が提供されており、ここで、3Dプリンティングデザインシステムは製品クラスと第1の安全基準との間の対応関係に従ってターゲットプリントファイルの安全性を判定し、製品クラスと第1の安全基準との間の対応関係を常時更新する。この方法によると、ターゲットプリントファイルの安全性に関する3Dプリンティングデザインシステムおよびプリンティングライセンス付与センターによる判定が実施され、それはさらにターゲット製品に規制を実施して、危険性の高い品物の生産を規制するための難しい問題を解決し、社会の安定性や市民個人の安全を確実にする。加えて、3Dプリンティングデザインシステムは製品クラスと第1の安全基準との間の対応関係を常時更新し、その結果、3Dプリンティングデザインシステムによって取得される、製品クラスと第1の安全基準との間の対応関係はより優れたリアルタイム性能を有し、製品クラスと第1の安全基準との間の対応関係に従うターゲットプリントファイルの安全性に関する判定はより正確で信頼できる。
【０１６８】
上述の実施形態を理解しやすくするために、一例として上述の実施形態の特定の適用シナリオを使用した説明が以下で提供される。
【０１６９】
3Dプリンティングデザインシステムはライセンス付与センターから既定のプリンティングライセンスを受信して、既定のプリンティングライセンスを保存する。既定のプリンティングライセンスの内容は、その目的が警察による使用の銃は既定のプリンティングライセンスを満たすが、その目的が軍事使用の銃は既定のプリンティングライセンスを満たさない。
【０１７０】
ユーザは3Dプリンティングデザインシステムを使用して小型の銃のプリントファイルをデザインする。プリントファイルのデザインの完了の判定後、3Dプリンティングデザインシステムはプリントファイルのターゲット製品の属性を取得し、ここで、属性には、デザインされた製品が銃で、銃の口径が5．8ミリメートルで、銃は軍事目的で使用されることが含まれる。属性からプリントファイルでデザインされた製品が銃であることを知ることができ、銃は害を及ぼすので、3Dプリンティングデザインシステムはプリントファイルのターゲット製品のクラスが安全ではない製品と判定し、プリントファイルが第1の安全基準との間を満たさないと判定する。したがって、3Dプリンティングデザインシステムは、プリントファイルに対応する既定のプリンティングライセンスが保存されたかどうかを判定する。3Dプリンティングデザインシステムに保存されている既定のプリンティングライセンスは警察による使用の目的のみを許可し、軍事使用の目的を許容しないので、3Dプリンティングデザインシステムはプリントファイルに対応する既定のプリンティングライセンスを保存していないと判定する。したがって、3Dプリンティングデザインシステムは第1のライセンス要求情報をプリンティングライセンス付与センターに送信し、ここで、第1のライセンス要求情報の内容はプリントファイルのターゲット製品の属性である。
【０１７１】
安全性の判定後、プリンティングライセンス付与センターは小型の銃が製造可能であることを考慮し、したがって、プリンティングライセンス付与センターは第1のプリンティングライセンスを3Dプリンティングデザインシステムに送信する。第1のプリンティングライセンスの受信後、3Dプリンティングデザインシステムは小型の銃のプリントファイルを3Dプリンティングシステムに送信する。
【０１７２】
事前設定の時間の長さ毎に3Dプリンティングデザインシステムはライセンス付与センターからターゲットサーバアドレスを取得し、ターゲットサーバアドレスにアクセスして、ターゲットサーバから更新ファイルをダウンロードし、更新ファイルに従って製品クラスと第1の安全基準との間の対応関係を更新する。
【０１７３】
図3から図5で示される実施形態では、複数の3Dプリンティングデザイン方法が提供されており、ここで、3Dプリンティングデザインシステムの観点からターゲット製品に規制が実施される。次の実施形態では、3Dプリンティング方法が提供されており、ここで、3Dプリンティングシステムの観点からターゲット製品に規制が実施される。図6を参照すると、本発明のこの実施形態で提供される3Dプリンティング方法の基本的プロセスには、次が含まれる。
【０１７４】
601：3Dプリンティングシステムはターゲットプリントファイルを取得する。
【０１７５】
3Dプリンティングプロセス全体で、3Dプリンティングデザインシステムは主に、ターゲットプリントファイルのデザインを担当し、ターゲットプリントファイルのプリンティングの動作は主に、3Dプリンティングシステムによって完了される。ターゲットプリントファイルをプリントするには、3Dプリンティングシステムは最初にターゲットプリントファイルを取得する必要がある。
【０１７６】
3Dプリンティングシステムは3Dプリンティングデザインシステムからターゲットプリントファイルを取得したり、またはプリンティングライセンス付与センターからターゲットプリントファイルを取得したり、または別の手段によってターゲットプリントファイルを取得できるが、本明細書では限定されていない。
【０１７７】
602：3Dプリンティングシステムは、プリンティングライセンス付与センターにより送信された第2のプリンティングライセンスを受信したかどうかを判定する。
【０１７８】
図1から図5で示される実施形態では、3Dプリンティングデザインシステムは第1のライセンス要求情報をプリンティングライセンス付与センターに送信する。第1のライセンス要求情報を受信して第1のライセンス要求情報が第2の安全基準を満たすと判定した後、ライセンス付与センターは第1のプリンティングライセンスを3Dプリンティングデザインシステムに送信するのではなく、第2のプリンティングライセンスを3Dプリンティングシステムに送信する場合がある。この実施形態では、3Dプリンティングシステムは、プリンティングライセンス付与センターにより送信された第2のプリンティングライセンスを受信したかどうかを判定する。
【０１７９】
603：3Dプリンティングシステムがプリンティングライセンス付与センターにより送信された第2のプリンティングライセンスを受信したと判定した場合、3Dプリンティングシステムはターゲットプリントファイルをプリントする。
【０１８０】
3Dプリンティングシステムがプリンティングライセンス付与センターによって送信された第2のプリンティングライセンスを受信したと判定する場合、それは、プリンティングライセンス付与センターが第1のライセンス要求情報は第2の安全基準を満たすと判定したことを示し、すなわち、ターゲットプリントファイルは第2の安全基準を満たしており、したがって、3Dプリンティングシステムはターゲットプリントファイルをプリントする。
【０１８１】
ターゲットプリントファイル、ライセンス要求情報、またはプリンティングライセンスなどの情報が改ざんされ、ターゲットプリントファイルの安全性に関する判定に影響しないようにするため、非対称暗号が3Dプリンティングデザインシステム、プリンティングライセンス付与センター、および3Dプリンティングシステムとの間のデータ伝送で行われる場合がある。
【０１８２】
この実施形態では、3Dプリンティング方法が提供され、ここで、3Dプリンティングシステムはターゲットプリントファイルを取得して、プリンティングライセンス付与センターによって送信された第2のプリンティングライセンスを受信したかどうかを判定し、判定結果がそうである場合、ターゲットプリントファイルをプリントする。この実施形態では、第2のプリンティングライセンスを受信したかどうかの判定によって、ターゲットプリントファイルの安全性に関する3Dプリンティングシステムによる判定が実施され、それはさらにターゲット製品に規制を実施して、危険性の高い品物の生産を規制するための難しい問題を解決し、社会の安定性や市民個人の安全を確実にする。
【０１８３】
上述の実施形態を理解しやすくするために、一例として上述の実施形態の特定の適用シナリオを使用した説明が以下で提供される。
【０１８４】
3Dプリンティングシステムは3Dプリンティングデザインシステムから小型の銃のプリントファイルを取得し、プリンティングライセンス付与センターからプリントファイルに関する第2のプリンティングライセンスを受信する。したがって、3Dプリンティングシステムはプリントファイルをプリントし、ここで、プリントされたターゲット製品は小型の銃である。
【０１８５】
図6で示される実施形態では、3Dプリンティング方法が提供されており、ここで、3Dプリンティングシステムはプリンティングライセンス付与センターから第2のプリンティングライセンスを取得することによって安全性を判定する。次の実施形態では、別の3Dプリンティング方法が提供され、ここで、当該方法では、安全性は別の方法で判定される。図7を参照すると、本発明の別の実施形態の基本的プロセスには、次が含まれる。
【０１８６】
701：3Dプリンティングシステムはターゲットプリントファイルを取得する。
【０１８７】
3Dプリンティングプロセス全体で、3Dプリンティングデザインシステムは主に、ターゲットプリントファイルのデザインを担当し、ターゲットプリントファイルのプリンティングの動作は主に、3Dプリンティングシステムによって完了される。ターゲットプリントファイルをプリントするには、3Dプリンティングシステムは最初にターゲットプリントファイルを取得する必要がある。
【０１８８】
3Dプリンティングシステムは3Dプリンティングデザインシステムからターゲットプリントファイルを取得したり、またはプリンティングライセンス付与センターからターゲットプリントファイルを取得したり、または別の手段によってターゲットプリントファイルを取得できるが、本明細書では限定されていない。
【０１８９】
702：3Dプリンティングシステムはターゲットプリントファイルが第3の安全基準を満たすかどうかを判定する。
【０１９０】
ターゲットプリントファイルの判定後、3Dプリンティングシステムはターゲットプリントファイルが第3の安全基準を満たすかどうかを判定する。ターゲットプリントファイルが第3の安全基準を満たすかどうかを判定するための3Dプリンティングシステムの方法は多くあり、それは、後続の実施形態で詳細に説明され、この実施形態では、それに制限を設けていない。
【０１９１】
703：3Dプリンティングシステムが、ターゲットプリントファイルが第3の安全基準を満たすと判定する場合、3Dプリンティングシステムはターゲットプリントファイルをプリントする。
【０１９２】
3Dプリンティングシステムが、ターゲットプリントファイルが第3の安全基準を満たすと判定する場合、3Dプリンティングシステムはターゲットプリントファイルをプリントする。3Dプリンティングシステムが、ターゲットプリントファイルが第3の安全基準を満たしていないと判定した場合、3Dプリンティングデザインシステムはターゲットプリントファイルをプリントしないか、またはターゲットプリントファイルを処理してから、ターゲットプリントファイルをプリントするか、または別の方法が使用される場合があり、それは、後続の実施形態で明確かつ詳細に説明され、この実施形態では、それに制限を設けていない。
【０１９３】
ターゲットプリントファイル、ライセンス要求情報、またはプリンティングライセンスなどの情報が改ざんされ、ターゲットプリントファイルの安全性に関する判定に影響しないようにするため、非対称暗号が3Dプリンティングデザインシステム、プリンティングライセンス付与センター、および3Dプリンティングシステムとの間のデータ伝送で行われる場合がある。
【０１９４】
この実施形態では、ターゲットプリントファイルの取得後、3Dプリンティングおよび製造システムはターゲットプリントファイルが第3の安全基準を満たすかどうかを判定し、ターゲットプリントファイルが第3の安全基準を満たす場合、ターゲットプリントファイルをプリントする。この実施形態では、ターゲットプリントファイルが第3の安全基準を満たすかどうかを3Dプリンティングシステムにより判定することによって、ターゲットプリントファイルの安全性に関する3Dプリンティングシステムによる判定が実施され、それはさらにターゲット製品に規制を実施して、危険性の高い品物の生産を規制するための難しい問題を解決し、社会の安定性や市民個人の安全を確実にする。
【０１９５】
図7で示される実施形態では、本発明の実施形態で提供される3Dプリンティングシステムの基本的プロセスが提供され、ここで、ターゲットプリントファイルの判定後、3Dプリンティングシステムはファイルが第3の安全基準を満たすかどうかを判定し、判定結果に従って、ターゲットプリントファイルをプリントするかどうかを判定する。次の実施形態では、3Dプリンティングシステムが、ファイルが第3の安全基準を満たすかどうかを判定する方法が図7で示される実施形態に基づいてさらに説明される。図8を参照すると、本発明で提供された3Dプリンティング方法の別の実施形態の基本的プロセスには、次が含まれる。
【０１９６】
801：3Dプリンティングシステムはターゲットプリントファイルを取得する。
【０１９７】
ステップ801はステップ701と基本的に同じで、詳細は本明細書では再説明されない。
【０１９８】
802：3Dプリンティングシステムはターゲットプリントファイルに対応するターゲット製品の属性を取得する。
【０１９９】
各ターゲットプリントファイルはターゲット製品に対応し、ターゲット製品には属性があり、ここで、属性は、ターゲット製品の原材料のカテゴリ情報、ターゲット製品の原材料の正確な情報、ターゲット製品の製造の技術的プロセス情報、ターゲット製品の空間形状情報、またはターゲット製品の目的情報の場合があり、あるいは別の態様の属性の場合もあり、本明細書では限定されていない。
【０２００】
この実施形態では、3Dプリンティングシステムはターゲットプリントファイルに対応するターゲット製品の属性を取得する。
【０２０１】
803：3Dプリンティングシステムは、ターゲット製品の属性に従って、ターゲットプリントファイルに対応するターゲット製品のクラスを取得する。
【０２０２】
ターゲットプリントファイルに対応するターゲット製品の属性の取得後、3Dプリンティングシステムは、ターゲット製品の属性に従って、ターゲットプリントファイルに対応するターゲット製品のクラスを取得することができ、ここで、ターゲット製品のクラスはターゲットプリントファイルの分類を示すために使用される。
【０２０３】
ターゲット製品の属性に従い、ターゲットプリントファイルに対応するターゲット製品のクラスを取得するための基準は多くあり、ターゲット製品の属性で、ターゲット製品の原材料のカテゴリに従いターゲット製品のクラスの判定が含まれる。例えば、ターゲット製品の原材料のカテゴリが鉄の場合、ターゲット製品のクラスは金属製品、またはターゲット製品の原材料のカテゴリがポリエチレンの場合、ターゲット製品のクラスはプラスチック製品である。別法として、ターゲット製品のクラスはターゲット製品、ターゲット製品の属性で、目的に従って判定され、ターゲット製品の目的が歩行の代替物の場合、ターゲット製品のクラスは乗り物、またはターゲット製品の目的が液体を収容するものの場合、ターゲット製品のクラスはコンテナである。3Dプリンティングシステムは、ターゲット製品の別の属性に従って、ターゲットプリントファイルに対応するターゲット製品のクラスも取得することができるか、または、複数の態様のターゲット製品の属性に従って、ターゲットプリントファイルに対応するターゲット製品のクラスを取得することができる。本明細書では、それに制限を設けていない。
【０２０４】
ターゲット製品のクラスには、単に安全な製品および安全ではない製品を含めることもできる。例えば、3Dプリンティングシステムがターゲット製品の属性からターゲット製品の原材料に禁止の原材料が含まれていたり、またはターゲット製品の空間形状が武器などの禁止の品物の形状であったり、またはターゲット製品の製造の技術的プロセスが禁止の品物の技術的プロセスに関連していたり、またはターゲット製品が市民の生命や所有物の安全を損なう場合がある行動活動で使用されることを認識する場合、3Dプリンティングシステムはターゲット製品のクラスが安全ではない製品と判定する。3Dプリンティングシステムでは、別の態様のターゲット製品の属性に従って、ターゲット製品のクラスが安全ではない製品か、または安全な製品であるかどうかも判定する場合がある。本明細書では、それに制限を設けていない。
【０２０５】
804：3Dプリンティングシステムでは、製品クラスと第3の安全基準との間の対応関係に従って、ターゲットプリントファイルが第3の安全基準を満たすかどうかを判定する。
【０２０６】
ターゲットプリントファイルに対応するターゲット製品のクラスを取得後、3Dプリンティングシステムではターゲットプリントファイルが第3の安全基準を満たすかどうかをさらに判定する場合がある。製品クラスと第3の安全基準との間には対応関係がある。例えば、金属製品は第3の安全基準を満たすことに対応しており、プラスチック製品は第3の安全基準を満たしていないことに対応している。
【０２０７】
製品クラスと第3の安全基準との間の対応関係を取得する方法は多くあり、ここで、対応関係は手動で設定したり、またはサーバから3Dプリンティングシステムによってアクティブに取得したり、またはサーバから3Dプリンティングシステムによってパッシブに受信されたり、または別の方法が使用される場合がある。本明細書では、それに制限を設けていない。3Dプリンティングシステムでは、製品クラスと第3の安全基準との間の対応関係に従って、ターゲット製品のクラスに対応するターゲットプリントファイルが第3の安全基準を満たすかどうかを判定する。
【０２０８】
特に、ステップ803で、製品クラスに安全な製品および安全ではない製品のみが含まれる場合、製品クラスと第3の安全基準との間の対応関係に従う3Dプリンティングシステムによる、ターゲットプリントファイルが第3の安全基準を満たすかどうかの判定には、ターゲット製品のクラスが安全な製品の場合、3Dプリンティングシステムによる、ターゲットプリントファイルが第3の安全基準を満たしていることの判定、またはターゲット製品のクラスが安全ではない製品の場合、3Dプリンティングシステムによる、ターゲットプリントファイルが第3の安全基準を満たしていないことの判定が含まれる。
【０２０９】
3Dプリンティングシステムがターゲットプリントファイルが第3の安全基準を満たすと判定する場合、ステップ805が行われる。
【０２１０】
3Dプリンティングシステムがターゲットプリントファイルが第3の安全基準を満たしていないと判定する場合、ステップ806が行われる。
【０２１１】
805：3Dプリンティングシステムはターゲットプリントファイルをプリントする。
【０２１２】
3Dプリンティングシステムが、ターゲットプリントファイルが第3の安全基準を満たすと判定する場合、3Dプリンティングシステムはターゲットプリントファイルをプリントする。
【０２１３】
806：3Dプリンティングシステムは別の動作を行う。
【０２１４】
3Dプリンティングシステムが、ターゲットプリントファイルが第3の安全基準を満たしていないと判定した場合の、3Dプリンティングシステムによる、別の動作の実施には、3Dプリンティングシステムによる、ターゲットプリントファイルのプリンティングのスキップ、または3Dプリンティングデザインシステムによる、ターゲットプリントファイルを処理してからの、ターゲットプリントファイルのプリンティングが含まれるか、あるいは別の動作が含まれる場合があり、それは、後続の実施形態で明確かつ詳細に説明され、この実施形態では、それに制限を設けていない。
【０２１５】
ターゲットプリントファイル、ライセンス要求情報、またはプリンティングライセンスなどの情報が改ざんされ、ターゲットプリントファイルの安全性に関する判定に影響しないようにするため、非対称暗号が3Dプリンティングデザインシステム、プリンティングライセンス付与センター、および3Dプリンティングシステムとの間のデータ伝送で行われる場合がある。
【０２１６】
この実施形態では、3Dプリンティングシステムが、ターゲットプリントファイルが第3の安全基準を満たすかを判定する方法が図7で示される実施形態に基づいて詳説され、ここで、ターゲットプリントファイルの判定後、3Dプリンティングシステムはターゲットプリントファイルに対応するターゲット製品の属性を取得し、ターゲットプリントファイルに対応するターゲット製品のクラスも取得し、次に、製品クラスと第3の安全基準との間の対応関係に従って、ターゲットプリントファイルが第3の安全基準を満たすかどうかを判定し、満たしている場合には、ターゲットプリントファイルをプリントする。この方法によると、3Dプリンティングシステムはターゲットプリントファイルが第3の安全基準を満たすかどうかを判定することができ、それはさらにターゲット製品に規制を実施して、危険性の高い品物の生産を規制するための難しい問題を解決し、社会の安定性や市民個人の安全を確実にする。
【０２１７】
図8で示される実施形態では、一方法が提供されており、ここで、3Dプリンティングシステムが、ターゲットプリントファイルが第3の安全基準を満たすかどうかの判定方法が詳細に説明される。ターゲットプリントファイルの判定後、3Dプリンティングシステムが、ターゲットプリントファイルが第3の安全基準を満たすかどうかを判定し、満たしている場合には、ターゲットプリントファイルをプリントし、満たしていない場合には、別の動作を行う。次の実施形態では、3Dプリンティングシステムが、ターゲットプリントファイルが第3の安全基準を満たしていないと判定する場合に、3Dプリンティングシステムが別の動作を特に行う方法が詳細に説明される。図9を参照すると、本発明の別の実施形態の基本的プロセスには、次が含まれる。
【０２１８】
901：3Dプリンティングシステムはターゲットプリントファイルを取得する。
【０２１９】
902：3Dプリンティングシステムはターゲットプリントファイルに対応するターゲット製品の属性を取得する。
【０２２０】
903：3Dプリンティングシステムは、ターゲット製品の属性に従って、ターゲットプリントファイルに対応するターゲット製品のクラスを取得する。
【０２２１】
904：3Dプリンティングシステムでは、製品クラスと第3の安全基準との間の対応関係に従って、ターゲットプリントファイルが第3の安全基準を満たすかどうかを判定する。
【０２２２】
ステップ901からステップ904はステップ801からステップ804と基本的に同じで、詳細は本明細書では再説明されない。
【０２２３】
ステップ904で、3Dプリンティングシステムが、ターゲットプリントファイルが第3の安全基準を満たすと判定する場合、ステップ907が行われる。
【０２２４】
3Dプリンティングシステムが、ターゲットプリントファイルが第3の安全基準を満たしていないと判定する場合、ステップ905が行われる。
【０２２５】
905：3Dプリンティングシステムは第2のライセンス要求情報をプリンティングライセンス付与センターに送信する。
【０２２６】
3Dプリンティングシステムが、ターゲットプリントファイルが第3の安全基準を満たしていないと判定する場合、3Dプリンティングシステムは第2のライセンス要求情報をプリンティングライセンス付与センターに送信する。
【０２２７】
プリンティングライセンス付与センターはプリンティングライセンス付与センターにより受信された要求情報が特定の安全基準を満たすかどうかを判定するように構成され、満たしている場合には、ファイルに対応するプリンティングライセンスを送出し、ここで、プリンティングライセンスは3Dプリンティングシステムがターゲットプリントファイルに従ってプリンティングの実行が許可されていることを示す。
【０２２８】
完全な3Dプリンティングシステムには、複数のプリンティングライセンス付与センターが含まれる場合がある。3Dプリンティングシステムは、ターゲットプリントファイルに従って対応するプリンティングライセンス付与センターを検索することができる。
【０２２９】
第2のライセンス要求情報はプリンティングライセンスをプリンティングライセンス付与センターに要求するために使用され、ここで、第2のライセンス要求情報には、ターゲットプリントファイル、またはターゲット製品の属性、またはターゲット製品のクラスが含まれる場合、あるいは他の情報の場合があり、本明細書では限定されていない。
【０２３０】
906：3Dプリンティングシステムは、ライセンス付与センターにより送信された第2のプリンティングライセンスを受信したかどうかを判定する。
【０２３１】
3Dプリンティングシステムが第2のライセンス要求情報をプリンティングライセンス付与センターに送信した後、プリンティングライセンス付与センターは第2のライセンス要求情報が第2の安全基準を満たすかどうかを判定し、満たしている場合には、第2のプリンティングライセンスを3Dプリンティングシステムに送信する。3Dプリンティングシステムは、ライセンス付与センターにより送信された第2のプリンティングライセンスを受信したかどうかを判定する。
【０２３２】
3Dプリンティングシステムがライセンス付与センターによって送信された第2のプリンティングライセンスを受信したと判定する場合、それはプリンティングライセンス付与センターが第2のライセンス要求情報は第2の安全基準を満たすと判定したことを示し、ステップ907が行われる。
【０２３３】
3Dプリンティングシステムがライセンス付与センターによって送信された第2のプリンティングライセンスを受信していないと判定する場合、それはプリンティングライセンス付与センターが第2のライセンス要求情報は第2の安全基準を満たしていないと判定したことを示し、ステップ908が行われる。
【０２３４】
907：3Dプリンティングシステムはターゲットプリントファイルをプリントする。
【０２３５】
3Dプリンティングシステムが、ターゲットプリントファイルが第3の安全基準を満たしているか、またはライセンス付与センターにより送信された第2のプリンティングライセンスを受信したと判定した場合、3Dプリンティングシステムはターゲットプリントファイルをプリントする。
【０２３６】
908：3Dプリンティングシステムは別の動作を行う。
【０２３７】
3Dプリンティングシステムが、ターゲットプリントファイルが第3の安全基準を満たしていないか、または3Dプリンティングシステムがライセンス付与センターによって送信された第2のプリンティングライセンスを受信しないと判定した場合の、3Dプリンティングシステムによる、別の動作の実行には、3Dプリンティングシステムによる、ターゲットプリントファイルの3Dプリンティングシステムへのスキップ、または3Dプリンティングおよび製造システムによって、ターゲットプリントファイルを処理してから、ターゲットプリントファイルを3Dプリンティングシステムに送信することが含まれるか、あるいは別の動作が含まれる場合があり、この実施形態では限定されていない。
【０２３８】
ターゲットプリントファイル、ライセンス要求情報、またはプリンティングライセンスなどの情報が改ざんされ、ターゲットプリントファイルの安全性に関する判定に影響しないようにするため、非対称暗号が3Dプリンティングデザインシステム、プリンティングライセンス付与センター、および3Dプリンティングシステムとの間のデータ伝送で行われる場合がある。
【０２３９】
この実施形態では、3Dプリンティングシステムが、ターゲットプリントファイルが第3の安全基準を満たしていない場合に、3Dプリンティングシステムが別の動作を特に行う方法が詳細に説明される。3Dプリンティングシステムが、ターゲットプリントファイルが第3の安全基準を満たしていないと判定する場合、3Dプリンティングシステムは第2のライセンス要求情報をプリンティングライセンス付与センターに送信してから、ライセンス付与センターによって送信される第2のプリンティングライセンスを受信していないかどうかを判定する。3Dプリンティングシステムがライセンス付与センターによって送信された第2のプリンティングライセンスを受信したと判定する場合、それはプリンティングライセンス付与センターが第2のライセンス要求情報は第2の安全基準を満たすと判定したことを示し、3Dプリンティングシステムはターゲットプリントファイルをプリントする。この実施形態で提供されたこの方法によると、ターゲットプリントファイルの安全性に関する3Dプリンティングシステムおよびプリンティングライセンス付与センターによる二次判定が実施される。3Dプリンティングシステムによる別個の安全性判定またはライセンス付与センターによる別個の安全性判定と比較すると、この実施形態の二次判定により3Dプリンティングプロセス全体でターゲットプリントファイルの安全性に関する判定精度が向上し、それはさらにターゲット製品に規制を実施して、危険性の高い品物の生産を規制するための難しい問題を解決し、社会の安定性や市民個人の安全を確実にする。
【０２４０】
図9で示される実施形態では、3Dプリンティングシステムが提供され、ここで、プリンティングライセンス付与センターは受信したファイルの安全性を判定することができる。次の実施形態では、新しい3Dプリンティング方法が図9で示された実施形態に基づき提供され、それは、プリンティングライセンス付与センターによる安全性に関する判定の作業負荷を低減することができる。図10を参照すると、本発明の別の実施形態の基本的プロセスには、次が含まれる。
【０２４１】
1001：3Dプリンティングシステムはライセンス付与センターによって送信された既定のプリンティングライセンスを受信して、既定のプリンティングライセンスを保存する。
【０２４２】
ライセンス付与センターは1つまたは複数の3Dプリンティングシステムによって送信されたライセンス要求を受信する必要があり、したがって、ライセンス付与センターによって受信されるデータの数量は膨大なので、比較的大量のデータの処理によってライセンス付与センターの低効率およびサーバの過度に重い負荷などの多くの問題を引き起こす。したがって、ライセンス付与センターは既定のプリンティングライセンスを3Dプリンティングシステムに送信することができ、ここで、既定のプリンティングライセンスは事前設定カテゴリのターゲットプリントファイルに対応しており、ターゲット製品の属性を有するターゲットプリントファイルに特に対応することができる。例えば、既定のプリンティングライセンスがプラスチックであるターゲット製品の原材料のターゲットプリントファイルのカテゴリに対応している場合、プラスチックであるターゲット製品の原材料のすべてのターゲットプリントファイルのカテゴリは既定のプリンティングライセンスに対応する。別法として、既定のプリンティングライセンスは、そのクラスがターゲット製品のクラスであるターゲットプリントファイルに対応する場合があり、例えば、安全な製品であるターゲット製品のクラスのターゲットプリントファイルに対応する。既定のプリンティングライセンスは別の事前設定カテゴリのターゲットプリントファイルにも対応する場合がある。本明細書では、それに制限を設けていない。
【０２４３】
3Dプリンティングシステムはライセンス付与センターによって送信された既定のプリンティングライセンスを受信して、既定のプリンティングライセンスを保存する。
【０２４４】
1002：3Dプリンティングシステムはターゲットプリントファイルを取得する。
【０２４５】
1003：3Dプリンティングシステムはターゲットプリントファイルに対応するターゲット製品の属性を取得する。
【０２４６】
1004：3Dプリンティングシステムは、ターゲット製品の属性に従って、ターゲットプリントファイルに対応するターゲット製品のクラスを取得する。
【０２４７】
1005：3Dプリンティングシステムでは、製品クラスと第3の安全基準との間の対応関係に従って、ターゲットプリントファイルが第3の安全基準を満たすかどうかを判定する。
【０２４８】
ステップ1002からステップ1005はステップ901からステップ904と基本的に同じで、詳細は本明細書では再説明されない。
【０２４９】
ステップ1005で、3Dプリンティングシステムが、ターゲットプリントファイルが第3の安全基準を満たすと判定する場合、ステップ1009が行われる。
【０２５０】
3Dプリンティングシステムが、ターゲットプリントファイルが第3の安全基準を満たしていないと判定する場合、ステップ1006が行われる。
【０２５１】
1006：3Dプリンティングシステムは、ターゲットプリントファイルに対応する既定のプリンティングライセンスが保存されたかどうかを判定する。
【０２５２】
3Dプリンティングシステムが、ターゲットプリントファイルが第3の安全基準を満たしていないと判定する場合、3Dプリンティングシステムはターゲットプリントファイルに対応する既定のプリンティングライセンスが保存されたかどうかを判定する。
【０２５３】
3Dプリンティングシステムがターゲットプリントファイルに対応する既定のプリンティングライセンスが保存されたと判定する場合、ステップ1009が行われる。
【０２５４】
3Dプリンティングシステムがターゲットプリントファイルに対応する既定のプリンティングライセンスが保存されていないと判定する場合、ステップ1007が行われる。
【０２５５】
1007：3Dプリンティングシステムは第2のライセンス要求情報をプリンティングライセンス付与センターに送信する。
【０２５６】
3Dプリンティングシステムがターゲットプリントファイルが第3の安全基準を満たしていないと判定する場合、3Dプリンティングシステムは第2のライセンス要求情報をプリンティングライセンス付与センターに送信する。
【０２５７】
プリンティングライセンス付与センターはプリンティングライセンス付与センターにより受信された要求情報が特定の安全基準を満たすかどうかを判定するように構成され、満たしている場合には、ファイルに対応するプリンティングライセンスを送出し、ここで、プリンティングライセンスは3Dプリンティングシステムがターゲットプリントファイルに従ってプリンティングの実行が許可されていることを示す。
【０２５８】
第2のライセンス要求情報はプリンティングライセンスをプリンティングライセンス付与センターに要求するために使用され、ここで、第2のライセンス要求情報には、ターゲットプリントファイル、またはターゲット製品の属性、またはターゲット製品のクラスが含まれる場合、あるいは他の情報の場合があり、本明細書では限定されていない。
【０２５９】
1008：3Dプリンティングシステムは、ライセンス付与センターにより送信された第2のプリンティングライセンスを受信したかどうかを判定する。
【０２６０】
3Dプリンティングシステムが第2のライセンス要求情報をプリンティングライセンス付与センターに送信した後、プリンティングライセンス付与センターは第2のライセンス要求情報が第2の安全基準を満たすかどうかを判定し、満たしている場合には、第2のプリンティングライセンスを3Dプリンティングシステムに送信する。3Dプリンティングシステムは、ライセンス付与センターにより送信された第2のプリンティングライセンスを受信したかどうかを判定する。
【０２６１】
3Dプリンティングシステムがライセンス付与センターによって送信された第2のプリンティングライセンスを受信したと判定する場合、それはプリンティングライセンス付与センターが第2のライセンス要求情報は第2の安全基準を満たすと判定したことを示し、ステップ1009が行われる。
【０２６２】
3Dプリンティングシステムがライセンス付与センターによって送信された第2のプリンティングライセンスを受信していないと判定する場合、それはプリンティングライセンス付与センターが第2のライセンス要求情報は第2の安全基準を満たしていないと判定したことを示し、ステップ1010が行われる。
【０２６３】
1009：3Dプリンティングシステムはターゲットプリントファイルをプリントする。
【０２６４】
3Dプリンティングシステムが、ターゲットプリントファイルが第3の安全基準を満たすと判定するか、またはターゲットプリントファイルに対応する既定のプリンティングライセンスが保存されていると判定するか、またはライセンス付与センターによって送信された第2のプリンティングライセンスを受信したと判定する場合、3Dプリンティングシステムはターゲットプリントファイルをプリントする。
【０２６５】
1010：3Dプリンティングシステムは別の動作を行う。
【０２６６】
3Dプリンティングシステムが、ターゲットプリントファイルが第3の安全基準を満たしていないと判定し、ターゲットプリントファイルに対応する既定のプリンティングライセンスが保存されていないと判定し、ライセンス付与センターによって送信された第2のプリンティングライセンスを受信していないと判定した場合の、3Dプリンティングシステムによる、別の動作の実行には、3Dプリンティングデザインシステムによる、ターゲットプリントファイルの3Dプリンティングシステムへのスキップ、またはDプリンティングデザインシステムによって、ターゲットプリントファイルを処理してから、ターゲットプリントファイルを3Dプリンティングシステムに送信することが含まれるか、あるいは別の動作が含まれる場合があり、この実施形態では限定されていない。
【０２６７】
ステップ1001はステップ1002からステップ1005のいずれか1つの後に行うことも可能であり、ステップ1001がステップ1006の前に行われる限り、この実施形態では限定されていない。
【０２６８】
ターゲットプリントファイル、ライセンス要求情報、またはプリンティングライセンスなどの情報が改ざんされ、ターゲットプリントファイルの安全性に関する判定に影響しないようにするため、非対称暗号が3Dプリンティングデザインシステム、プリンティングライセンス付与センター、および3Dプリンティングシステムとの間のデータ伝送で行われる場合がある。
【０２６９】
図10で示される実施形態では、3Dプリンティング方法が提供され、その結果、3Dプリンティングシステムは既定のプリンティングライセンスに従ってターゲットプリントファイルの安全性を判定することができる。3Dプリンティングシステムが、ターゲットプリントファイルが第3の安全基準を満たしていないと判定する場合、3Dプリンティングシステムはターゲットプリントファイルに対応する既定のプリンティングライセンスを保存するかどうかを判定し、保存する場合には、3Dプリンティングシステムはターゲットプリントファイルをプリントする。この方法によると、ターゲットプリントファイルの安全性に関する3Dプリンティングシステムおよびプリンティングライセンス付与センターによる判定が実施され、それはさらにターゲット製品に規制を実施して、危険性の高い品物の生産を規制するための難しい問題を解決し、社会の安定性や市民個人の安全を確実にする。加えて、第2のライセンス要求情報をプリンティングライセンス付与センターに送信する前に、3Dプリンティングシステムはターゲットプリントファイルに対応する既定のプリンティングライセンスが保存されているかどうかを判定して、保存されている場合には、ターゲットプリントファイルを直接プリントし、その結果、一部の安全性判定動作は3Dプリンティングシステムで完了することができ、それによって、プリンティングライセンス付与センターによって受信されるライセンス要求の数量およびプリンティングライセンス付与センターによる安全性判定動作の数量が減り、プリンティングライセンス付与センターの負荷が軽減され、ターゲットプリントファイルの安全性に関する判定の効率が向上する。
【０２７０】
図10で示される実施形態では、一方法が提供されており、ここで、当該方法はターゲットプリントファイルの安全性に関する判定の効率を向上させることができる。次の実施形態では、別の3Dプリンティング方法が提供され、その結果、ターゲットプリントファイルの安全性に関する判定精度が向上する。図11を参照すると、本発明で提供された別の実施形態の基本的プロセスには、次が含まれる。
【０２７１】
1101：3Dプリンティングシステムはライセンス付与センターによって送信された既定のプリンティングライセンスを受信して、既定のプリンティングライセンスを保存する。
【０２７２】
1102：3Dプリンティングシステムはターゲットプリントファイルを取得する。
【０２７３】
1103：3Dプリンティングシステムはターゲットプリントファイルに対応するターゲット製品の属性を取得する。
【０２７４】
1104：3Dプリンティングシステムは、ターゲット製品の属性に従って、ターゲットプリントファイルに対応するターゲット製品のクラスを取得する。
【０２７５】
1105：3Dプリンティングシステムでは、製品クラスと第3の安全基準との間の対応関係に従って、ターゲットプリントファイルが第3の安全基準を満たすかどうかを判定する。
【０２７６】
ステップ1101からステップ1105はステップ1001からステップ1005と基本的に同じで、詳細は本明細書では再説明されない。
【０２７７】
ステップ1105で、3Dプリンティングシステムが、ターゲットプリントファイルが第3の安全基準を満たすと判定する場合、ステップ1109が行われる。
【０２７８】
3Dプリンティングシステムがターゲットプリントファイルが第3の安全基準を満たしていないと判定する場合、ステップ1106が行われる。
【０２７９】
1106：3Dプリンティングシステムは、ターゲットプリントファイルに対応する既定のプリンティングライセンスが保存されたかどうかを判定する。
【０２８０】
3Dプリンティングシステムが、ターゲットプリントファイルが第3の安全基準を満たしていないと判定する場合、3Dプリンティングシステムはターゲットプリントファイルに対応する既定のプリンティングライセンスが保存されたかどうかを判定する。
【０２８１】
3Dプリンティングシステムがターゲットプリントファイルに対応する既定のプリンティングライセンスが保存されたと判定する場合、ステップ1109が行われる。
【０２８２】
3Dプリンティングシステムがターゲットプリントファイルに対応する既定のプリンティングライセンスが保存されていないと判定する場合、ステップ1107が行われる。
【０２８３】
1107：3Dプリンティングシステムは第2のライセンス要求情報をプリンティングライセンス付与センターに送信する。
【０２８４】
1108：3Dプリンティングシステムは、ライセンス付与センターにより送信された第2のプリンティングライセンスを受信したかどうかを判定する。
【０２８５】
ステップ1107とステップ1108はステップ1007とステップ1008と基本的に同じで、詳細は本明細書では再説明されない。
【０２８６】
3Dプリンティングシステムがライセンス付与センターによって送信された第2のプリンティングライセンスを受信したと判定する場合、それはプリンティングライセンス付与センターが第2のライセンス要求情報は第2の安全基準を満たすと判定したことを示し、ステップ1109が行われる。
【０２８７】
3Dプリンティングシステムがライセンス付与センターによって送信された第2のプリンティングライセンスを受信していないと判定する場合、それはプリンティングライセンス付与センターが第2のライセンス要求情報は第2の安全基準を満たしていないと判定したことを示し、ステップ1110が行われる。
【０２８８】
1109：3Dプリンティングシステムはターゲットプリントファイルをプリントする。
【０２８９】
1110：3Dプリンティングシステムは別の動作を行う。
【０２９０】
ステップ1109とステップ1110はステップ1009とステップ1010と基本的に同じで、詳細は本明細書では再説明されない。
【０２９１】
1111：3Dプリンティングシステムはターゲットサーバアドレスをプリンティングライセンス付与センターから取得する。
【０２９２】
3Dプリンティングシステムは、製品クラスと第3の安全基準との間の対応関係を取得し、対応関係に従って、ターゲットプリントファイルが第3の安全基準を満たすかどうかを判定する。ただし、実際の適用例では、製品クラスと第3の安全基準間の対応関係は、政府の方針または科学的および技術的進歩などの理由により変更される場合がある。例えば、製品クラスと第3の安全基準との間の元々の対応関係に従うと、ナイフの特定のタイプは第3の安全基準を満たすが、製品クラスと第3の安全基準との間の更新された対応関係に従うと、ナイフというタイプは第3の安全基準を満たす。製品クラスと第3の安全基準との間の対応関係が変化するが、3Dプリンティングシステムが対応関係を更新していない場合、更新されていない対応関係に従う3Dプリンティングシステムによる判定結果は正確ではない。したがって、3Dプリンティングシステムは製品クラスと第3の安全基準との間の対応関係を常時更新する必要がある。
【０２９３】
この実施形態では、製品クラスと第3の安全基準との間の最新の対応関係がターゲットサーバに保存され、3Dプリンティングシステムはターゲットサーバアドレスをプリンティングライセンス付与センターから取得し、ここで、ターゲットサーバアドレスはターゲットサーバのアドレスである。
【０２９４】
1112：3Dプリンティングシステムはターゲットサーバアドレスにアクセスして、ターゲットサーバから更新ファイルをダウンロードする。
【０２９５】
ターゲットサーバアドレスをプリンティングライセンス付与センターから取得した後、3Dプリンティングシステムはターゲットサーバアドレスにアクセスしてターゲットサーバから更新ファイルをダウンロードし、ここで、更新ファイルは製品クラスと第3の安全基準との間の対応関係を更新するために使用される。
【０２９６】
1113：3Dプリンティングシステムは更新ファイルに従い製品クラスと第3の安全基準との間の対応関係を更新する。
【０２９７】
ターゲットサーバから更新ファイルをダウンロードした後、3Dプリンティングシステムは更新ファイルに従い製品クラスと第3の安全基準との間の対応関係を更新する。
【０２９８】
ステップ1101はステップ1102からステップ1105のいずれか1つの後に行うことも可能であり、ステップ1101がステップ1106の前に行われる限り、この実施形態では限定されていない。
【０２９９】
ステップ1111からステップ1113は、ステップ1101からステップ1110のいずれか1つの前に行うこともでき、この実施形態では限定されていない。
【０３００】
ステップ1111からステップ1113は、事前設定の時間の長さ毎に一度行うこともでき、この実施形態では限定されていない。
【０３０１】
ターゲットプリントファイル、ライセンス要求情報、またはプリンティングライセンスなどの情報が改ざんされ、ターゲットプリントファイルの安全性に関する判定に影響しないようにするため、非対称暗号が3Dプリンティングデザインシステム、プリンティングライセンス付与センター、および3Dプリンティングシステムとの間のデータ伝送で行われる場合がある。
【０３０２】
この実施形態では、3Dプリンティング方法が提供されており、ここで、3Dプリンティングシステムは製品クラスと第3の安全基準との間の対応関係に従ってターゲットプリントファイルの安全性を判定し、製品クラスと第3の安全基準との間の対応関係を常時更新する。この方法によると、ターゲットプリントファイルの安全性に関する3Dプリンティングシステムおよびプリンティングライセンス付与センターによる二次判定が実施され、それはさらにターゲット製品に規制を実施して、危険性の高い品物の生産を規制するための難しい問題を解決し、社会の安定性や市民個人の安全を確実にする。加えて、3Dプリンティングシステムは製品クラスと第3の安全基準との間の対応関係を常時更新し、その結果、3Dプリンティングシステムによって取得される、製品クラスと第3の安全基準との間の対応関係はより優れたリアルタイム性能を有し、製品クラスと第3の安全基準との間の対応関係に従うターゲットプリントファイルの安全性に関する判定はより正確で信頼できる。
【０３０３】
上述の実施形態を理解しやすくするために、一例として上述の実施形態の特定の適用シナリオを使用した説明が以下で提供される。
【０３０４】
3Dプリンティングシステムはライセンス付与センターから既定のプリンティングライセンスを受信して、既定のプリンティングライセンスを保存する。既定のプリンティングライセンスの内容は、その目的が警察による使用の銃は既定のプリンティングライセンスを満たすが、その目的が軍事使用の銃は既定のプリンティングライセンスを満たさない。
【０３０５】
ユーザは3Dプリンティングデザインシステムを使用して小型の銃のプリントファイルをデザインする。3Dプリンティングシステムはプリントファイルを3Dプリンティングデザインシステムから取得してから、プリントファイルのターゲット製品の属性を取得し、ここで、属性には、デザインされた製品が銃で、銃の口径が5．8ミリメートルで、銃は軍事目的で使用されることが含まれる。属性からプリントファイルでデザインされた製品が銃であることを知ることができ、銃は害を及ぼすので、3Dプリンティングシステムはプリントファイルのターゲット製品のクラスが安全ではない製品と判定し、プリントファイルが第3の安全基準を満たさないと判定する。したがって、3Dプリンティングシステムは、プリントファイルに対応する既定のプリンティングライセンスが保存されたかどうかを判定する。3Dプリンティングシステムに保存されている既定のプリンティングライセンスは警察による使用の目的のみを許可し、軍事使用の目的を許容しないので、3Dプリンティングシステムはプリントファイルに対応する既定のプリンティングライセンスを保存していないと判定する。したがって、3Dプリンティングシステムは第2のライセンス要求をプリンティングライセンス付与センターに送信し、ここで、第2のライセンス要求情報の内容はプリントファイルのターゲット製品の属性である。
【０３０６】
安全性の判定後、プリンティングライセンス付与センターは小型の銃が製造可能であることを考慮し、したがって、プリンティングライセンス付与センターは第3のプリンティングライセンスを3Dプリンティングデザインシステムに送信する。第3のプリンティングライセンスの受信後、3Dプリンティングシステムはプリントファイルをプリントし、ここで、取得されたターゲット製品は小型の銃である。
【０３０７】
事前設定の時間の長さ毎に3Dプリンティングシステムはライセンス付与センターからターゲットサーバアドレスを取得し、ターゲットサーバアドレスにアクセスして、ターゲットサーバから更新ファイルをダウンロードし、更新ファイルに従って製品クラスと第3の安全基準との間の対応関係を更新する。
【０３０８】
図7から図11で示される実施形態では、複数の3Dプリンティングデザイン方法が提供されており、ここで、3Dプリンティングシステムの観点からターゲット製品に規制が実施される。次の実施形態では、3Dプリンティングライセンス付与方法が提供されており、ここで、プリンティングライセンス付与センターの観点からターゲット製品に規制が実施される。図12を参照すると、本発明のこの実施形態で提供される3Dプリンティングライセンス付与方法の基本的プロセスには、次が含まれる。
【０３０９】
1201：プリンティングライセンス付与センターは3Dプリンティングデザインシステムにより送信された第1のライセンス要求情報を受信する。
【０３１０】
図3から図5のいずれかの図で示される実施形態では、3Dプリンティングデザインシステムが、ターゲットプリントファイルが第1の安全基準を満たしていないと判定する場合、3Dプリンティングデザインシステムは第1のライセンス要求情報をプリンティングライセンス付与センターに送信する。第1のライセンス要求情報はプリンティングライセンスをプリンティングライセンス付与センターに要求するために使用され、ここで、第1のライセンス要求情報には、ターゲットプリントファイル、またはターゲット製品の属性、またはターゲット製品のクラスが含まれる場合、あるいは他の情報の場合がある。
【０３１１】
したがって、この実施形態では、プリンティングライセンス付与センターは3Dプリンティングデザインシステムにより送信された第1のライセンス要求情報を受信する。
【０３１２】
1202：プリンティングライセンス付与センターは第1のライセンス要求情報が第2の安全基準を満たすかどうかを判定する。
【０３１３】
3Dプリンティングデザインシステムにより送信された第1のライセンス要求情報の受信後、プリンティングライセンス付与センターは第1のライセンス要求情報が第2の安全基準を満たすかどうかを判定する。
【０３１４】
1203：プリンティングライセンス付与センターが第1のライセンス要求情報が第2の安全基準を満たすと判定する場合、プリンティングライセンス付与センターは第1のプリンティングライセンスを3Dプリンティングデザインシステムに送信する。
【０３１５】
プリンティングライセンス付与センターが第1のライセンス要求情報が第2の安全基準を満たすと判定する場合、プリンティングライセンス付与センターは3Dプリンティングデザインシステムによってデザインされたターゲットプリントファイルは比較的安全であると考慮し、ターゲットプリントファイルのプリンティングを許可することができる。したがって、プリンティングライセンス付与センターは第1のプリンティングライセンスを3Dプリンティングデザインシステムに送信する。第1のプリンティングライセンスは、3Dプリンティングデザインシステムが第1のライセンス要求情報に対応するターゲットプリントファイルを3Dプリンティングシステムに送信できるようにするために使用される。
【０３１６】
プリンティングライセンス付与センターが第1のライセンス要求情報が第2の安全基準を満たしていない判定する場合、プリンティングライセンス付与センターは第1のプリンティングライセンスを3Dプリンティングデザインシステムに送信しないか、または別の動作が行われる場合があり、この実施形態では限定されていない。
【０３１７】
プリンティングライセンス付与センターは、第1のライセンス要求情報に対応するターゲット製品の属性、ターゲット製品のクラス、または第1のライセンス要求情報を送信する3Dプリンティングデザインシステムの安全レベルに従い、第1のライセンス要求情報が第2の安全基準を満たしているかどうかを判定するか、または別の方法で、第1のライセンス要求情報が第2の安全基準を満たすかどうかを判定する場合があり、この実施形態では限定されていない。安全レベルは3Dプリンティングデザインシステムの安全性を示すために使用される。より高い安全レベルを有する3Dプリンティングデザインシステムによって送信された要求情報は、第2の安全基準を満たすので、プリンティングライセンス付与センターではより容易に考慮される。
【０３１８】
ターゲットプリントファイル、ライセンス要求情報、またはプリンティングライセンスなどの情報が改ざんされ、ターゲットプリントファイルの安全性に関する判定に影響しないようにするため、非対称暗号が3Dプリンティングデザインシステムとプリンティングライセンス付与センターとの間のデータ伝送で行われる場合がある。
【０３１９】
この実施形態では、3Dプリンティングライセンス付与方法が提供されており、ここで、プリンティングライセンス付与センターの観点からターゲット製品に規制が実施される。プリンティングライセンス付与センターは3Dプリンティングデザインシステムによって送信された第1のライセンス要求情報を受信し、第1のライセンス要求情報が第2の安全基準を満たすかどうかを判定し、満たしている場合には、第1のプリンティングライセンスを3Dプリンティングデザインシステムに送信する。この方法によると、ターゲットプリントファイルの安全性に関するプリンティングライセンス付与センターによる判定が実施され、それはさらにターゲット製品に規制を実施して、危険性の高い品物の生産を規制するための難しい問題を解決し、社会の安定性や市民個人の安全を確実にする。
【０３２０】
図12で示される実施形態では、3Dプリンティングライセンス付与方法の基本的プロセスが提供され、ここで、当該方法では、第1のライセンス要求情報が第2の安全基準を満たすかどうかの判定により、プリントファイルの安全性に関するプリンティングライセンス付与センターによる判定が実施される。次の実施形態では、新しい3Dプリンティングデザイン方法が提供され、それは、プリントファイルの安全性に関する規制をさらに強化することができる。図13を参照すると、本発明の別の実施形態の基本的プロセスには、次が含まれる。
【０３２１】
1301：プリンティングライセンス付与センターは3Dプリンティングデザインシステムにより送信された第1のライセンス要求情報を受信する。
【０３２２】
ステップ1301はステップ1201と基本的に同じで、詳細は本明細書では再説明されない。
【０３２３】
1302：プリンティングライセンス付与センターは第1のライセンス要求情報に従いライセンス要求クラスを取得する。
【０３２４】
3Dプリンティングデザインシステムにより送信された第1のライセンス要求情報の受信後、プリンティングライセンス付与センターは第1のライセンス要求情報に従いライセンス要求クラスを取得する。ライセンス要求クラスはライセンス要求情報の分類を示すために使用される。ライセンス要求情報の分類方法は多くある可能性がある。例えば、分類は目的に従って、商用使用のクラス、民生使用のクラス、または軍事使用のクラスを取得するために行われたり、あるいは分類はターゲット製品の原材料に従って、金属クラスまたは非金属クラスを取得するために行われたり、あるいは分類は別の方法で行われる。特に、ライセンス要求クラスが分類のターゲット製品のクラスと同じまたは異なる場合もあり、本明細書では限定されていない。
【０３２５】
1303：プリンティングライセンス付与センターはライセンス要求クラスに対応するライセンス要求情報に対する処理の回数の数量を取得する。
【０３２６】
1つのプリンティングライセンス付与センターは、1つまたは複数の3Dプリンティングデザインシステムまたは3Dプリンティングシステムによって送信された様々なライセンス要求情報を処理する必要がある。プリンティングライセンス付与センターはライセンス要求情報を受信し、要求情報が第2の安全基準を満たすかどうかを判定する。ただし、第2の安全基準のコンセプトには非常に柔軟性がある。例えば、規制されたナイフなど害のより少ないターゲット製品の特定のクラスの場合、政府はクラスのターゲット製品の比較的少量が市場に出回ることを許可するが、クラスのターゲット製品の比較的多くの数量が市場に出回ることを許可しない。したがって、ライセンス要求クラスの取得後、プリンティングライセンス付与センターはライセンス要求クラスに対応するライセンス要求情報に対する処理の回数の数量を取得する。
【０３２７】
プリンティングライセンス付与センターがライセンス要求クラスに対応するライセンス要求情報に対する処理の回数の数量を取得する方法は多くあり、プリンティングライセンス付与センターによる、様々なクラスの処理されたライセンス要求情報のカウンティング、すなわち、ライセンス要求情報が処理されるたびに1がライセンス要求情報に対応するライセンス要求クラスのカウント値を追加すること、およびカウント結果をメモリに保存すること、並びに必要に応じて、メモリからライセンス要求クラスに対応するライセンス要求情報に対する処理の回数の数量を取得することが含まれる。プリンティングライセンス付与センターは、別の方法を使用することによって、ライセンス要求クラスに対応するライセンス要求情報に対する処理の回数の数量を取得することもできる。この明細書では、制限を設けていない。
【０３２８】
1304：プリンティングライセンス付与センターは、ライセンス要求クラスに対応するライセンス要求情報に対する処理の回数の数量が回数の事前設定数量に達したかどうかを判定する。
【０３２９】
市場に出回るターゲット製品の特定のクラスを比較的少量にのみ制限するには、この実施形態では、回数の事前設定数量がプリンティングライセンス付与センターで設定される。ライセンス要求クラスに対応するライセンス要求情報に対する処理の回数の数量を取得した後、プリンティングライセンス付与センターは、取得した回数の数量が回数の事前設定数量に達したかどうかを判定する。
【０３３０】
プリンティングライセンス付与センターによって処理されるライセンス要求情報には複数のクラスがあり、それに対応して、回数の事前設定数量は必ずしも一定ではない。その対応するターゲット製品が銃または弾薬などのライセンス要求情報など、比較的危険なクラスのライセンス要求情報の場合、ライセンス要求情報に対応する回数の事前設定数量は比較的少量である必要があり、日用品に対応するライセンス要求情報など、比較的安全なクラスのライセンス要求情報の場合、ライセンス要求情報に対応する回数の事前設定数量は比較的大量である必要がある。特に、それは次の通り実施することができ、すなわち、ライセンス要求情報のすべてのクラスが回数の同じ事前設定数量に対応するか、またはライセンス要求情報の複数のクラスが回数の同じ事前設定数量に対応するか、またはライセンス要求情報のすべてのクラスがそれぞれ、回数の異なる事前設定数量に対応する。ライセンス要求情報の様々なクラスと回数の事前設定数量間の関係も別の形で実施することができ、本明細書では詳細は説明されていない。
【０３３１】
プリンティングライセンス付与センターがライセンス要求クラスに対応するライセンス要求情報に対する処理の回数の数量が回数の事前設定数量に達したと判定する場合、ステップ1305が行われる。
【０３３２】
プリンティングライセンス付与センターがライセンス要求クラスに対応するライセンス要求情報に対する処理の回数の数量が回数の事前設定数量に達していないと判定する場合、ステップ1306が行われる。
【０３３３】
1305：プリンティングライセンス付与センターは3Dプリンティングデザインシステムへの第1のプリンティングライセンスの送信をスキップする。
【０３３４】
プリンティングライセンス付与センターがライセンス要求クラスに対応するライセンス要求情報に対する処理の回数の数量が回数の事前設定数量に達したと判定した場合、それは、プリンティングライセンス付与センターがクラスのライセンス要求に対して比較的大きな数量のライセンスおよび許可を送出したことを示している。ライセンス要求クラスに対応するより多くのターゲット製品が製造されないようにするには、プリンティングライセンス付与センターが第1のプリンティングライセンスを3Dプリンティングデザインシステムに送信しないようにする。
【０３３５】
1306：プリンティングライセンス付与センターは第1のライセンス要求情報が第2の安全基準を満たすかどうかを判定する。
【０３３６】
プリンティングライセンス付与センターがライセンス要求クラスに対応するライセンス要求情報に対する処理の回数の数量が回数の事前設定数量に達していないと判定した場合、プリンティングライセンス付与センターは第1のライセンス要求情報が第2の安全基準を満たしているかどうかを判定する。
【０３３７】
プリンティングライセンス付与センターが第1のライセンス要求情報が第2の安全基準を満たすと判定した場合、ステップ1307が行われる。
【０３３８】
プリンティングライセンス付与センターが第1のライセンス要求情報が第2の安全基準を満たしていない判定した場合、ステップ1308が行われる。
【０３３９】
1307：プリンティングライセンス付与センターは3Dプリンティングデザインシステムに第1のプリンティングライセンスを送信する。
【０３４０】
プリンティングライセンス付与センターが第1のライセンス要求情報が第2の安全基準を満たすと判定する場合、プリンティングライセンス付与センターは3Dプリンティングデザインシステムによってデザインされたターゲットプリントファイルは比較的安全であると考慮し、ターゲットプリントファイルのプリンティングを許可することができる。したがって、プリンティングライセンス付与センターは第1のプリンティングライセンスを3Dプリンティングデザインシステムに送信する。第1のプリンティングライセンスは、3Dプリンティングデザインシステムが第1のライセンス要求情報に対応するターゲットプリントファイルを3Dプリンティングシステムに送信できるようにするために使用される。
【０３４１】
1308：プリンティングライセンス付与センターは別の動作を行う。
【０３４２】
プリンティングライセンス付与センターが第1のライセンス要求情報が第2の安全基準を満たしていない判定する場合の、プリンティングライセンス付与センターによる別の動作の実行には、プリンティングライセンス付与センターによる第1のプリンティングライセンスの3Dプリンティングデザインシステムへの送信のスキップが含まれ、または別の動作が行われる場合があり、この実施形態では限定されていない。
【０３４３】
ターゲットプリントファイル、ライセンス要求情報、またはプリンティングライセンスなどの情報が改ざんされ、ターゲットプリントファイルの安全性に関する判定に影響しないようにするため、非対称暗号が3Dプリンティングデザインシステム、プリンティングライセンス付与センター、および3Dプリンティングシステムとの間のデータ伝送で行われる場合がある。
【０３４４】
プリンティングライセンス付与センターは、第1のライセンス要求情報に対応するターゲット製品の属性、ターゲット製品のクラス、または第1のライセンス要求情報を送信する3Dプリンティングデザインシステムの安全レベルに従い、第1のライセンス要求情報が第2の安全基準を満たしているかどうかを判定するか、または別の方法で、第1のライセンス要求情報が第2の安全基準を満たすかどうかを判定する場合があり、この実施形態では限定されていない。安全レベルは3Dプリンティングデザインシステムの安全性を示すために使用される。より高い安全レベルを有する3Dプリンティングデザインシステムによって送信された要求情報は、第2の安全基準を満たすので、プリンティングライセンス付与センターではより容易に考慮される。
【０３４５】
この実施形態では、3Dプリンティングライセンス付与方法が提供されており、ここで、プリンティングライセンス付与センターの観点からターゲット製品に規制が実施される。プリンティングライセンス付与センターは3Dプリンティングデザインシステムによって送信された第1のライセンス要求情報を受信し、第1のライセンス要求情報が第2の安全基準を満たすかどうかを判定し、満たしている場合には、第1のプリンティングライセンスを3Dプリンティングデザインシステムに送信する。この方法によると、ターゲットプリントファイルの安全性に関するプリンティングライセンス付与センターによる判定が実施され、それはさらにターゲット製品に規制を実施して、危険性の高い品物の生産を規制するための難しい問題を解決し、社会の安定性や市民個人の安全を確実にする。加えて、プリンティングライセンス付与センターはライセンス要求クラスに対応するライセンス要求情報に対する処理の回数の数量が回数の事前設定数量に達したかどうかを判定し、達している場合には、第1のプリンティングライセンスの3Dプリンティングデザインシステムへの送信をスキップし、その結果、プリンティングライセンス付与センターは回数の事前設定数量内のライセンス要求を許可し、それはターゲット製品の生産数量の制御を実施するので、プリントファイルの安全性に関する規制をさらに強化する。
【０３４６】
上述の実施形態を理解しやすくするために、一例として上述の実施形態の特定の適用シナリオを使用した説明が以下で提供される。
【０３４７】
プリンティングライセンス付与センターは3Dプリンティングデザインシステムによって送信された第1のライセンス要求情報を受信し、ここで、第1のライセンス要求情報はプリントファイルのターゲット製品の属性で、そしてプリントファイルのターゲット製品は小型の銃で、ターゲット属性には、ターゲット製品が銃で、銃の口径が5．8ミリメートルで、銃は軍事目的で使用されることが含まれる。
【０３４８】
第1のライセンス要求情報の受信後、プリンティングライセンス付与センターは第1のライセンス要求情報に従ってライセンス要求クラスを取得し、ライセンス要求クラスが銃クラスであることを取得する。プリンティングライセンス付与センターは全部で345回、銃クラスのライセンス要求情報を処理し、それは500回の回数の事前設定数量に達しておらず、したがって、プリンティングライセンス付与センターは第1のライセンス要求情報が第2の安全基準を満たすかどうかを判定する。プリンティングライセンス付与センターの判定基準は、第1のライセンス要求情報に含まれる銃の口径が6ミリメートル未満の場合には、第1のライセンス要求情報は第2の安全基準を満たしていると考慮する。したがって、プリンティングライセンス付与センターは第1のライセンス要求情報が第2の安全基準を満たすと考慮し、プリントファイルをプリントすることができる。したがって、プリンティングライセンス付与センターは第1のプリンティングライセンスを3Dプリンティングデザインシステムに送信する。
【０３４９】
図12から図13で示される実施形態では、様々な3Dプリンティングライセンス方法が提供され、ここで、プリンティングライセンス付与センターが第1のライセンス要求情報が第2の安全基準を満たすと判定する場合、プリンティングライセンス付与センターは第1のプリンティングライセンスを3Dプリンティングデザインシステムに送信する。次の実施形態では、別の3Dプリンティングライセンス方法が提供され、ここで、プリンティングライセンス付与センターが第1のライセンス要求情報が第2の安全基準を満たすと判定する場合、プリンティングライセンス付与センターは第2のプリンティングライセンスを3Dプリンティングシステムに送信する。図14を参照すると、本発明の別の実施形態の基本的プロセスには、次が含まれる。
【０３５０】
1401：プリンティングライセンス付与センターは3Dプリンティングデザインシステムにより送信された第1のライセンス要求情報を受信する。
【０３５１】
図3から図5のいずれかの図で示される実施形態では、3Dプリンティングデザインシステムがターゲットプリントファイルが第1の安全基準を満たしていないと判定する場合、3Dプリンティングデザインシステムは第1のライセンス要求情報をプリンティングライセンス付与センターに送信する。第1のライセンス要求情報はプリンティングライセンスをプリンティングライセンス付与センターに要求するために使用され、ここで、第1のライセンス要求情報には、ターゲットプリントファイル、またはターゲット製品の属性、またはターゲット製品のクラスが含まれる場合、あるいは他の情報の場合がある。
【０３５２】
したがって、この実施形態では、プリンティングライセンス付与センターは3Dプリンティングデザインシステムにより送信された第1のライセンス要求情報を受信する。
【０３５３】
1402：プリンティングライセンス付与センターは第1のライセンス要求情報が第2の安全基準を満たすかどうかを判定する。
【０３５４】
3Dプリンティングデザインシステムにより送信された第1のライセンス要求情報の受信後、プリンティングライセンス付与センターは第1のライセンス要求情報が第2の安全基準を満たすかどうかを判定する。
【０３５５】
1403：プリンティングライセンス付与センターが第1のライセンス要求情報が第2の安全基準を満たすと判定する場合、プリンティングライセンス付与センターは第2のプリンティングライセンスを3Dプリンティングシステムに送信する。
【０３５６】
プリンティングライセンス付与センターが第1のライセンス要求情報が第2の安全基準を満たすと判定する場合、プリンティングライセンス付与センターは3Dプリンティングデザインシステムによってデザインされたターゲットプリントファイルは比較的安全であると考慮し、ターゲットプリントファイルのプリンティングを許可することができる。したがって、プリンティングライセンス付与センターは第2のプリンティングライセンスを3Dプリンティングシステムに送信する。第2のプリンティングライセンスは、3Dプリンティングシステムが第1のライセンス要求情報に対応するターゲットプリントファイルをプリントするために使用される。
【０３５７】
プリンティングライセンス付与センターが第1のライセンス要求情報が第2の安全基準を満たしていない判定する場合、プリンティングライセンス付与センターは第2のプリンティングライセンスを3Dプリンティングシステムに送信しないか、または別の動作が行われる場合があり、この実施形態では限定されていない。
【０３５８】
ターゲットプリントファイル、ライセンス要求情報、またはプリンティングライセンスなどの情報が改ざんされ、ターゲットプリントファイルの安全性に関する判定に影響しないようにするため、非対称暗号が3Dプリンティングデザインシステム、プリンティングライセンス付与センター、および3Dプリンティングシステムとの間のデータ伝送で行われる場合がある。
【０３５９】
プリンティングライセンス付与センターは、第1のライセンス要求情報に対応するターゲット製品の属性、ターゲット製品のクラス、または第1のライセンス要求情報を送信する3Dプリンティングデザインシステムの安全レベルに従い、第1のライセンス要求情報が第2の安全基準を満たしているかどうかを判定するか、または別の方法で、第1のライセンス要求情報が第2の安全基準を満たすかどうかを判定する場合があり、この実施形態では限定されていない。安全レベルは3Dプリンティングデザインシステムの安全性を示すために使用される。より高い安全レベルを有する3Dプリンティングデザインシステムによって送信された要求情報は、第2の安全基準を満たすので、プリンティングライセンス付与センターではより容易に考慮される。
【０３６０】
この実施形態では、3Dプリンティングライセンス付与方法が提供されており、ここで、プリンティングライセンス付与センターの観点からターゲット製品に規制が実施される。プリンティングライセンス付与センターは3Dプリンティングデザインシステムによって送信された第1のライセンス要求情報を受信し、第1のライセンス要求情報が第2の安全基準を満たすかどうかを判定し、満たしている場合には、第2のプリンティングライセンスを3Dプリンティングシステムに送信する。この方法によると、ターゲットプリントファイルの安全性に関するプリンティングライセンス付与センターによる判定が実施され、それはさらにターゲット製品に規制を実施して、危険性の高い品物の生産を規制するための難しい問題を解決し、社会の安定性や市民個人の安全を確実にする。
【０３６１】
上述の実施形態を理解しやすくするために、一例として上述の実施形態の特定の適用シナリオを使用した説明が以下で提供される。
【０３６２】
プリンティングライセンス付与センターは3Dプリンティングデザインシステムによって送信された第1のライセンス要求情報を受信し、ここで、第1のライセンス要求情報はプリントファイルのターゲット製品の属性で、そしてプリントファイルのターゲット製品は小型の銃で、ターゲット属性には、ターゲット製品が銃で、銃の口径が5．8ミリメートルで、銃は軍事目的で使用されることが含まれる。
【０３６３】
第1のライセンス要求情報の受信後、プリンティングライセンス付与センターは第1のライセンス要求情報が第2の安全基準を満たすかどうかを判定する。プリンティングライセンス付与センターの判定基準は、第1のライセンス要求情報に含まれる銃の口径が6ミリメートル未満の場合には、第1のライセンス要求情報は第2の安全基準を満たしていると考慮する。したがって、プリンティングライセンス付与センターは第1のライセンス要求情報が第2の安全基準を満たすと考慮し、プリントファイルをプリントすることができる。したがって、プリンティングライセンス付与センターは第2のプリンティングライセンスを3Dプリンティングシステムに送信する。
【０３６４】
図12から図14で示される実施形態のすべてでは、ライセンス付与センターは3Dプリンティングデザインシステムから送信された第1のライセンス要求情報を受信する。実際には、ライセンス付与センターは3Dプリンティングシステムから送信された第2のライセンス要求情報も受信する場合がある。図15を参照すると、本発明の別の実施形態の基本的プロセスには、次が含まれる。
【０３６５】
1501：プリンティングライセンス付与センターは3Dプリンティングシステムにより送信された第2のライセンス要求情報を受信する。
【０３６６】
図9から図11のいずれかの図で示される実施形態では、3Dプリンティングシステムがターゲットプリントファイルが第3の安全基準を満たしていないと判定する場合、3Dプリンティングシステムは第2のライセンス要求情報をプリンティングライセンス付与センターに送信する。第2のライセンス要求情報はプリンティングライセンスをプリンティングライセンス付与センターに要求するために使用され、ここで、第2のライセンス要求情報には、ターゲットプリントファイル、またはターゲット製品の属性、またはターゲット製品のクラスが含まれる場合、あるいは他の情報の場合がある。
【０３６７】
したがって、この実施形態では、プリンティングライセンス付与センターは3Dプリンティングシステムにより送信された第2のライセンス要求情報を受信する。
【０３６８】
1502：プリンティングライセンス付与センターは第2のライセンス要求情報が第2の安全基準を満たすかどうかを判定する。
【０３６９】
3Dプリンティングシステムにより送信された第2のライセンス要求情報の受信後、プリンティングライセンス付与センターは第2のライセンス要求情報が第2の安全基準を満たすかどうかを判定する。
【０３７０】
1503：プリンティングライセンス付与センターが第2のライセンス要求情報が第2の安全基準を満たすと判定する場合、プリンティングライセンス付与センターは第3のプリンティングライセンスを3Dプリンティングシステムに送信する。
【０３７１】
プリンティングライセンス付与センターが第2のライセンス要求情報が第2の安全基準を満たすと判定する場合、プリンティングライセンス付与センターは3Dプリンティングシステムによってプリントされたターゲットプリントファイルは比較的安全であると考慮し、ターゲットプリントファイルのプリンティングを許可することができる。したがって、プリンティングライセンス付与センターは第3のプリンティングライセンスを3Dプリンティングシステムに送信する。第3のプリンティングライセンスは、3Dプリンティングシステムが第2のライセンス要求情報に対応するターゲットプリントファイルをプリントするために使用される。
【０３７２】
プリンティングライセンス付与センターが第2のライセンス要求情報が第2の安全基準を満たしていない判定する場合、プリンティングライセンス付与センターは第3のプリンティングライセンスを3Dプリンティングシステムに送信しないか、または別の動作が行われる場合があり、この実施形態では限定されていない。
【０３７３】
ターゲットプリントファイル、ライセンス要求情報、またはプリンティングライセンスなどの情報が改ざんされ、ターゲットプリントファイルの安全性に関する判定に影響しないようにするため、非対称暗号が3Dプリンティングデザインシステム、プリンティングライセンス付与センター、および3Dプリンティングシステムとの間のデータ伝送で行われる場合がある。
【０３７４】
プリンティングライセンス付与センターは、第2のライセンス要求情報に対応するターゲット製品の属性、ターゲット製品のクラス、または第2のライセンス要求情報を送信する3Dプリンティングデザインシステムの安全レベルに従い、第2のライセンス要求情報が第2の安全基準を満たしているかどうかを判定するか、または別の方法で、第2のライセンス要求情報が第2の安全基準を満たすかどうかを判定する場合があり、この実施形態では限定されていない。安全レベルは3Dプリンティングシステムの安全性を示すために使用される。より高い安全レベルを有する3Dプリンティングシステムによって送信された要求情報は、第2の安全基準を満たすので、プリンティングライセンス付与センターではより容易に考慮される。
【０３７５】
この実施形態では、3Dプリンティングライセンス付与方法が提供されており、ここで、プリンティングライセンス付与センターの観点からターゲット製品に規制が実施される。プリンティングライセンス付与センターは3Dプリンティングデザインシステムによって送信された第2のライセンス要求情報を受信し、第2のライセンス要求情報が第2の安全基準を満たすかどうかを判定し、満たしている場合には、第3のプリンティングライセンスを3Dプリンティングデザインシステムに送信する。この方法によると、ターゲットプリントファイルの安全性に関するプリンティングライセンス付与センターによる判定が実施され、それはさらにターゲット製品に規制を実施して、危険性の高い品物の生産を規制するための難しい問題を解決し、社会の安定性や市民個人の安全を確実にする。
【０３７６】
上述の実施形態を理解しやすくするために、一例として上述の実施形態の特定の適用シナリオを使用した説明が以下で提供される。
【０３７７】
プリンティングライセンス付与センターは3Dプリンティングシステムによって送信された第2のライセンス要求情報を受信し、ここで、第2のライセンス要求情報はプリントファイルのターゲット製品の属性で、ターゲット属性には、ターゲット製品が銃で、銃の口径が5．8ミリメートルで、銃は軍事目的で使用されることが含まれる。
【０３７８】
第2のライセンス要求情報の受信後、プリンティングライセンス付与センターは第2のライセンス要求情報が第2の安全基準を満たすかどうかを判定する。プリンティングライセンス付与センターの判定基準は、第2のライセンス要求情報に含まれる銃の口径が6ミリメートル未満の場合には、第2のライセンス要求情報は第2の安全基準を満たしていると考慮する。したがって、プリンティングライセンス付与センターは第2のライセンス要求情報が第2の安全基準を満たすと考慮し、プリントファイルをプリントすることができる。したがって、プリンティングライセンス付与センターは第3のプリンティングライセンスを3Dプリンティングシステムに送信する。
【０３７９】
上述の実施形態では、複数の3Dプリンティングデザイン方法、3Dプリンティング方法、および3Dプリンティングライセンス付与方法が提供された。次の実施形態では、上述の方法を実施するために構成された装置が詳細に説明され、本明細書で詳細に説明されていない内容については、上述の方法の説明に参照が行われる場合がある。
【０３８０】
図16を参照すると、本発明の実施形態で提供される3Dプリンティングデザイン装置1600の基本構造には主に、次が含まれる。
ターゲットプリントファイルを判定するように構成された、ファイル判定モジュール1601、
ターゲットプリントファイルが第1の安全基準を満たしているかどうかを判定するように構成された、第1の安全判定モジュール1602、および
第1の安全判定モジュール1602が、ターゲットプリントファイルが第1の安全基準を満たしていると判定する場合に、ターゲットプリントファイルを3Dプリンティング装置に送信するように構成され、その結果、3Dプリンティング装置がターゲットプリントファイルに従ってプリンティングを行う、ファイル送信モジュール1603。
【０３８１】
この実施形態では、ファイル判定モジュール1601によるターゲットプリントファイルの判定後、第1の安全判定モジュール1602が、ターゲットプリントファイルが第1の安全基準を満たすかどうかを判定し、ターゲットプリントファイルが第1の安全基準を満たす場合、ファイル送信モジュール1603がターゲットプリントファイルを3Dプリンティング装置に送信し、その結果、3Dプリンティング装置はターゲットプリントファイルに従ってプリンティングを行う。ターゲットプリントファイルが第1の安全基準を満たすかどうかを判定することによって、ターゲットプリントファイルの安全性に関する3Dプリンティングデザイン装置による判定が実施され、それはさらにターゲット製品に規制を実施して、危険性の高い品物の生産を規制するための難しい問題を解決し、社会の安定性や市民個人の安全を確実にする。
【０３８２】
図16で示される実施形態では、本発明の実施形態で提供される3Dプリンティングデザイン装置の基本構造が提供され、ここで、ファイル判定モジュール1601によるターゲットプリントファイルの判定後、第1の安全判定モジュール1602はファイルが第1の安全基準を満たすかどうかを判定し、判定結果に従って、ターゲットプリントファイルを3Dプリンティング装置に送信するかどうかを判定する。次の実施形態では、第1の安全判定モジュールが図16で示された実施形態に基づきさらに詳述される。図17を参照すると、本発明で提供された3Dプリンティングデザイン装置の別の実施形態1700の基本構造には、次が含まれる。
ターゲットプリントファイルを判定するように構成された、ファイル判定モジュール1701、
ターゲットプリントファイルが第1の安全基準を満たしているかどうかを判定するように構成された、第1の安全判定モジュール1702であって、
ターゲットプリントファイルに対応するターゲット製品の属性を取得するように構成された、第1の属性取得ユニット17021、
ターゲット製品の属性に従い、ターゲットプリントファイルに対応するターゲット製品のクラスを取得するように構成された第1のクラス取得ユニット17022、ここで、ターゲット製品の属性には、ターゲット製品の原材料のカテゴリ情報、ターゲット製品の原材料の正確な情報、ターゲット製品の製造の技術的プロセス情報、ターゲット製品の空間形状情報、またはターゲット製品の目的情報が含まれ、ターゲット製品のクラスはターゲットプリントファイルの分類を示すために使用され、および
製品クラスと第1の安全基準との間の対応関係に従い、ターゲットプリントファイルが第1の安全基準を満たすかどうかを判定するように構成された、第1の安全判定ユニット17023を含む第1の安全判定モジュール1702、並びに
第1の安全判定モジュール1702が、ターゲットプリントファイルが第1の安全基準を満たしていると判定する場合に、ターゲットプリントファイルを3Dプリンティング装置に送信するように構成され、その結果、3Dプリンティング装置がターゲットプリントファイルに従ってプリンティングを行う、ファイル送信モジュール1703。
【０３８３】
この実施形態では、第1の安全判定モジュールが図16で示された実施形態に基づき詳述され、ここで、ファイル判定モジュール1701によるターゲットプリントファイルの判定後、第1の属性取得ユニット17021はターゲットプリントファイルに対応するターゲット製品の属性を取得し、第1のクラス取得ユニット17022はターゲットプリントファイルに対応するターゲット製品のクラスも取得し、次に、第1の安全判定ユニット17023は製品クラスと第1の安全基準との間の対応関係に従って、ターゲットプリントファイルが第1の安全基準を満たすかどうかを判定し、満たしている場合には、ファイル送信モジュール1703がターゲットプリントファイルを3Dプリンティング装置に送信する。この方法によると、3Dプリンティングデザイン装置はターゲットプリントファイルが第1の安全基準を満たすかどうかを判定することができ、それはさらにターゲット製品に規制を実施して、危険性の高い品物の生産を規制するための難しい問題を解決し、社会の安定性や市民個人の安全を確実にする。
【０３８４】
図17で示される実施形態では、一装置が提供され、ここでは、第1の安全判定モジュールが詳細に説明される。ファイル判定モジュール1701によるターゲットプリントファイルの判定後、第1の安全判定ユニット17023はターゲットプリントファイルが第1の安全基準を満たすかどうかを判定し、満たしている場合には、ファイル送信モジュール1703がターゲットプリントファイルを3Dプリンティング装置に送信する。次の実施形態では、別の装置が提供され、それにより、ターゲットプリントファイルが第1の安全基準を満たしていない場合の対応する動作の実行方法が詳細に説明される。図18を参照すると、本発明の別の実施形態1800の基本構造には、次が含まれる。
ターゲットプリントファイルを判定するように構成された、ファイル判定モジュール1801、
ターゲットプリントファイルが第1の安全基準を満たしているかどうかを判定するように構成された、第1の安全判定モジュール1802であって、
ターゲットプリントファイルに対応するターゲット製品の属性を取得するように構成された、第1の属性取得ユニット18021、
ターゲット製品の属性に従い、ターゲットプリントファイルに対応するターゲット製品のクラスを取得するように構成された第1のクラス取得ユニット18022、ここで、ターゲット製品の属性には、ターゲット製品の原材料のカテゴリ情報、ターゲット製品の原材料の正確な情報、ターゲット製品の製造の技術的プロセス情報、ターゲット製品の空間形状情報、またはターゲット製品の目的情報が含まれ、ターゲット製品のクラスはターゲットプリントファイルの分類を示すために使用され、および
製品クラスと第1の安全基準との間の対応関係に従い、ターゲットプリントファイルが第1の安全基準を満たすかどうかを判定するように構成された、第1の安全判定ユニット18023を含む第1の安全判定モジュール1802、
第1の安全判定ユニット18023が、ターゲットプリントファイルが第1の安全基準を満たしていないと判定する場合、第1のライセンス要求情報を3Dプリンティングライセンス付与装置に送信するように構成された、第1の要求送信モジュール1803、
3Dプリンティングライセンス付与装置により送信された第1のプリンティングライセンスを受信したかどうかを判定するように構成された第1のライセンス判定モジュール1804、ここで、第1のプリンティングライセンスは、3Dプリンティングライセンス付与装置が第1のライセンス要求情報が第2の安全基準を満たしていると判定する場合に3Dプリンティングライセンス付与装置により送信され、および
第1のライセンス判定モジュール1802が、ターゲットプリントファイルが第1の安全基準を満たしていると判定する場合、または第1のライセンス判定モジュール1804が3Dプリンティングライセンス装置によって送信される第1のプリンティングライセンスを受信したと判定する場合に、ターゲットプリントファイルを3Dプリンティング装置に送信するように構成され、その結果、3Dプリンティング装置がターゲットプリントファイルに従ってプリンティングを行う、ファイル送信モジュール1805。
【０３８５】
この実施形態では、3Dプリンティングデザイン装置が、ターゲットプリントファイルが第1の安全基準を満たしていない場合の、別の動作を特に行う方法が詳細に説明される。第1の安全判定モジュール1802が、ターゲットプリントファイルが第1の安全基準を満たしていないと判定する場合、第1の要求送信モジュール1803は第1のライセンス要求情報を3Dプリンティングライセンス付与装置に送信し、第1のライセンス判定モジュール1804は3Dプリンティングライセンス付与装置によって送信される第1のプリンティングライセンスを受信していないかどうかを判定する。第1のライセンス判定モジュール1804が3Dプリンティングライセンス付与装置によって送信された第1のプリンティングライセンスを受信したと判定する場合、それは、3Dプリンティングライセンス付与装置が第1のライセンス要求情報が第2の安全基準を満たすと判定したことを示し、ファイル送信モジュール1805はターゲットプリントファイルを3Dプリンティング装置に送り、その結果、3Dプリンティング装置はターゲットプリントファイルに従ってプリンティングを行う。この実施形態で提供されたこの方法によると、ターゲットプリントファイルの安全性に関する3Dプリンティングデザイン装置および3Dプリンティングライセンス付与装置による二次判定が実施され、それはさらにターゲット製品に規制を実施して、危険性の高い品物の生産を規制するための難しい問題を解決し、社会の安定性や市民個人の安全を確実にする。
【０３８６】
図18で示される実施形態では、3Dプリンティングデザイン装置が提供され、ここで、3Dプリンティングライセンス付与装置は受信したファイルの安全性を判定することができる。次の実施形態では、新しい3Dプリンティングデザイン装置1900が図18で示された実施形態に基づき提供され、ここで、装置は3Dプリンティングライセンス付与装置による安全性に関する判定の作業負荷を低減することができる。図19を参照すると、本発明の別の実施形態1900の基本構造には、次が含まれる。
3Dプリンティングライセンス付与装置によって送信された既定のプリンティングライセンスを受信し、既定のプリンティングライセンスを保存するように構成された、第1の事前設定ストレージモジュール1901、
ターゲットプリントファイルを判定するように構成された、ファイル判定モジュール1902、
ターゲットプリントファイルが第1の安全基準を満たしているかどうかを判定するように構成された、第1の安全判定モジュール1903であって、
ターゲットプリントファイルに対応するターゲット製品の属性を取得するように構成された、第1の属性取得ユニット19031、
ターゲット製品の属性に従い、ターゲットプリントファイルに対応するターゲット製品のクラスを取得するように構成された第1のクラス取得ユニット19032、ここで、ターゲット製品の属性には、ターゲット製品の原材料のカテゴリ情報、ターゲット製品の原材料の正確な情報、ターゲット製品の製造の技術的プロセス情報、ターゲット製品の空間形状情報、またはターゲット製品の目的情報が含まれ、ターゲット製品のクラスはターゲットプリントファイルの分類を示すために使用され、および
製品クラスと第1の安全基準との間の対応関係に従い、ターゲットプリントファイルが第1の安全基準を満たすかどうかを判定するように構成された、第1の安全判定ユニット19033を含む第1の安全判定モジュール1903、
第1の安全判定ユニットがターゲットプリントファイルが第1の安全基準を満たしていないと判定する場合、第1の事前設定ストレージモジュールがターゲットプリントファイルに対応する既定のプリンティングライセンスを保存しているかどうかを判定するように構成された、第1の事前設定判定モジュール1904、
第1の安全判定ユニット19033がターゲットプリントファイルが第1の安全基準を満たしていないと判定する場合、または第1の事前設定判定モジュールが第1の事前設定ストレージモジュールがターゲットプリントファイルに対応する既定のプリンティングライセンスを保存していないと判定する場合に、第1のライセンス要求情報を3Dプリンティングライセンス付与装置に送信するように構成されている、第1の要求送信モジュール1905、
3Dプリンティングライセンス付与装置により送信された第1のプリンティングライセンスを受信したかどうかを判定するように構成された第1のライセンス判定モジュール1906、ここで、第1のプリンティングライセンスは、3Dプリンティングライセンス付与装置が第1のライセンス要求情報が第2の安全基準を満たしていると判定する場合に3Dプリンティングライセンス付与装置により送信され、および
第1の安全判定モジュール1903が、ターゲットプリントファイルが第1の安全基準を満たしていると判定する場合、または第1のライセンス判定モジュールが3Dプリンティングライセンス付与装置によって送信される第1のプリンティングライセンスを受信したと判定する場合、または第1の事前設定判定モジュールが第1の事前設定ストレージモジュールがターゲットプリントファイルに対応する既定のプリンティングライセンスを保存している判定する場合に、ターゲットプリントファイルを3Dプリンティング装置に送信するように構成され、その結果、3Dプリンティング装置がターゲットプリントファイルに従ってプリンティングを行う、ファイル送信モジュール1907。
【０３８７】
図19で示される実施形態では、3Dプリンティングデザイン装置が提供され、それは既定のプリンティングライセンスに従ってターゲットプリントファイルの安全性を判定することができる。第1の安全判定ユニット19033が、ターゲットプリントファイルが第1の安全基準を満たしていないと判定する場合、第1の事前設定判定モジュール1904はターゲットプリントファイルに対応する既定のプリンティングライセンスを保存するかどうかを判定し、保存する場合には、ファイル送信モジュール1907はターゲットプリントファイルを3Dプリンティング装置に送信する。この方法によると、ターゲットプリントファイルの安全性に関する3Dプリンティングデザイン装置および3Dプリンティングライセンス付与装置による判定が実施され、それはさらにターゲット製品に規制を実施して、危険性の高い品物の生産を規制するための難しい問題を解決し、社会の安定性や市民個人の安全を確実にする。加えて、第1の要求送信モジュール1905が第1のライセンス要求情報を3Dプリンティングライセンス付与装置に送信する前に、第1の事前設定判定モジュール1904はターゲットプリントファイルに対応する既定のプリンティングライセンスが保存されているかどうかを判定して、保存されている場合、ファイル送信モジュール1907がターゲットプリントファイルを3Dプリンティング装置に直接送信し、その結果、一部の安全性判定動作は3Dプリンティングデザイン装置で完了することができ、それによって、3Dプリンティングライセンス付与装置によって受信されるライセンス要求の数量および3Dプリンティングライセンス付与装置による安全性判定動作の数量が減り、3Dプリンティングライセンス付与装置の負荷が軽減され、ターゲットプリントファイルの安全性に関する判定の効率が向上する。
【０３８８】
図19で示される実施形態では、一装置が提供されており、それはターゲットプリントファイルの安全性に関する判定の効率を向上させることができる。次の実施形態では、別の3Dプリンティングデザイン装置2000が提供され、その結果、ターゲットプリントファイルの安全性に関する判定の精度を向上させることができる。図20を参照すると、本発明で提供された別の実施形態の基本構造には、次が含まれる。
3Dプリンティングライセンス付与装置によって送信された既定のプリンティングライセンスを受信し、既定のプリンティングライセンスを保存するように構成された、第1の事前設定ストレージモジュール2001、
ターゲットプリントファイルを判定するように構成された、ファイル判定モジュール2002、
ターゲットプリントファイルが第1の安全基準を満たしているかどうかを判定するように構成された、第1の安全判定モジュール2003であって、
ターゲットプリントファイルに対応するターゲット製品の属性を取得するように構成された、第1の属性取得ユニット20031、
ターゲット製品の属性に従い、ターゲットプリントファイルに対応するターゲット製品のクラスを取得するように構成された第1のクラス取得ユニット20032、ここで、ターゲット製品の属性には、ターゲット製品の原材料のカテゴリ情報、ターゲット製品の原材料の正確な情報、ターゲット製品の製造の技術的プロセス情報、ターゲット製品の空間形状情報、またはターゲット製品の目的情報が含まれ、ターゲット製品のクラスはターゲットプリントファイルの分類を示すために使用され、および
製品クラスと第1の安全基準との間の対応関係に従い、ターゲットプリントファイルが第1の安全基準を満たすかどうかを判定するように構成された、第1の安全判定ユニット20033を含む第1の安全判定モジュール2003、
第1の安全判定ユニットが、ターゲットプリントファイルが第1の安全基準を満たしていないと判定する場合、第1の事前設定ストレージモジュールがターゲットプリントファイルに対応する既定のプリンティングライセンスを保存しているかどうかを判定するように構成された、第1の事前設定判定モジュール2004、
第1の安全判定ユニット20033が、ターゲットプリントファイルが第1の安全基準を満たしていないと判定する場合、または第1の事前設定判定モジュールが第1の事前設定ストレージモジュールがターゲットプリントファイルに対応する既定のプリンティングライセンスを保存していないと判定する場合に、第1のライセンス要求情報を3Dプリンティングライセンス付与装置に送信するように構成されている、第1の要求送信モジュール2005、
3Dプリンティングライセンス付与装置により送信された第1のプリンティングライセンスを受信したかどうかを判定するように構成された第1のライセンス判定モジュール2006、ここで、第1のプリンティングライセンスは、3Dプリンティングライセンス付与装置が第1のライセンス要求情報が第2の安全基準を満たしていると判定する場合に3Dプリンティングライセンス付与装置により送信され、
第1の安全判定モジュール2003が、ターゲットプリントファイルが第1の安全基準を満たしていると判定する場合、または第1のライセンス判定モジュールが3Dプリンティングライセンス付与装置によって送信される第1のプリンティングライセンスを受信したと判定する場合、または第1の事前設定判定モジュールが第1の事前設定ストレージモジュールがターゲットプリントファイルに対応する既定のプリンティングライセンスを保存している判定する場合に、ターゲットプリントファイルを3Dプリンティング装置に送信するように構成され、その結果、3Dプリンティング装置がターゲットプリントファイルに従ってプリンティングを行う、ファイル送信モジュール2007、
3Dプリンティングライセンス付与装置からターゲットサーバアドレスを取得するように構成された、第1のアドレス取得モジュール2008、ここで、ターゲットサーバアドレスはターゲットサーバのアドレスであり、
ターゲットサーバアドレスにアクセスしてターゲットサーバから更新ファイルをダウンロードするように構成された第1のアドレスアクセスモジュール2009、および
製品クラスと更新ファイルに従う第1の安全基準との間の対応関係を更新するように構成された、第1の基準更新モジュール2010。
【０３８９】
この実施形態では、3Dプリンティングデザイン装置が提供されており、ここで、第1の安全判定モジュール2003は製品クラスと第1の安全基準との間の対応関係に従ってターゲットプリントファイルの安全性を判定し、第1の基準更新モジュール2010は製品クラスと第1の安全基準との間の対応関係を常時更新する。この方法によると、ターゲットプリントファイルの安全性に関する3Dプリンティングデザイン装置および3Dプリンティングライセンス付与装置による判定が実施され、それはさらにターゲット製品に規制を実施して、危険性の高い品物の生産を規制するための難しい問題を解決し、社会の安定性や市民個人の安全を確実にする。加えて、第1の基準更新モジュール2010は製品クラスと第1の安全基準との間の対応関係を常時更新し、その結果、第1の安全判定モジュール2003によって使用される、製品クラスと第1の安全基準との間の対応関係はより優れたリアルタイム性能を有し、製品クラスと第1の安全基準との間の対応関係に従うターゲットプリントファイルの安全性に関する判定はより正確で信頼できる。
【０３９０】
上述の実施形態を理解しやすくするために、一例として上述の実施形態の特定の適用シナリオを使用した説明が以下で提供される。
【０３９１】
第1の事前設定ストレージモジュール2001は3Dプリンティングライセンス付与装置からの既定のプリンティングライセンスを受信し、既定のプリンティングライセンスを保存する。既定のプリンティングライセンスの内容は、その目的が警察による使用の銃は既定のプリンティングライセンスを満たすが、その目的が軍事使用の銃は既定のプリンティングライセンスを満たさない。
【０３９２】
ユーザは3Dプリンティングデザイン装置を使用して小型の銃のプリントファイルをデザインする。ファイル判定モジュール2002がプリントファイルのデザインの完了を判定後、第1の属性取得ユニット20031はプリントファイルのターゲット製品の属性を取得し、ここで、属性には、デザインされた製品が銃で、銃の口径が5．8ミリメートルで、銃は軍事目的で使用されることが含まれる。属性からプリントファイルでデザインされた製品が銃であることを知ることができ、銃は害を及ぼすので、第1のクラス取得ユニット20032はプリントファイルのターゲット製品のクラスが安全ではない製品と判定し、第1の安全判定ユニット20033はプリントファイルが第1の安全基準を満たさないと判定する。したがって、第1の事前設定判定モジュール2004は、プリントファイルに対応する既定のプリンティングライセンスが保存されたかどうかを判定する。第1の事前設定ストレージモジュール2001に保存されている既定のプリンティングライセンスは警察による使用の目的のみを許可し、軍事使用の目的を許容しないので、第1の安全判定ユニット20033はプリントファイルに対応する既定のプリンティングライセンスを保存していないと判定する。したがって、第1の要求送信モジュール2005は第1のライセンス要求情報を3Dプリンティングライセンス付与装置に送信し、ここで、第1のライセンス要求情報の内容はプリントファイルのターゲット製品の属性である。
【０３９３】
安全性の判定後、3Dプリンティングライセンス付与装置は小型の銃が製造可能であることを考慮し、したがって、3Dプリンティングライセンス付与装置は第1のプリンティングライセンスを3Dプリンティングデザイン装置に送信する。第1のライセンス判定モジュール2006が第1のプリンティングライセンスを受信した後、ファイル送信モジュール2007は小型の銃のプリントファイルを3Dプリンティングに送信する。
【０３９４】
事前設定の時間の長さ毎に第1のアドレス取得モジュール2008は3Dプリンティングライセンス付与装置からターゲットサーバアドレスを取得し、第1のアドレスアクセスモジュール2009はターゲットサーバアドレスにアクセスして、ターゲットサーバから更新ファイルをダウンロードする。第1の基準更新モジュール2010は製品クラスと更新ファイルに従う第1の安全基準との間の対応関係を更新する。
【０３９５】
図21を参照すると、本発明の実施形態では、3Dプリンティングデザイン装置2100も提供している。
【０３９６】
図で示されている3Dプリンティングデザイン装置2100は図16から図20で示されているいずれかの実施形態で提供された3Dプリンティングデザイン装置の一例に過ぎず、3Dプリンティングデザイン装置2100は図で示されているものより、多数または少数のコンポーネントを有する場合、または2つ以上のコンポーネントが組み合わされる場合、または異なるコンポーネント構成が使用される場合があることに留意されたい。図で示されているコンポーネントは、1つまたは複数の信号処理および／または特定用途向け集積回路を含むハードウェア、ソフトウェア、またはハードウェアとソフトウェアの組合せに実装することができる。
【０３９７】
ここで、一例として3Dプリンティングデザイン装置を使用した特定の説明が提供されている。図21で示されているように、3Dプリンティングデザイン装置には、メモリ2101、中央処理ユニット（CPU）2102、周辺機器インターフェイス2103、RF回路2104、オーディオ回路2105、スピーカ2106、電源管理集積チップ2107、入力／出力（I／O）サブシステム2108、別の入力／制御デバイス2109、および外部ポート2110を含んでおり、ここで、これらのコンポーネントは1つまたは複数の通信バスあるいは単一ライン2111を使用して互いに通信している。
【０３９８】
この実施形態で提供されている3Dプリンティングデザイン装置は、本発明の実施形態で提供された3Dプリンティングデザイン装置の一例に過ぎないことに留意されたい。本発明の実施形態に包含される3Dプリンティングデザイン装置には、図21で示されるものより多いまたは少ないコンポーネントが含まれる場合、あるいは、2つ以上のコンポーネントが組み合わされる場合、あるいは異なるコンポーネント構成または設定が使用される場合があり、コンポーネントは、1つまたは複数の信号処理および／または特定用途向け集積回路を含むハードウェア、ソフトウェア、またはハードウェアとソフトウェアの組合せに実装することができる。
【０３９９】
この実施形態で提供されている3Dプリンティングデザイン装置は詳細に以下で説明される。
【０４００】
メモリ2101：メモリ2101はプログラムコードおよびデータを保存するように構成され、CPU2102、周辺機器インターフェイス2103などからアクセスすることができ、メモリ2101には高速ランダムアクセスメモリを含めることができ、例えば、1つまたは複数の磁気ディスクストレージデバイス、フラッシュメモリデバイス、または他の不揮発性のソリッドステートメモリデバイスなどの不揮発性メモリをさらに含めることができる。
【０４０１】
CPU2102：CPU2102はメモリ2101からプログラムコードを取得し、取得したプログラムに従ってRF回路2104およびI／Oサブシステム2108などの回路の実際の動作を制御することができる。
【０４０２】
周辺機器インターフェイス2103：周辺機器インターフェイスはデバイスの入力および出力周辺機器をCPU2102およびメモリ2101に接続することができる。
【０４０３】
I／Oサブシステム2108：I／Oサブシステム2108は、例えば、表示画面2112および別の入力／制御デバイス2109などのデバイスの入力および出力周辺機器を周辺機器インターフェイス2103に接続することができる。I／Oサブシステム2108には、ディスプレイコントローラ21081および別の入力／制御デバイス2109を制御するように構成された1つまたは複数の入力コントローラ21082を含めることができる。1つまたは複数の入力コントローラ21082は別の入力／制御デバイス2109から電気信号を受信するか、または電気信号を別の入力／制御デバイス2109に送信し、ここで、別の入力／制御デバイス2109には、物理的ボタン（プレスボタン、ロッカーボタンなど）、ダイヤル、スライドスイッチ、ジョイスティック、およびクリックスクロールホイールを含めることができる。入力コントローラ21082は次のコンポーネント、すなわち、キーボード、赤外線ポート、USBインターフェイス、およびマウスなどのポインティングデバイスのいずれか1つに接続することができることに留意されたい。
【０４０４】
表示画面2112：表示画面2112は3Dプリンティングデザイン装置とユーザとの間の出力インターフェイスとして機能して、ユーザに視認可能な出力を表示し、ここで、視認可能な出力にはピクチャ、テキスト、アイコン、ビデオなどを含めることができる。
【０４０５】
I／Oサブシステム2108のディスプレイコントローラ21081は表示画面2112から電気信号を受信するか、または電気信号を表示画面2112に送信する。表示画面2112はタッチ画面のタッチを検出して、ディスプレイコントローラ21081は検出されたタッチを表示画面2112に表示されたユーザインターフェイスオブジェクトとの対話、すなわち、マン・マシン対話に変換し、ここで、表示画面2112に表示されたユーザインターフェイスオブジェクトはゲーム実行アイコン、対応するネットワークにリンクしたアイコンなどとすることができる。デバイスには、光学マウスをさらに含めることができ、ここで、光学マウスは視認可能な出力を表示しないタッチセンサ式のサーフェス、またはタッチ画面によって形成されたタッチセンサ式のサーフェスの拡張部分であることに留意されたい。
【０４０６】
RF回路2104は3Dプリンティングデザイン装置とワイヤレスネットワーク（すなわち、ネットワーク側）との間の通信を確立して、3Dプリンティングデザイン装置とワイヤレスネットワークとの間で、例えば、ショートメッセージサービスおよび電子メールの送受信など、データの受信および送信を実施するように主に構成されている。特に、RF回路2104はRF信号を受信して送信し、ここで、RF信号は電磁信号とも呼ばれ、RF回路2104は電気信号を電磁信号に変換するか、または電磁信号を電気信号に変換し、電磁信号を使用して通信ネットワークおよび別のデバイスと通信する。RF回路2104には、これらの機能を行うように構成された既知の回路を含めることができ、これに限定されるものではないが、アンテナシステム、RFトランシーバ、1つまたは複数のアンプ、チューナー、1つまたは複数のオシレータ、デジタル信号プロセッサ、CODECチップセット、加入者識別モジュール（Subscriber Identity Module、SIM）などが含まれる。
【０４０７】
オーディオ回路2105は周辺機器インターフェイス2103からオーディオデータを受信して、オーディオデータを電気信号に変換し、電気信号をスピーカ2106に送信するように主に構成されている。
【０４０８】
スピーカ2106は、音を出すために、RF回路2104を使用してワイヤレスネットワークから3Dプリンティングデザイン装置によって受信された音声信号を復元し、ユーザに音を再生するように構成されている。
【０４０９】
電源管理集積チップ2107はCPU2102、I／Oサブシステム、および周辺機器インターフェイスに接続されたハードウェアに電力を供給して、電源管理を行うように構成されている。
【０４１０】
図22は、3Dプリンティングデザイン装置の内部部品の構造図である。この実施形態では、CPU2201は次のように特に構成されている。
ターゲットプリントファイルを判定する、
ターゲットプリントファイルに対応するターゲット製品の属性を取得する、
ターゲット製品の属性に従って、ターゲットプリントファイルに対応するターゲット製品のクラスを取得する、
製品クラスと第1の安全基準との間の対応関係に従って、ターゲットプリントファイルが第1の安全基準を満たすかどうかを判定する、
ターゲットプリントファイルに対応する既定のプリンティングライセンスが保存されたかどうかを判定する、
3Dプリンティングライセンス付与装置により送信された第1のプリンティングライセンスを受信したかどうかを判定する、および
製品クラスと更新ファイルに従う第1の安全基準との間の対応関係を更新する。
【０４１１】
この実施形態では、RF回路2202は次のように特に構成されている。
第1のライセンス要求情報を3Dプリンティングライセンス付与装置に送信する、
ターゲットプリントファイルを3Dプリンティング装置に送信する、
3Dプリンティングライセンス付与装置からターゲットサーバアドレスを取得する、および
ターゲットサーバアドレスにアクセスして、ターゲットサーバから更新ファイルをダウンロードする。
【０４１２】
この実施形態では、メモリ2203は3Dプリンティングライセンス付与装置によって送信された既定のプリンティングライセンスを受信し、既定のプリンティングライセンスを保存するように特に構成されている。
【０４１３】
図16から図20で示された実施形態では、複数の3Dプリンティングデザイン装置が提供されており、ここで、3Dプリンティングデザインの観点からターゲット製品に規制が実施される。次の実施形態では、3Dプリンティング装置2300が提供されており、ここで、3Dプリンティングの観点からターゲット製品に規制が実施される。図23を参照すると、本発明のこの実施形態で提供される3Dプリンティング装置の基本構造には、次が含まれる。
ターゲットプリントファイルを取得するように構成された、第1のファイル取得モジュール2301、
3Dプリンティングライセンス付与装置によって送信された第2のプリンティングライセンスを受信したかどうかを判定するように構成された、第2のライセンス判定モジュール2302、および
第2のライセンス判定モジュール2302が3Dプリンティングライセンス付与装置によって送信された第2のプリンティングライセンスを受信したと判定する場合に、ターゲットプリントファイルをプリントするように構成された、第1のファイルプリンティングモジュール2303。
【０４１４】
この実施形態では、3Dプリンティング装置が提供され、ここで、第1のファイル取得モジュール2301はターゲットプリントファイルを取得して、第2のライセンス判定モジュール2302はプリンティングライセンス付与センターによって送信された第2のプリンティングライセンスを受信したかどうかを判定し、判定結果がそうである場合、第1のファイルプリンティングモジュール2303はターゲットプリントファイルをプリントする。この実施形態では、第2のプリンティングライセンスを受信したかどうかの判定によって、ターゲットプリントファイルの安全性に関する3Dプリンティングシステムによる判定が実施され、それはさらにターゲット製品に規制を実施して、危険性の高い品物の生産を規制するための難しい問題を解決し、社会の安定性や市民個人の安全を確実にする。
【０４１５】
上述の実施形態を理解しやすくするために、一例として上述の実施形態の特定の適用シナリオを使用した説明が以下で提供される。
【０４１６】
第1のファイル取得モジュール2301は3Dプリンティングデザイン装置から小型の銃のプリントファイルを取得し、第2のライセンス判定モジュール2302はプリントファイルについての第2のプリンティングライセンスを3Dプリンティングライセンス付与装置から受信したと判定する。したがって、第1のファイルプリンティングモジュール2303はプリントファイルをプリントし、ここで、プリントされたターゲット製品は小型の銃である。
【０４１７】
図21をさらに参照すると、本発明の実施形態では、3Dプリンティング装置も提供している。
【０４１８】
図で示されている3Dプリンティング装置2100は図23で示されている実施形態で提供された3Dプリンティング装置の一例に過ぎず、3Dプリンティング装置2100は図で示されているものより、多数または少数のコンポーネントを有する場合、または2つ以上のコンポーネントが組み合わされる場合、または異なるコンポーネント構成が使用される場合があることに留意されたい。図で示されているコンポーネントは、1つまたは複数の信号処理および／または特定用途向け集積回路を含むハードウェア、ソフトウェア、またはハードウェアとソフトウェアの組合せに実装することができる。
【０４１９】
一例として3Dプリンティング装置を使用して、特定の説明がこれから提供される。図21で示されているように、3Dプリンティング装置は、メモリ2101、中央処理ユニット（Central Processing Unit、以下では略してCPU）2102、周辺機器インターフェイス2103、RF回路2104、オーディオ回路2105、スピーカ2106、電源管理集積チップ2107、入力／出力（I／O）サブシステム2108、別の入力／制御デバイス2109、および外部ポート2110を含んでおり、ここで、これらのコンポーネントは1つまたは複数の通信バスあるいは単一ライン2111を使用して互いに通信している。
【０４２０】
この実施形態で提供されている3Dプリンティング装置は、本発明の実施形態で提供された3Dプリンティング装置の一例に過ぎないことに留意されたい。本発明の実施形態に包含される3Dプリンティング装置には、図21で示されるものより多いまたは少ないコンポーネントが含まれる場合、あるいは、2つ以上のコンポーネントが組み合わされる場合、あるいは異なるコンポーネント構成または設定が使用される場合があり、コンポーネントは、1つまたは複数の信号処理および／または特定用途向け集積回路を含むハードウェア、ソフトウェア、またはハードウェアとソフトウェアの組合せに実装することができる。
【０４２１】
この実施形態で提供されている3Dプリンティング装置は詳細に以下で説明される。
【０４２２】
メモリ2101：メモリ2101はプログラムコードおよびデータを保存するように構成され、CPU2102、周辺機器インターフェイス2103などからアクセスすることができ、メモリ2101には高速ランダムアクセスメモリを含めることができ、例えば、1つまたは複数の磁気ディスクストレージデバイス、フラッシュメモリデバイス、または他の不揮発性のソリッドステートメモリデバイスなどの不揮発性メモリをさらに含めることができる。
【０４２３】
CPU2102：CPU2102はメモリ2101からプログラムコードを取得し、取得したプログラムに従ってRF回路2104およびI／Oサブシステム2108などの回路の実際の動作を制御することができる。
【０４２４】
周辺機器インターフェイス2103：周辺機器インターフェイスはデバイスの入力および出力周辺機器をCPU2102およびメモリ2101に接続することができる。
【０４２５】
I／Oサブシステム2108：I／Oサブシステム2108は、例えば、表示画面2112および別の入力／制御デバイス2109などのデバイスの入力および出力周辺機器を周辺機器インターフェイス2103に接続することができる。I／Oサブシステム2108には、ディスプレイコントローラ21081および別の入力／制御デバイス2109を制御するように構成された1つまたは複数の入力コントローラ21082を含めることができる。1つまたは複数の入力コントローラ21082は別の入力／制御デバイス2109から電気信号を受信するか、または電気信号を別の入力／制御デバイス2109に送信し、ここで、別の入力／制御デバイス2109には、物理的ボタン（プレスボタン、ロッカーボタンなど）、ダイヤル、スライドスイッチ、ジョイスティック、およびクリックスクロールホイールを含めることができる。入力コントローラ21082は次のコンポーネント、すなわち、キーボード、赤外線ポート、USBインターフェイス、およびマウスなどのポインティングデバイスのいずれか1つに接続することができることに留意されたい。
【０４２６】
表示画面2112：表示画面2112は3Dプリンティング装置とユーザとの間の出力インターフェイスとして機能して、ユーザに視認可能な出力を表示し、ここで、視認可能な出力にはピクチャ、テキスト、アイコン、ビデオなどを含めることができる。
【０４２７】
I／Oサブシステム2108のディスプレイコントローラ21081は表示画面2112から電気信号を受信するか、または電気信号を表示画面2112に送信する。表示画面2112はタッチ画面のタッチを検出して、ディスプレイコントローラ21081は検出されたタッチを表示画面2112に表示されたユーザインターフェイスオブジェクトとの対話、すなわち、マン・マシン対話に変換し、ここで、表示画面2112に表示されたユーザインターフェイスオブジェクトはゲーム実行アイコン、対応するネットワークにリンクしたアイコンなどとすることができる。デバイスには、光学マウスをさらに含めることができ、ここで、光学マウスは視認可能な出力を表示しないタッチセンサ式のサーフェス、またはタッチ画面によって形成されたタッチセンサ式のサーフェスの拡張部分であることに留意されたい。
【０４２８】
RF回路2104は3Dプリンティング装置とワイヤレスネットワーク（すなわち、ネットワーク側）との間の通信を確立して、3Dプリンティング装置とワイヤレスネットワークとの間で、例えば、ショートメッセージサービスおよび電子メールの送受信など、データの受信および送信を実施するように主に構成されている。特に、RF回路2104はRF信号を受信して送信し、ここで、RF信号は電磁信号とも呼ばれ、RF回路2104は電気信号を電磁信号に変換するか、または電磁信号を電気信号に変換し、電磁信号を使用して通信ネットワークおよび別のデバイスと通信する。RF回路2104には、これらの機能を行うように構成された既知の回路を含めることができ、これに限定されるものではないが、アンテナシステム、RFトランシーバ、1つまたは複数のアンプ、チューナー、1つまたは複数のオシレータ、デジタル信号プロセッサ、CODECチップセット、加入者識別モジュール（Subscriber Identity Module、SIM）などが含まれる。
【０４２９】
オーディオ回路2105は周辺機器インターフェイス2103からオーディオデータを受信して、オーディオデータを電気信号に変換し、電気信号をスピーカ2106に送信するように主に構成されている。
【０４３０】
スピーカ2106は、音を出すために、RF回路2104を使用してワイヤレスネットワークから3Dプリンティング装置によって受信された音声信号を復元し、ユーザに音を再生するように構成されている。
【０４３１】
電源管理集積チップ2107はCPU2102、I／Oサブシステム、および周辺機器インターフェイスに接続されたハードウェアに電力を供給して、電源管理を行うように構成されている。
【０４３２】
図24は、3Dプリンティング装置の内部部品の構造図である。この実施形態では、CPU2401は次のように特に構成されている。
3Dプリンティングライセンス付与センターにより送信された第2のプリンティングライセンスを受信したかどうかを判定する。
【０４３３】
この実施形態では、RF回路2402は次のように特に構成されている。
ターゲットプリントファイルを取得する。
【０４３４】
この実施形態では、I／Oサブシステム2403は次のように特に構成されている。
ターゲットプリントファイルをプリントする。
【０４３５】
図23および図24で示される実施形態では、3Dプリンティング装置が提供されており、ここで、それは3Dプリンティングライセンス付与装置から第2のプリンティングライセンスを取得することによって安全性を判定する。次の実施形態では、別の3Dプリンティング装置2500が提供され、ここで、当該装置は安全性を別の方法で判定する。図25を参照すると、本発明の別の実施形態の基本構造には、次が含まれる。
ターゲットプリントファイルを取得するように構成された、第2のファイル取得モジュール2501、
ターゲットプリントファイルが第3の安全基準を満たしているかどうかを判定するために構成された、第2の安全判定モジュール2502、および
第2の安全判定モジュール2502が、ターゲットプリントファイルが第3の安全基準を満たしていると判定する場合に、ターゲットプリントファイルをプリントするように構成された、第2のファイルプリンティングモジュール2503。
【０４３６】
この実施形態では、第2のファイル取得モジュール2501によるターゲットプリントファイルの取得後、第2の安全判定モジュール2502はターゲットプリントファイルが第3の安全基準を満たすかどうかを判定し、ターゲットプリントファイルが第3の安全基準を満たす場合、第2のファイルプリンティングモジュール2503はターゲットプリントファイルをプリントする。この実施形態では、ターゲットプリントファイルが第3の安全基準を満たすかどうかを判定することによって、ターゲットプリントファイルの安全性に関する3Dプリンティングシステムによる判定が実施され、それはさらにターゲット製品に規制を実施して、危険性の高い品物の生産を規制するための難しい問題を解決し、社会の安定性や市民個人の安全を確実にする。
【０４３７】
図25で示された実施形態では、本発明の実施形態で提供される3Dプリンティング装置の基本構造が提供され、ここで、第2のファイル取得モジュール2501によるターゲットプリントファイルの取得後、第2の安全判定モジュール2502はファイルが第3の安全基準を満たすかどうかを判定し、第2のファイルプリンティングモジュール2503は、判定結果に従って、ターゲットプリントファイルをプリントするかどうかを判定する。次の実施形態では、第2の安全判定モジュール2502が、ファイルが第3の安全基準を満たすかどうかを判定する方法が図25で示される実施形態に基づいてさらに説明される。図26を参照すると、本発明で提供された3Dプリンティング装置の別の実施形態2600の基本的構造には、次が含まれる。
ターゲットプリントファイルを取得するように構成された、第2のファイル取得モジュール2601、
ターゲットプリントファイルが第3の安全基準を満たしているかどうかを判定するように構成された、第2の安全判定モジュール2602であって、
ターゲットプリントファイルに対応するターゲット製品の属性を取得するように構成された、第2の属性取得ユニット26021、
ターゲット製品の属性に従い、ターゲットプリントファイルに対応するターゲット製品のクラスを取得するように構成された第2のクラス取得ユニット26022、ここで、ターゲット製品の属性には、ターゲット製品の原材料のカテゴリ情報、ターゲット製品の原材料の正確な情報、ターゲット製品の製造の技術的プロセス情報、ターゲット製品の空間形状情報、またはターゲット製品の目的情報が含まれ、ターゲット製品のクラスはターゲットプリントファイルの分類を示すために使用され、および
製品クラスと第3の安全基準との間の対応関係に従い、ターゲットプリントファイルが第3の安全基準を満たすかどうかを判定するように構成された、第2の安全判定ユニット26023をこの実施形態では特に含む、第2の安全判定モジュール2602、および
第2の安全判定モジュール2602が、ターゲットプリントファイルが第3の安全基準を満たしていると判定する場合に、ターゲットプリントファイルをプリントするように構成された、第2のファイルプリンティングモジュール2603。
【０４３８】
この実施形態では、3Dプリンティング装置が、ターゲットプリントファイルが第3の安全基準を満たすかどうかを判定する方法が詳述され、ここで、第2のファイル取得モジュール2601によるターゲットプリントファイルの取得後、第2の属性取得ユニット26021はターゲットプリントファイルに対応するターゲット製品の属性を取得し、第2のクラス取得ユニット26022はターゲットプリントファイルに対応するターゲット製品のクラスも取得し、次に、第2の安全判定ユニット26023は製品クラスと第3の安全基準との間の対応関係に従って、ターゲットプリントファイルが第3の安全基準を満たすかどうかを判定し、満たしている場合には、第2のファイルプリンティングモジュール2603がターゲットプリントファイルをプリントする。この方法によると、3Dプリンティング装置はターゲットプリントファイルが第3の安全基準を満たすかどうかを判定することができ、それはさらにターゲット製品に規制を実施して、危険性の高い品物の生産を規制するための難しい問題を解決し、社会の安定性や市民個人の安全を確実にする。
【０４３９】
図26で示された実施形態では、比較的詳細な3Dプリンティング装置が提供されている。当該装置では、第2の安全判定ユニット26023が、ターゲットプリントファイルが第3の安全基準を満たすかどうかを判定し、満たしている場合には、第2のファイルプリンティングモジュール2603がターゲットプリントファイルをプリントする。次の実施形態では、別の3Dプリンティング装置2700が提供され、それにより、第2の安全判定ユニットが、ターゲットプリントファイルが第3の安全基準を満たしていないと判定する場合の対応する動作の実行方法が詳細に説明される。図27を参照すると、本発明の別の実施形態の基本構造には、次が含まれる。
ターゲットプリントファイルを取得するように構成された、第2のファイル取得モジュール2701、
ターゲットプリントファイルが第3の安全基準を満たしているかどうかを判定するように構成された、第2の安全判定モジュール2702であって、
ターゲットプリントファイルに対応するターゲット製品の属性を取得するように構成された、第2の属性取得ユニット27021、
ターゲット製品の属性に従い、ターゲットプリントファイルに対応するターゲット製品のクラスを取得するように構成された第2のクラス取得ユニット27022、ここで、ターゲット製品の属性には、ターゲット製品の原材料のカテゴリ情報、ターゲット製品の原材料の正確な情報、ターゲット製品の製造の技術的プロセス情報、ターゲット製品の空間形状情報、またはターゲット製品の目的情報が含まれ、ターゲット製品のクラスはターゲットプリントファイルの分類を示すために使用され、および
製品クラスと第3の安全基準との間の対応関係に従い、ターゲットプリントファイルが第3の安全基準を満たすかどうかを判定するように構成された、第2の安全判定ユニット27023をこの実施形態では特に含む、第2の安全判定モジュール2702、
第2の安全判定ユニットが、ターゲットプリントファイルが第3の安全基準を満たしていないと判定する場合、第2のライセンス要求情報を3Dプリンティングライセンス付与装置に送信するように構成された、第2の要求送信モジュール2703、
3Dプリンティングライセンス付与装置により送信された第3のプリンティングライセンスを受信したかどうかを判定するように構成された第2のライセンス判定モジュール2704、ここで、第3のプリンティングライセンスは、3Dプリンティングライセンス付与装置が第2のライセンス要求情報が第2の安全基準を満たしていると判定する場合に3Dプリンティングライセンス付与装置により送信され、および
第2の安全判定モジュール2702が、ターゲットプリントファイルが第3の安全基準を満たしていると判定する場合、または第2のライセンス判定モジュールが3Dプリンティングライセンス付与装置によって送信される第3のプリンティングライセンスを受信したと判定する場合、ターゲットプリントファイルをプリントするように特に構成された、第2のファイルプリンティングモジュール2705。
【０４４０】
この実施形態では、第2の安全判定ユニットが、ターゲットプリントファイルが第3の安全基準を満たしていない場合、別の動作を特に行う方法が詳細に説明される。第2の安全判定ユニットが、ターゲットプリントファイルが第1の安全基準を満たしていないと判定する場合、第2の要求送信モジュール2703は第2のライセンス要求情報を3Dプリンティングライセンス付与装置に送信し、次に第2のライセンス判定モジュール2704は3Dプリンティングライセンス付与装置によって送信される第3のプリンティングライセンスを受信していないかどうかを判定する。3Dプリンティングライセンス付与装置によって送信された第2のプリンティングライセンスを受信したと判定する場合、それは3Dプリンティングライセンス付与装置が第2のライセンス要求情報は第2の安全基準を満たすと判定したことを示し、第2のファイルプリンティングモジュール2705はターゲットプリントファイルをプリントする。この実施形態で提供されたこの方法によると、ターゲットプリントファイルの安全性に関する3Dプリンティング装置および3Dプリンティングライセンス付与装置による二次判定が実施される。3Dプリンティング装置による別個の安全性判定または3Dプリンティングライセンス付与センターによる別個の安全性判定と比較すると、この実施形態の二次判定により3Dプリンティングプロセス全体でターゲットプリントファイルの安全性に関する判定精度が向上し、それはさらにターゲット製品に規制を実施して、危険性の高い品物の生産を規制するための難しい問題を解決し、社会の安定性や市民個人の安全を確実にする。
【０４４１】
図27で示された実施形態では、3Dプリンティング装置が提供され、ここで、3Dプリンティングライセンス付与装置は受信したファイルの安全性を判定することができる。次の実施形態では、新しい3Dプリンティング装置2800が提供され、それは、3Dプリンティングライセンス付与装置による安全性の判定の作業負荷を低減することができる。図28を参照すると、本発明の別の実施形態の基本構造には、次が含まれる。
3Dプリンティングライセンス付与装置によって送信された既定のプリンティングライセンスを受信し、既定のプリンティングライセンスを保存するように構成された、第2の事前設定ストレージモジュール2801、
ターゲットプリントファイルを取得するように構成された、第2のファイル取得モジュール2802、
ターゲットプリントファイルが第3の安全基準を満たしているかどうかを判定するように構成された、第2の安全判定モジュール2803であって、
ターゲットプリントファイルに対応するターゲット製品の属性を取得するように構成された、第2の属性取得ユニット28031、
ターゲット製品の属性に従い、ターゲットプリントファイルに対応するターゲット製品のクラスを取得するように構成された第2のクラス取得ユニット28032、ここで、ターゲット製品の属性には、ターゲット製品の原材料のカテゴリ情報、ターゲット製品の原材料の正確な情報、ターゲット製品の製造の技術的プロセス情報、ターゲット製品の空間形状情報、またはターゲット製品の目的情報が含まれ、ターゲット製品のクラスはターゲットプリントファイルの分類を示すために使用され、および
製品クラスと第3の安全基準との間の対応関係に従い、ターゲットプリントファイルが第3の安全基準を満たすかどうかを判定するように構成された、第2の安全判定ユニット28033をこの実施形態では特に含む、第2の安全判定モジュール2803、
第2の安全判定ユニット28033が、ターゲットプリントファイルが第3の安全基準を満たしていないと判定する場合、第2の事前設定ストレージモジュールがターゲットプリントファイルに対応する既定のプリンティングライセンスを保存しているかどうかを判定するように構成された、第2の事前設定判定モジュール2804、
第2の安全判定ユニット28033が、ターゲットプリントファイルが第3の安全基準を満たしていないと判定する場合、または第2の事前設定判定モジュール2804が、第2の事前設定ストレージモジュール2801がターゲットプリントファイルに対応する既定のプリンティングライセンスを保存していないと判定する場合に、第2のライセンス要求情報を3Dプリンティングライセンス付与装置に送信するように構成されている、第2の要求送信モジュール2805、
3Dプリンティングライセンス付与装置により送信された第3のプリンティングライセンスを受信したかどうかを判定するように構成された第2のライセンス判定モジュール2806、ここで、第3のプリンティングライセンスは、3Dプリンティングライセンス付与装置が第2のライセンス要求情報が第2の安全基準を満たしていると判定する場合に3Dプリンティングライセンス付与装置により送信され、および
第2の安全判定モジュール2803が、ターゲットプリントファイルが第3の安全基準を満たすと判定する場合、または第2の事前設定判定モジュール2804が、第2の事前設定ストレージモジュール2801がターゲットプリントファイルに対応する既定のプリンティングライセンスを保存していると判定する場合、または第2のライセンス判定モジュール2806が3Dプリンティングライセンス付与装置により送信された第3のプリンティングライセンスを受信したと判定する場合、ターゲットプリントファイルをプリントするように特に構成されている、第2のファイルプリンティングモジュール2807。
【０４４２】
図28で示された実施形態では、3Dプリンティング装置が提供され、それは既定のプリンティングライセンスに従ってターゲットプリントファイルの安全性を判定することができる。第2の安全判定ユニット28033が、ターゲットプリントファイルが第3の安全基準を満たしていないと判定する場合、第2の事前設定判定モジュール2804はターゲットプリントファイルに対応する既定のプリンティングライセンスを保存するかどうかを判定し、保存する場合には、第2のファイルプリンティングモジュール2807はターゲットプリントファイルをプリントする。この方法によると、ターゲットプリントファイルの安全性に関する3Dプリンティング装置および3Dプリンティングライセンス付与装置による二次判定が実施され、それはさらにターゲット製品に規制を実施して、危険性の高い品物の生産を規制するための難しい問題を解決し、社会の安定性や市民個人の安全を確実にする。加えて、第2の事前設定判定モジュール2804はターゲットプリントファイルに対応する既定のプリンティングライセンスが保存されているかどうかを判定して、保存されている場合、第2のファイルプリンティングモジュール2807はターゲットプリントファイルを直接プリントし、その結果、一部の安全性判定動作は第2の事前設定判定モジュール2804によって完了することができ、それによって、3Dプリンティングライセンス付与装置によって受信されるライセンス要求の数量および3Dプリンティングライセンス付与装置による安全性判定動作の数量が減り、3Dプリンティングライセンス付与装置の負荷が軽減され、ターゲットプリントファイルの安全性に関する判定の効率が向上する。
【０４４３】
図28で示された実施形態では、一装置が提供されており、それはターゲットプリントファイルの安全性に関する判定の効率を向上させることができる。次の実施形態では、別の3Dプリンティング装置2900が提供され、その結果、ターゲットプリントファイルの安全性に関する判定の精度を向上させることができる。図29を参照すると、本発明で提供された別の実施形態の基本構造には、次が含まれる。
3Dプリンティングライセンス付与装置によって送信された既定のプリンティングライセンスを受信し、既定のプリンティングライセンスを保存するように構成された、第2の事前設定ストレージモジュール2901、
ターゲットプリントファイルを取得するように構成された、第2のファイル取得モジュール2902、
ターゲットプリントファイルが第3の安全基準を満たしているかどうかを判定するように構成された、第2の安全判定モジュール2903であって、
ターゲットプリントファイルに対応するターゲット製品の属性を取得するように構成された、第2の属性取得ユニット29031、
ターゲット製品の属性に従い、ターゲットプリントファイルに対応するターゲット製品のクラスを取得するように構成された第2のクラス取得ユニット29032、ここで、ターゲット製品の属性には、ターゲット製品の原材料のカテゴリ情報、ターゲット製品の原材料の正確な情報、ターゲット製品の製造の技術的プロセス情報、ターゲット製品の空間形状情報、またはターゲット製品の目的情報が含まれ、ターゲット製品のクラスはターゲットプリントファイルの分類を示すために使用され、および
製品クラスと第3の安全基準との間の対応関係に従い、ターゲットプリントファイルが第3の安全基準を満たすかどうかを判定するように構成された、第2の安全判定ユニット29033をこの実施形態では特に含む、第2の安全判定モジュール2903、
第2の安全判定ユニット29033が、ターゲットプリントファイルが第3の安全基準を満たしていないと判定する場合、第2の事前設定ストレージモジュールがターゲットプリントファイルに対応する既定のプリンティングライセンスを保存しているかどうかを判定するように構成された、第2の事前設定判定モジュール2904、
第2の安全判定ユニット29033が、ターゲットプリントファイルが第3の安全基準を満たしていないと判定する場合、または第2の事前設定判定モジュール2904が、第2の事前設定ストレージモジュール2901がターゲットプリントファイルに対応する既定のプリンティングライセンスを保存していないと判定する場合に、第2のライセンス要求情報を3Dプリンティングライセンス付与装置に送信するように構成されている、第2の要求送信モジュール2905、
3Dプリンティングライセンス付与装置により送信された第3のプリンティングライセンスを受信したかどうかを判定するように構成された第2のライセンス判定モジュール2906、ここで、第3のプリンティングライセンスは、3Dプリンティングライセンス付与装置が第2のライセンス要求情報が第2の安全基準を満たしていると判定する場合に3Dプリンティングライセンス付与装置により送信され、
第2の安全判定モジュール2903が、ターゲットプリントファイルが第3の安全基準を満たすと判定する場合、または第2の事前設定判定モジュール2904が、第2の事前設定ストレージモジュール2901がターゲットプリントファイルに対応する既定のプリンティングライセンスを保存していると判定する場合、または第2のライセンス判定モジュール2906が3Dプリンティングライセンス付与装置により送信された第3のプリンティングライセンスを受信したと判定する場合、ターゲットプリントファイルをプリントするように特に構成されている、第2のファイルプリンティングモジュール2907、
3Dプリンティングライセンス付与装置からターゲットサーバアドレスを取得するように構成された、第2のアドレス取得モジュール2908、ここで、ターゲットサーバアドレスはターゲットサーバのアドレスであり、
ターゲットサーバアドレスにアクセスしてターゲットサーバから更新ファイルをダウンロードするように構成された第2のアドレスアクセスモジュール2909、および
製品クラスと更新ファイルに従う第3の安全基準との間の対応関係を更新するように構成された、第2の基準更新モジュール2910。
【０４４４】
この実施形態では、3Dプリンティング装置が提供されており、ここで、第2の安全判定ユニット29033は製品クラスと第3の安全基準との間の対応関係に従ってターゲットプリントファイルの安全性を判定し、第2の基準更新モジュール2910は製品クラスと第3の安全基準との間の対応関係を常時更新する。この方法によると、ターゲットプリントファイルの安全性に関する3Dプリンティング装置および3Dプリンティングライセンス付与装置による二次判定が実施され、それはさらにターゲット製品に規制を実施して、危険性の高い品物の生産を規制するための難しい問題を解決し、社会の安定性や市民個人の安全を確実にする。加えて、第2の基準更新モジュール2910は製品クラスと第3の安全基準との間の対応関係を常時更新し、その結果、第2の安全判定ユニット29033によって取得される、製品クラスと第3の安全基準との間の対応関係はより優れたリアルタイム性能を有し、製品クラスと第3の安全基準との間の対応関係に従うターゲットプリントファイルの安全性に関する判定はより正確で信頼できる。
【０４４５】
上述の実施形態を理解しやすくするために、一例として上述の実施形態の特定の適用シナリオを使用した説明が以下で提供される。
【０４４６】
第2の事前設定ストレージモジュール2901は3Dプリンティングライセンス付与装置から既定のプリンティングライセンスを受信し、既定のプリンティングライセンスを保存する。既定のプリンティングライセンスの内容は、その目的が警察による使用の銃は既定のプリンティングライセンスを満たすが、その目的が軍事使用の銃は既定のプリンティングライセンスを満たさない。
【０４４７】
ユーザは3Dプリンティングデザイン装置を使用して小型の銃のプリントファイルをデザインする。第2のファイル取得モジュール2902がプリントファイルを3Dプリンティングデザインシステムから取得してから、第2の属性取得ユニット29031はプリントファイルのターゲット製品の属性を取得し、ここで、属性には、デザインされた製品が銃で、銃の口径が5．8ミリメートルで、銃は軍事目的で使用されることが含まれる。属性からプリントファイルでデザインされた製品が銃であることを知ることができ、銃は害を及ぼすので、第2のクラス取得ユニット29032はプリントファイルのターゲット製品のクラスが安全ではない製品と判定し、第2の安全判定ユニット29033はプリントファイルが第3の安全基準を満たさないと判定する。したがって、第2の事前設定判定モジュール2904は、プリントファイルに対応する既定のプリンティングライセンスが保存されたかどうかを判定する。第2の事前設定ストレージモジュール2901に保存されている既定のプリンティングライセンスは警察による使用の目的のみを許可し、軍事使用の目的を許容しないので、第2の事前設定判定ユニット2904はプリントファイルに対応する既定のプリンティングライセンスを保存していないと判定する。したがって、第2の要求送信モジュール2905は第2のライセンス要求情報を3Dプリンティングライセンス付与装置に送信し、ここで、第2のライセンス要求情報の内容はプリントファイルのターゲット製品の属性である。
【０４４８】
安全性の判定後、3Dプリンティングライセンス付与装置は小型の銃が製造可能であることを考慮し、したがって、3Dプリンティングライセンス付与装置は第3のプリンティングライセンスを3Dプリンティング装置へ送信する。第2のライセンス判定モジュール2906が第2のプリンティングライセンスを受信したと判定した後、第2のファイルプリンティングモジュール2907はプリントファイルをプリントし、ここで、取得されたターゲット製品は小型の銃である。
【０４４９】
3Dプリンティングライセンス装置では、事前設定の時間の長さ毎に、第2のアドレス取得モジュール2908は3Dプリンティングライセンス付与装置からターゲットサーバアドレスを取得し、第2のアドレスアクセスモジュール2909はターゲットサーバアドレスにアクセスして、ターゲットサーバから更新ファイルをダウンロードする。第2の基準更新モジュール2910は製品クラスと更新ファイルに従う第3の安全基準との間の対応関係を更新する。
【０４５０】
図21をさらに参照すると、本発明の実施形態では、3Dプリンティング装置も提供している。
【０４５１】
図で示されている3Dプリンティング装置2100は図25から図29で示されているいずれかの実施形態で提供された3Dプリンティング装置の一例に過ぎず、3Dプリンティング装置2100は図で示されているものより多数または少数のコンポーネントを有する場合、または2つ以上のコンポーネントが組み合わされる場合、または異なるコンポーネント構成が使用される場合があることに留意されたい。図で示されているコンポーネントは、1つまたは複数の信号処理および／または特定用途向け集積回路を含むハードウェア、ソフトウェア、またはハードウェアとソフトウェアの組合せに実装することができる。
【０４５２】
一例として3Dプリンティング装置を使用して、説明がこれから提供される。図21で示されているように、3Dプリンティング装置は、メモリ2101、中央処理ユニット（Central Processing Unit、以下では略してCPU）2102、周辺機器インターフェイス2103、RF回路2104、オーディオ回路2105、スピーカ2106、電源管理集積チップ2107、入力／出力（I／O）サブシステム2108、別の入力／制御デバイス2109、および外部ポート2110を含んでおり、ここで、これらのコンポーネントは1つまたは複数の通信バスあるいは単一ライン2111を使用して互いに通信している。
【０４５３】
この実施形態で提供されている3Dプリンティング装置は、本発明の実施形態で提供された3Dプリンティング装置の一例に過ぎないことに留意されたい。本発明の実施形態に包含される3Dプリンティング装置には、図21で示されるものより多いまたは少ないコンポーネントが含まれる場合、あるいは、2つ以上のコンポーネントが組み合わされる場合、あるいは異なるコンポーネント構成または設定が使用される場合があり、コンポーネントは、1つまたは複数の信号処理および／または特定用途向け集積回路を含むハードウェア、ソフトウェア、またはハードウェアとソフトウェアの組合せに実装することができる。
【０４５４】
この実施形態で提供されている3Dプリンティング装置は詳細に以下で説明される。
【０４５５】
メモリ2101：メモリ2101はプログラムコードおよびデータを保存するように構成され、CPU2102、周辺機器インターフェイス2103などからアクセスすることができ、メモリ2101には高速ランダムアクセスメモリを含めることができ、例えば、1つまたは複数の磁気ディスクストレージデバイス、フラッシュメモリデバイス、または他の不揮発性のソリッドステートメモリデバイスなどの不揮発性メモリをさらに含めることができる。
【０４５６】
CPU2102：CPU2102はメモリ2101からプログラムコードを取得し、取得したプログラムに従ってRF回路2104およびI／Oサブシステム2108などの回路の実際の動作を制御することができる。
【０４５７】
周辺機器インターフェイス2103：周辺機器インターフェイスはデバイスの入力および出力周辺機器をCPU2102およびメモリ2101に接続することができる。
【０４５８】
I／Oサブシステム2108：I／Oサブシステム2108は、例えば、表示画面2112および別の入力／制御デバイス2109などのデバイスの入力および出力周辺機器を周辺機器インターフェイス2103に接続することができる。I／Oサブシステム2108には、ディスプレイコントローラ21081および別の入力／制御デバイス2109を制御するように構成された1つまたは複数の入力コントローラ21082を含めることができる。1つまたは複数の入力コントローラ21082は別の入力／制御デバイス2109から電気信号を受信するか、または電気信号を別の入力／制御デバイス2109に送信し、ここで、別の入力／制御デバイス2109には、物理的ボタン（プレスボタン、ロッカーボタンなど）、ダイヤル、スライドスイッチ、ジョイスティック、およびクリックスクロールホイールを含めることができる。入力コントローラ21082は次のコンポーネント、すなわち、キーボード、赤外線ポート、USBインターフェイス、およびマウスなどのポインティングデバイスのいずれか1つに接続することができることに留意されたい。
【０４５９】
表示画面2112：表示画面2112は3Dプリンティング装置とユーザとの間の出力インターフェイスとして機能して、ユーザに視認可能な出力を表示し、ここで、視認可能な出力にはピクチャ、テキスト、アイコン、ビデオなどを含めることができる。
【０４６０】
I／Oサブシステム2108のディスプレイコントローラ21081は表示画面2112から電気信号を受信するか、または電気信号を表示画面2112に送信する。表示画面2112はタッチ画面のタッチを検出して、ディスプレイコントローラ21081は検出されたタッチを表示画面2112に表示されたユーザインターフェイスオブジェクトとの対話、すなわち、マン・マシン対話に変換し、ここで、表示画面2112に表示されたユーザインターフェイスオブジェクトはゲーム実行アイコン、対応するネットワークにリンクしたアイコンなどとすることができる。デバイスには、光学マウスをさらに含めることができ、ここで、光学マウスは視認可能な出力を表示しないタッチセンサ式のサーフェス、またはタッチ画面によって形成されたタッチセンサ式のサーフェスの拡張部分であることに留意されたい。
【０４６１】
RF回路2104は3Dプリンティング装置とワイヤレスネットワーク（すなわち、ネットワーク側）との間の通信を確立して、3Dプリンティング装置とワイヤレスネットワークとの間で、例えば、ショートメッセージサービスおよび電子メールの送受信など、データの受信および送信を実施するように主に構成されている。特に、RF回路2104はRF信号を受信して送信し、ここで、RF信号は電磁信号とも呼ばれ、RF回路2104は電気信号を電磁信号に変換するか、または電磁信号を電気信号に変換し、電磁信号を使用して通信ネットワークおよび別のデバイスと通信する。RF回路2104には、これらの機能を行うように構成された既知の回路を含めることができ、これに限定されるものではないが、アンテナシステム、RFトランシーバ、1つまたは複数のアンプ、チューナー、1つまたは複数のオシレータ、デジタル信号プロセッサ、CODECチップセット、加入者識別モジュール（Subscriber Identity Module、SIM）などが含まれる。
【０４６２】
オーディオ回路2105は周辺機器インターフェイス2103からオーディオデータを受信して、オーディオデータを電気信号に変換し、電気信号をスピーカ2106に送信するように主に構成されている。
【０４６３】
スピーカ2106は、音を出すために、RF回路2104を使用してワイヤレスネットワークから3Dプリンティング装置によって受信された音声信号を復元し、ユーザに音を再生するように構成されている。
【０４６４】
電源管理集積チップ2107はCPU2102、I／Oサブシステム、および周辺機器インターフェイスに接続されたハードウェアに電力を供給して、電源管理を行うように構成されている。
【０４６５】
図30は、3Dプリンティング装置の内部部品の構造図である。この実施形態では、CPU3001は次のように特に構成されている。
ターゲットプリントファイルを取得する、
ターゲットプリントファイルに対応するターゲット製品の属性を取得する、
ターゲット製品の属性に従って、ターゲットプリントファイルに対応するターゲット製品のクラスを取得する、
製品クラスと第3の安全基準との間の対応関係に従って、ターゲットプリントファイルが第3の安全基準を満たすかどうかを判定する、
ターゲットプリントファイルに対応する既定のプリンティングライセンスが保存されたかどうかを判定する、
3Dプリンティングライセンス付与センターにより送信された第3のプリンティングライセンスを受信したかどうかを判定する、および
製品クラスと更新ファイルに従う第3の安全基準との間の対応関係を更新する。
【０４６６】
この実施形態では、RF回路3002は次のように特に構成されている。
第2のライセンス要求情報を3Dプリンティングライセンス付与装置に送信する、
3Dプリンティングライセンス付与装置からターゲットサーバアドレスを取得する、および
ターゲットサーバアドレスにアクセスして、ターゲットサーバから更新ファイルをダウンロードする。
【０４６７】
この実施形態では、メモリ3003は次のように特に構成されている。
3Dプリンティングライセンス付与装置によって送信された既定のプリンティングライセンスを受信して、既定のプリンティングライセンスを保存する。
【０４６８】
この実施形態では、I／Oサブシステム3004はターゲットプリントファイルをプリントするように特に構成されている。
【０４６９】
図25から図30で示された実施形態では、複数の3Dプリンティング装置が提供されており、ここで、3Dプリンティングの観点からターゲット製品に規制が実施される。次の実施形態では、3Dプリンティングライセンス付与装置が提供されており、ここで、プリンティングライセンス付与の観点からターゲット製品に規制が実施される。図31を参照すると、本発明のこの実施形態で提供される3Dプリンティングライセンス付与装置3100の基本構造には、次が含まれる。
3Dプリンティングデザイン装置によって送信された第1のライセンス要求情報を受信するように構成された、第1の要求受信モジュール3101、
第1のライセンス要求情報が第2の安全基準を満たしているかどうかを判定するように構成された、第1の基準判定モジュール3102、および
第1の基準判定モジュール3102が、第1のライセンス要求情報が第2の安全基準を満たすと判定する場合に、第1のプリンティングライセンスを3Dプリンティングデザイン装置に送信するように構成された第1のライセンス送信モジュール3103、ここで、第1のプリンティングライセンスは、3Dプリンティングデザイン装置が第1のライセンス要求情報に対応するターゲットプリントファイルを3Dプリンティング装置に送信できるように使用される。
【０４７０】
この実施形態では、3Dプリンティングライセンス付与装置が提供されており、ここで、プリンティングライセンス付与の観点からターゲット製品に規制が実施される。第1の要求受信モジュール3101は3Dプリンティングデザイン装置によって送信された第1のライセンス要求情報を受信し、第1の基準判定モジュール3102は第1のライセンス要求情報が第2の安全基準を満たすかどうかを判定し、満たしている場合には、第1のライセンス送信モジュール3103は第1のプリンティングライセンスを3Dプリンティングデザイン装置に送信する。この方法によると、ターゲットプリントファイルの安全性に関する判定が実施され、それはさらにターゲット製品に規制を実施して、危険性の高い品物の生産を規制するための難しい問題を解決し、社会の安定性や市民個人の安全を確実にする。
【０４７１】
図31で示された実施形態では、3Dプリンティングライセンス付与装置が提供され、ここで、当該装置はプリントファイルの安全性に関するプリンティングライセンス付与センターによる判定を実施する。次の実施形態では、新しい3Dプリンティングライセンス付与装置3200が提供され、それは、プリントファイルの安全性に関する規制をさらに強化することができる。図32を参照すると、本発明の別の実施形態の基本構造には、次が含まれる。
3Dプリンティングデザイン装置によって送信された第1のライセンス要求情報を受信するように構成された、第1の要求受信モジュール3201、
第1のライセンス要求情報に従うライセンス要求クラスを取得するように構成された、クラス取得モジュール3202、
ライセンス要求クラスに対応するライセンス要求情報に対する処理の回数の数量を取得するように構成された、回数の数量の取得のためのモジュール3203、
ライセンス要求クラスに対応するライセンス要求情報に対する処理の回数の数量が回数の事前設定数量に達したかどうかを判定するように構成された、回数の数量の判定のためのモジュール3204、
回数の数量を判定するためのモジュールがライセンス要求クラスに対応するライセンス要求情報に対する処理の回数の数量が回数の事前設定数量に達していないと判定する場合に、第1のライセンス要求情報が第2の安全基準を満たしているかどうかを判定するように構成された、第1の基準判定モジュール3205、および
第1の基準判定モジュール3205が、第1のライセンス要求情報が第2の安全基準を満たすと判定する場合に、第1のプリンティングライセンスを3Dプリンティングデザイン装置に送信するように構成された第1のライセンス送信モジュール3206、ここで、第1のプリンティングライセンスは、3Dプリンティングデザイン装置が第1のライセンス要求情報に対応するターゲットプリントファイルを3Dプリンティング装置に送信できるように使用される。
【０４７２】
この実施形態では、3Dプリンティングライセンス付与装置が提供されており、ここで、プリンティングライセンス付与の観点からターゲット製品に規制が実施される。第1の要求受信モジュール3201は第1のライセンス要求情報を受信し、第1の基準判定モジュール3205は第1のライセンス要求情報が第2の安全基準を満たすかどうかを判定し、満たしている場合には、第1のライセンス送信モジュール3206は第1のプリンティングライセンスを3Dプリンティングデザインシステムに送信する。この方法によると、ターゲットプリントファイルの安全性に関するプリンティングライセンス付与センターによる判定が実施され、それはさらにターゲット製品に規制を実施して、危険性の高い品物の生産を規制するための難しい問題を解決し、社会の安定性や市民個人の安全を確実にする。加えて、回数の数量の判定のためのモジュール3204はライセンス要求クラスに対応するライセンス要求情報に対する処理の回数の数量が回数の事前設定数量に達したかどうかを判定し、達している場合には、第1のプリンティングライセンスは3Dプリンティングデザイン装置に送信されず、その結果、3Dプリンティングライセンス付与装置は回数の事前設定数量内のライセンス要求情報にライセンス付与してそれを許可し、それはターゲット製品の生産数量の制御を実施するので、プリントファイルの安全性に関する規制をさらに強化する。
【０４７３】
上述の実施形態を理解しやすくするために、一例として上述の実施形態の特定の適用シナリオを使用した説明が以下で提供される。
【０４７４】
3Dプリンティングライセンス付与装置で、第1の要求受信モジュール3201は3Dプリンティングデザイン装置によって送信された第1のライセンス要求情報を受信し、ここで、第1のライセンス要求情報はプリントファイルのターゲット製品の属性であり、そしてプリントファイルのターゲット製品は小型の銃であり、ターゲット属性には、ターゲット製品が銃で、銃の口径が5．8ミリメートルで、銃は軍事目的で使用されることが含まれる。
【０４７５】
3Dプリンティングライセンス付与装置が第1のライセンス要求情報を受信した後、クラス取得モジュール3202は第1のライセンス要求情報に従ってライセンス要求クラスを取得し、ライセンス要求クラスが銃クラスであることを取得する。回数の数量の取得のためのモジュール3203が、3Dプリンティングライセンス付与装置が全部で345回、銃クラスのライセンス要求情報を処理したことを取得して、回数の数量の判定のためのモジュール3204が、345回が500回の回数の事前設定数量に達していないと判定し、したがって、第1の基準判定モジュール3205は第1のライセンス要求情報が第2の安全基準を満たすかどうかを判定する。第1の基準判定モジュール3205の判定基準は、第1のライセンス要求情報に含まれる銃の口径が6ミリメートル未満の場合には、第1のライセンス要求情報は第2の安全基準を満たしていると考慮する。したがって、第1の基準判定モジュール3205は第1のライセンス要求情報が第2の安全基準を満たすと考慮し、プリントファイルをプリントすることができる。したがって、第1のライセンス送信モジュール3206は第1のプリンティングライセンスを3Dプリンティングデザイン装置に送信する。
【０４７６】
図21をさらに参照すると、本発明の実施形態では、3Dプリンティングライセンス付与装置も提供している。
【０４７７】
図で示されている3Dプリンティングライセンス付与装置2100は、図31と図32で示されたいずれかの実施形態で提供された3Dプリンティングライセンス付与装置の一例に過ぎず、3Dプリンティングライセンス付与装置2100は図で示されているものより多数または少数のコンポーネントを有する場合、または2つ以上のコンポーネントが組み合わされる場合、または異なるコンポーネント構成が使用される場合があることに留意されたい。図で示されているコンポーネントは、1つまたは複数の信号処理および／または特定用途向け集積回路を含むハードウェア、ソフトウェア、またはハードウェアとソフトウェアの組合せに実装することができる。
【０４７８】
一例として3Dプリンティングライセンス付与装置を使用して、特定の説明がこれから提供される。図21で示されているように、3Dプリンティングライセンス付与装置には、メモリ2101、中央処理ユニット（Central Processing Unit、以下では略してCPU）2102、周辺機器インターフェイス2103、RF回路2104、オーディオ回路2105、スピーカ2106、電源管理集積チップ2107、入力／出力（I／O）サブシステム2108、別の入力／制御デバイス2109、および外部ポート2110を含んでおり、ここで、これらのコンポーネントは1つまたは複数の通信バスあるいは単一ライン2111を使用して互いに通信している。
【０４７９】
この実施形態で提供されている3Dプリンティングライセンス付与装置は、本発明の実施形態で提供された3Dプリンティングライセンス付与装置の一例に過ぎないことに留意されたい。本発明の実施形態に包含される3Dプリンティングライセンス付与装置には、図21で示されるものより多いまたは少ないコンポーネントが含まれる場合、あるいは、2つ以上のコンポーネントが組み合わされる場合、あるいは異なるコンポーネント構成または設定が使用される場合があり、コンポーネントは、1つまたは複数の信号処理および／または特定用途向け集積回路を含むハードウェア、ソフトウェア、またはハードウェアとソフトウェアの組合せに実装することができる。
【０４８０】
この実施形態で提供されている3Dプリンティングライセンス付与装置は詳細に以下で説明される。
【０４８１】
メモリ2101：メモリ2101はプログラムコードおよびデータを保存するように構成され、CPU2102、周辺機器インターフェイス2103などからアクセスすることができ、メモリ2101には高速ランダムアクセスメモリを含めることができ、例えば、1つまたは複数の磁気ディスクストレージデバイス、フラッシュメモリデバイス、または他の不揮発性のソリッドステートメモリデバイスなどの不揮発性メモリをさらに含めることができる。
【０４８２】
CPU2102：CPU2102はメモリ2101からプログラムコードを取得し、取得したプログラムに従ってRF回路2104およびI／Oサブシステム2108などの回路の実際の動作を制御することができる。
【０４８３】
周辺機器インターフェイス2103：周辺機器インターフェイスはデバイスの入力および出力周辺機器をCPU2102およびメモリ2101に接続することができる。
【０４８４】
I／Oサブシステム2108：I／Oサブシステム2108は、例えば、表示画面2112および別の入力／制御デバイス2109などのデバイスの入力および出力周辺機器を周辺機器インターフェイス2103に接続することができる。I／Oサブシステム2108には、ディスプレイコントローラ21081および別の入力／制御デバイス2109を制御するように構成された1つまたは複数の入力コントローラ21082を含めることができる。1つまたは複数の入力コントローラ21082は別の入力／制御デバイス2109から電気信号を受信するか、または電気信号を別の入力／制御デバイス2109に送信し、ここで、別の入力／制御デバイス2109には、物理的ボタン（プレスボタン、ロッカーボタンなど）、ダイヤル、スライドスイッチ、ジョイスティック、およびクリックスクロールホイールを含めることができる。入力コントローラ21082は次のコンポーネント、すなわち、キーボード、赤外線ポート、USBインターフェイス、およびマウスなどのポインティングデバイスのいずれか1つに接続することができることに留意されたい。
【０４８５】
表示画面2112：表示画面2112は3Dプリンティングライセンス付与装置とユーザとの間の出力インターフェイスとして機能して、ユーザに視認可能な出力を表示し、ここで、視認可能な出力にはピクチャ、テキスト、アイコン、ビデオなどを含めることができる。
【０４８６】
I／Oサブシステム2108のディスプレイコントローラ21081は表示画面2112から電気信号を受信するか、または電気信号を表示画面2112に送信する。表示画面2112はタッチ画面のタッチを検出して、ディスプレイコントローラ21081は検出されたタッチを表示画面2112に表示されたユーザインターフェイスオブジェクトとの対話、すなわち、マン・マシン対話に変換し、ここで、表示画面2112に表示されたユーザインターフェイスオブジェクトはゲーム実行アイコン、対応するネットワークにリンクしたアイコンなどとすることができる。デバイスには、光学マウスをさらに含めることができ、ここで、光学マウスは視認可能な出力を表示しないタッチセンサ式のサーフェス、またはタッチ画面によって形成されたタッチセンサ式のサーフェスの拡張部分であることに留意されたい。
【０４８７】
RF回路2104は3Dプリンティングライセンス付与装置とワイヤレスネットワーク（すなわち、ネットワーク側）との間の通信を確立して、3Dプリンティングライセンス付与装置とワイヤレスネットワークとの間で、例えば、ショートメッセージサービスおよび電子メールの送受信など、データの受信および送信を実施するように主に構成されている。特に、RF回路2104はRF信号を受信して送信し、ここで、RF信号は電磁信号とも呼ばれ、RF回路2104は電気信号を電磁信号に変換するか、または電磁信号を電気信号に変換し、電磁信号を使用して通信ネットワークおよび別のデバイスと通信する。RF回路2104には、これらの機能を行うように構成された既知の回路を含めることができ、これに限定されるものではないが、アンテナシステム、RFトランシーバ、1つまたは複数のアンプ、チューナー、1つまたは複数のオシレータ、デジタル信号プロセッサ、CODECチップセット、加入者識別モジュール（Subscriber Identity Module、SIM）などが含まれる。
【０４８８】
オーディオ回路2105は周辺機器インターフェイス2103からオーディオデータを受信して、オーディオデータを電気信号に変換し、電気信号をスピーカ2106に送信するように主に構成されている。
【０４８９】
スピーカ2106は、音を出すために、RF回路2104を使用してワイヤレスネットワークから3Dプリンティングライセンス付与装置によって受信された音声信号を復元し、ユーザに音を再生するように構成されている。
【０４９０】
電源管理集積チップ2107はCPU2102、I／Oサブシステム、および周辺機器インターフェイスに接続されたハードウェアに電力を供給して、電源管理を行うように構成されている。
【０４９１】
図33は、3Dプリンティング装置の内部部品の構造図である。この実施形態では、CPU3301は次のように特に構成されている。
第1のライセンス要求情報に従いライセンス要求クラスを取得する、
ライセンス要求クラスに対応するライセンス要求情報に対する処理の回数の数量を取得する、
ライセンス要求クラスに対応するライセンス要求情報に対する処理の回数の数量が回数の事前設定数量に達したかどうかを判定する、および
第1のライセンス要求情報が第2の安全基準を満たすかどうかを判定する。
【０４９２】
この実施形態では、RF回路3302は次のように特に構成されている。
3Dプリンティングデザイン装置により送信された第1のライセンス要求情報を受信する、および
第1のプリンティングライセンスを3Dプリンティングデザイン装置に送信する。
【０４９３】
図31から図33で示された実施形態では、様々な3Dプリンティングライセンス付与装置が提供されており、ここで、当該装置は第1のプリンティングライセンスを3Dプリンティングデザイン装置に送信する。次の実施形態では、別の3Dプリンティングライセンス付与装置3400が提供されており、ここで、装置は第2のプリンティングライセンスを3Dプリンティングシステムに送信する。図34を参照すると、本発明の別の実施形態の基本構造には、次が含まれる。
3Dプリンティングデザイン装置によって送信された第1のライセンス要求情報を受信するように構成された、第2の要求受信モジュール3401、
第1のライセンス要求情報が第2の安全基準を満たしているかどうかを判定するように構成された、第2の基準判定モジュール3402、および
第2の基準判定モジュール3402が、第1のライセンス要求情報が第2の安全基準を満たすと判定する場合に、第2のプリンティングライセンスを3Dプリンティング装置に送信するように構成された第2のライセンス送信モジュール3403、ここで、第2のプリンティングライセンスは、3Dプリンティング装置が第1のライセンス要求情報に対応するターゲットプリントファイルをプリントできるように使用される。
【０４９４】
この実施形態では、3Dプリンティングライセンス付与装置が提供されており、ここで、プリンティングライセンス付与の観点からターゲット製品に規制が実施される。第2の要求受信モジュール3401は3Dプリンティングデザイン装置によって送信された第1のライセンス要求情報を受信し、第2の基準判定モジュール3402は第1のライセンス要求情報が第2の安全基準を満たすかどうかを判定し、満たしている場合には、第2のライセンス送信モジュール3403は第2のプリンティングライセンスを3Dプリンティング装置に送信する。この方法によると、ターゲットプリントファイルの安全性に関する判定が実施され、それはさらにターゲット製品に規制を実施して、危険性の高い品物の生産を規制するための難しい問題を解決し、社会の安定性や市民個人の安全を確実にする。
【０４９５】
上述の実施形態を理解しやすくするために、一例として上述の実施形態の特定の適用シナリオを使用した説明が以下で提供される。
【０４９６】
第2の要求受信モジュール3401は3Dプリンティングデザイン装置によって送信された第1のライセンス要求情報を受信し、ここで、第1のライセンス要求情報はプリントファイルのターゲット製品の属性であり、そしてプリントファイルのターゲット製品は小型の銃であり、ターゲット属性には、ターゲット製品が銃で、銃の口径が5．8ミリメートルで、銃は軍事目的で使用されることが含まれる。
【０４９７】
第2の要求受信モジュール3401が第1のライセンス要求情報を受信した後、第2の基準判定モジュール3402は第1のライセンス要求情報が第2の安全基準を満たすかどうかを判定する。第2の基準判定モジュール3402の判定基準は、第1のライセンス要求情報に含まれる銃の口径が6ミリメートル未満の場合には、第1のライセンス要求情報は第2の安全基準を満たしていると考慮する。したがって、第2の基準判定モジュール3402は第1のライセンス要求情報が第2の安全基準を満たすと考慮し、プリントファイルをプリントすることができる。したがって、第2のライセンス送信モジュール3403は第2のプリンティングライセンスを3Dプリンティング装置に送信する。
【０４９８】
図21をさらに参照すると、本発明の実施形態では、3Dプリンティングライセンス付与装置も提供している。
【０４９９】
図で示されている3Dプリンティングライセンス付与装置2100は図31と図32で示されたいずれかの実施形態で提供された3Dプリンティングライセンス付与装置の一例に過ぎず、3Dプリンティングライセンス付与装置2100は図で示されているものより多数または少数のコンポーネントを有する場合、または2つ以上のコンポーネントが組み合わされる場合、または異なるコンポーネント構成が使用される場合があることに留意されたい。図で示されているコンポーネントは、1つまたは複数の信号処理および／または特定用途向け集積回路を含むハードウェア、ソフトウェア、またはハードウェアとソフトウェアの組合せに実装することができる。
【０５００】
一例として3Dプリンティングライセンス付与装置を使用して、特定の説明がこれから提供される。図21で示されているように、3Dプリンティングライセンス付与装置には、メモリ2101、中央処理ユニット（Central Processing Unit、以下では略してCPU）2102、周辺機器インターフェイス2103、RF回路2104、オーディオ回路2105、スピーカ2106、電源管理集積チップ2107、入力／出力（I／O）サブシステム2108、別の入力／制御デバイス2109、および外部ポート2110を含んでおり、ここで、これらのコンポーネントは1つまたは複数の通信バスあるいは単一ライン2111を使用して互いに通信している。
【０５０１】
この実施形態で提供されている3Dプリンティングライセンス付与装置は、本発明の実施形態で提供された3Dプリンティングライセンス付与装置の一例に過ぎないことに留意されたい。本発明の実施形態に包含される3Dプリンティングライセンス付与装置には、図21で示されるものより多いまたは少ないコンポーネントが含まれる場合、あるいは、2つ以上のコンポーネントが組み合わされる場合、あるいは異なるコンポーネント構成または設定が使用される場合があり、コンポーネントは、1つまたは複数の信号処理および／または特定用途向け集積回路を含むハードウェア、ソフトウェア、またはハードウェアとソフトウェアの組合せに実装することができる。
【０５０２】
この実施形態で提供されている3Dプリンティングライセンス付与装置は詳細に以下で説明される。
【０５０３】
メモリ2101：メモリ2101はプログラムコードおよびデータを保存するように構成され、CPU2102、周辺機器インターフェイス2103などからアクセスすることができ、メモリ2101には高速ランダムアクセスメモリを含めることができ、例えば、1つまたは複数の磁気ディスクストレージデバイス、フラッシュメモリデバイス、または他の不揮発性のソリッドステートメモリデバイスなどの不揮発性メモリをさらに含めることができる。
【０５０４】
CPU2102：CPU2102はメモリ2101からプログラムコードを取得し、取得したプログラムに従ってRF回路2104およびI／Oサブシステム2108などの回路の実際の動作を制御することができる。
【０５０５】
周辺機器インターフェイス2103：周辺機器インターフェイスはデバイスの入力および出力周辺機器をCPU2102およびメモリ2101に接続することができる。
【０５０６】
I／Oサブシステム2108：I／Oサブシステム2108は、例えば、表示画面2112および別の入力／制御デバイス2109などのデバイスの入力および出力周辺機器を周辺機器インターフェイス2103に接続することができる。I／Oサブシステム2108には、ディスプレイコントローラ21081および別の入力／制御デバイス2109を制御するように構成された1つまたは複数の入力コントローラ21082を含めることができる。1つまたは複数の入力コントローラ21082は別の入力／制御デバイス2109から電気信号を受信するか、または電気信号を別の入力／制御デバイス2109に送信し、ここで、別の入力／制御デバイス2109には、物理的ボタン（プレスボタン、ロッカーボタンなど）、ダイヤル、スライドスイッチ、ジョイスティック、およびクリックスクロールホイールを含めることができる。入力コントローラ21082は次のコンポーネント、すなわち、キーボード、赤外線ポート、USBインターフェイス、およびマウスなどのポインティングデバイスのいずれか1つに接続することができることに留意されたい。
【０５０７】
表示画面2112：表示画面2112は3Dプリンティングライセンス付与装置とユーザとの間の出力インターフェイスとして機能して、ユーザに視認可能な出力を表示し、ここで、視認可能な出力にはピクチャ、テキスト、アイコン、ビデオなどを含めることができる。
【０５０８】
I／Oサブシステム2108のディスプレイコントローラ21081は表示画面2112から電気信号を受信するか、または電気信号を表示画面2112に送信する。表示画面2112はタッチ画面のタッチを検出して、ディスプレイコントローラ21081は検出されたタッチを表示画面2112に表示されたユーザインターフェイスオブジェクトとの対話、すなわち、マン・マシン対話に変換し、ここで、表示画面2112に表示されたユーザインターフェイスオブジェクトはゲーム実行アイコン、対応するネットワークにリンクしたアイコンなどとすることができる。デバイスには、光学マウスをさらに含めることができ、ここで、光学マウスは視認可能な出力を表示しないタッチセンサ式のサーフェス、またはタッチ画面によって形成されたタッチセンサ式のサーフェスの拡張部分であることに留意されたい。
【０５０９】
RF回路2104は3Dプリンティングライセンス付与装置とワイヤレスネットワーク（すなわち、ネットワーク側）との間の通信を確立して、3Dプリンティングライセンス付与装置とワイヤレスネットワークとの間で、例えば、ショートメッセージサービスおよび電子メールの送受信など、データの受信および送信を実施するように主に構成されている。特に、RF回路2104はRF信号を受信して送信し、ここで、RF信号は電磁信号とも呼ばれ、RF回路2104は電気信号を電磁信号に変換するか、または電磁信号を電気信号に変換し、電磁信号を使用して通信ネットワークおよび別のデバイスと通信する。RF回路2104には、これらの機能を行うように構成された既知の回路を含めることができ、これに限定されるものではないが、アンテナシステム、RFトランシーバ、1つまたは複数のアンプ、チューナー、1つまたは複数のオシレータ、デジタル信号プロセッサ、CODECチップセット、加入者識別モジュール（Subscriber Identity Module、SIM）などが含まれる。
【０５１０】
オーディオ回路2105は周辺機器インターフェイス2103からオーディオデータを受信して、オーディオデータを電気信号に変換し、電気信号をスピーカ2106に送信するように主に構成されている。
【０５１１】
スピーカ2106は、音を出すために、RF回路2104を使用してワイヤレスネットワークから3Dプリンティングライセンス付与装置によって受信された音声信号を復元し、ユーザに音を再生するように構成されている。
【０５１２】
電源管理集積チップ2107はCPU2102、I／Oサブシステム、および周辺機器インターフェイスに接続されたハードウェアに電力を供給して、電源管理を行うように構成されている。
【０５１３】
図35は、3Dプリンティング装置の内部部品の構造図である。この実施形態では、CPU3501は次のように特に構成されている。
第1のライセンス要求情報が第2の安全基準を満たすかどうかを判定する。
【０５１４】
この実施形態では、RF回路3502は次のように特に構成されている。
3Dプリンティングデザイン装置により送信された第1のライセンス要求情報を受信する、および
第2のプリンティングライセンスを3Dプリンティング装置に送信する。
【０５１５】
図34と図35で示された実施形態の両方で、3Dプリンティングライセンス付与装置は3Dプリンティングデザイン装置から第1のライセンス要求情報を受信する。実際には、3Dプリンティングライセンス付与装置は3Dプリンティング装置から第2のライセンス要求情報も受信する場合がある。図36を参照すると、本発明の別の実施形態3600の基本構造には、次が含まれる。
3Dプリンティング装置によって送信された第2のライセンス要求情報を受信するように構成された、第3の要求受信モジュール3601、
第2のライセンス要求情報が第2の安全基準を満たしているかどうかを判定するように構成された、第3の基準判定モジュール3602、および
第3の基準判定モジュールが、第2のライセンス要求情報が第2の安全基準を満たすと判定する場合に、第3のプリンティングライセンスを3Dプリンティング装置に送信するように構成された第3のライセンス送信モジュール3603、ここで、第2のプリンティングライセンスは3Dプリンティング装置が第2のライセンス要求情報に対応するターゲットプリントファイルをプリントできるように使用される。
【０５１６】
この実施形態では、3Dプリンティングライセンス付与装置が提供されており、ここで、プリンティングライセンス付与の観点からターゲット製品に規制が実施される。第3の要求受信モジュール3601は3Dプリンティングデザイン装置によって送信された第2のライセンス要求情報を受信し、第3の基準判定モジュール3602は第2のライセンス要求情報が第2の安全基準を満たすかどうかを判定し、満たしている場合には、第3のライセンス送信モジュール3603は第3のプリンティングライセンスを3Dプリンティング装置に送信する。この方法によると、ターゲットプリントファイルの安全性に関する判定が実施され、それはさらにターゲット製品に規制を実施して、危険性の高い品物の生産を規制するための難しい問題を解決し、社会の安定性や市民個人の安全を確実にする。
【０５１７】
上述の実施形態を理解しやすくするために、一例として上述の実施形態の特定の適用シナリオを使用した説明が以下で提供される。
【０５１８】
第3の要求受信モジュール3601は3Dプリンティングシステムによって送信された第2のライセンス要求情報を受信し、ここで、第2のライセンス要求情報はプリントファイルのターゲット製品の属性であり、そしてプリントファイルのターゲット製品は小型の銃であり、ターゲット属性には、ターゲット製品が銃で、銃の口径が5．8ミリメートルで、銃は軍事目的で使用されることが含まれる。
【０５１９】
第3の要求受信モジュール3601が第2のライセンス要求情報を受信した後、第3の基準判定モジュール3602は第2のライセンス要求情報が第2の安全基準を満たすかどうかを判定する。第3の基準判定モジュール3602の判定基準は、第2のライセンス要求情報に含まれる銃の口径が6ミリメートル未満の場合には、第2のライセンス要求情報は第2の安全基準を満たしていると考慮する。したがって、第3の基準判定モジュール3602は第2のライセンス要求情報が第2の安全基準を満たすと考慮し、プリントファイルをプリントすることができる。したがって、第3のライセンス送信モジュール3603は第3のプリンティングライセンスを3Dプリンティング装置に送信する。
【０５２０】
図21をさらに参照すると、本発明の実施形態では、3Dプリンティングライセンス付与装置も提供している。
【０５２１】
図で示されている3Dプリンティングライセンス付与装置2100は図31と図32で示されたいずれかの実施形態で提供された3Dプリンティングライセンス付与装置の一例に過ぎず、3Dプリンティングライセンス付与装置2100は図で示されているものより多数または少数のコンポーネントを有する場合、または2つ以上のコンポーネントが組み合わされる場合、または異なるコンポーネント構成が使用される場合があることに留意されたい。図で示されているコンポーネントは、1つまたは複数の信号処理および／または特定用途向け集積回路を含むハードウェア、ソフトウェア、またはハードウェアとソフトウェアの組合せに実装することができる。
【０５２２】
一例として3Dプリンティングライセンス付与装置を使用して、特定の説明がこれから提供される。図21で示されているように、3Dプリンティングライセンス付与装置には、メモリ2101、中央処理ユニット（Central Processing Unit、以下では略してCPU）2102、周辺機器インターフェイス2103、RF回路2104、オーディオ回路2105、スピーカ2106、電源管理集積チップ2107、入力／出力（I／O）サブシステム2108、別の入力／制御デバイス2109、および外部ポート2110を含んでおり、ここで、これらのコンポーネントは1つまたは複数の通信バスあるいは単一ライン2111を使用して互いに通信している。
【０５２３】
この実施形態で提供されている3Dプリンティングライセンス付与装置は、本発明の実施形態で提供された3Dプリンティングライセンス付与装置の一例に過ぎないことに留意されたい。本発明の実施形態に包含される3Dプリンティングライセンス付与装置には、図21で示されるものより多いまたは少ないコンポーネントが含まれる場合、あるいは、2つ以上のコンポーネントが組み合わされる場合、あるいは異なるコンポーネント構成または設定が使用される場合があり、コンポーネントは、1つまたは複数の信号処理および／または特定用途向け集積回路を含むハードウェア、ソフトウェア、またはハードウェアとソフトウェアの組合せに実装することができる。
【０５２４】
この実施形態で提供されている3Dプリンティングライセンス付与装置は詳細に以下で説明される。
【０５２５】
メモリ2101：メモリ2101はプログラムコードおよびデータを保存するように構成され、CPU2102、周辺機器インターフェイス2103などからアクセスすることができ、メモリ2101には高速ランダムアクセスメモリを含めることができ、例えば、1つまたは複数の磁気ディスクストレージデバイス、フラッシュメモリデバイス、または他の不揮発性のソリッドステートメモリデバイスなどの不揮発性メモリをさらに含めることができる。
【０５２６】
CPU2102：CPU2102はメモリ2101からプログラムコードを取得し、取得したプログラムに従ってRF回路2104およびI／Oサブシステム2108などの回路の実際の動作を制御することができる。
【０５２７】
周辺機器インターフェイス2103：周辺機器インターフェイスはデバイスの入力および出力周辺機器をCPU2102およびメモリ2101に接続することができる。
【０５２８】
I／Oサブシステム2108：I／Oサブシステム2108は、例えば、表示画面2112および別の入力／制御デバイス2109などのデバイスの入力および出力周辺機器を周辺機器インターフェイス2103に接続することができる。I／Oサブシステム2108には、ディスプレイコントローラ21081および別の入力／制御デバイス2109を制御するように構成された1つまたは複数の入力コントローラ21082を含めることができる。1つまたは複数の入力コントローラ21082は別の入力／制御デバイス2109から電気信号を受信するか、または電気信号を別の入力／制御デバイス2109に送信し、ここで、別の入力／制御デバイス2109には、物理的ボタン（プレスボタン、ロッカーボタンなど）、ダイヤル、スライドスイッチ、ジョイスティック、およびクリックスクロールホイールを含めることができる。入力コントローラ21082は次のコンポーネント、すなわち、キーボード、赤外線ポート、USBインターフェイス、およびマウスなどのポインティングデバイスのいずれか1つに接続することができることに留意されたい。
【０５２９】
表示画面2112：表示画面2112は3Dプリンティングライセンス付与装置とユーザとの間の出力インターフェイスとして機能して、ユーザに視認可能な出力を表示し、ここで、視認可能な出力にはピクチャ、テキスト、アイコン、ビデオなどを含めることができる。
【０５３０】
I／Oサブシステム2108のディスプレイコントローラ21081は表示画面2112から電気信号を受信するか、または電気信号を表示画面2112に送信する。表示画面2112はタッチ画面のタッチを検出して、ディスプレイコントローラ21081は検出されたタッチを表示画面2112に表示されたユーザインターフェイスオブジェクトとの対話、すなわち、マン・マシン対話に変換し、ここで、表示画面2112に表示されたユーザインターフェイスオブジェクトはゲーム実行アイコン、対応するネットワークにリンクしたアイコンなどとすることができる。デバイスには、光学マウスをさらに含めることができ、ここで、光学マウスは視認可能な出力を表示しないタッチセンサ式のサーフェス、またはタッチ画面によって形成されたタッチセンサ式のサーフェスの拡張部分であることに留意されたい。
【０５３１】
RF回路2104は3Dプリンティングライセンス付与装置とワイヤレスネットワーク（すなわち、ネットワーク側）との間の通信を確立して、3Dプリンティングライセンス付与装置とワイヤレスネットワークとの間で、例えば、ショートメッセージサービスおよび電子メールの送受信など、データの受信および送信を実施するように主に構成されている。特に、RF回路2104はRF信号を受信して送信し、ここで、RF信号は電磁信号とも呼ばれ、RF回路2104は電気信号を電磁信号に変換するか、または電磁信号を電気信号に変換し、電磁信号を使用して通信ネットワークおよび別のデバイスと通信する。RF回路2104には、これらの機能を行うように構成された既知の回路を含めることができ、これに限定されるものではないが、アンテナシステム、RFトランシーバ、1つまたは複数のアンプ、チューナー、1つまたは複数のオシレータ、デジタル信号プロセッサ、CODECチップセット、加入者識別モジュール（Subscriber Identity Module、SIM）などが含まれる。
【０５３２】
オーディオ回路2105は周辺機器インターフェイス2103からオーディオデータを受信して、オーディオデータを電気信号に変換し、電気信号をスピーカ2106に送信するように主に構成されている。
【０５３３】
スピーカ2106は、音を出すために、RF回路2104を使用してワイヤレスネットワークから3Dプリンティングライセンス付与装置によって受信された音声信号を復元し、ユーザに音を再生するように構成されている。
【０５３４】
電源管理集積チップ2107はCPU2102、I／Oサブシステム、および周辺機器インターフェイスに接続されたハードウェアに電力を供給して、電源管理を行うように構成されている。
【０５３５】
図37は、3Dプリンティング装置の内部部品の構造図である。この実施形態では、CPU3701は次のように特に構成されている。
第2のライセンス要求情報が第2の安全基準を満たすかどうかを判定する。
【０５３６】
この実施形態では、RF回路3702は次のように特に構成されている。
3Dプリンティング装置により送信された第2のライセンス要求情報を受信する、および
第3のプリンティングライセンスを3Dプリンティング装置に送信する。
【０５３７】
図38を参照すると、本発明の実施形態では、3Dプリンティングシステムも提供している。システム3800の主な構造には、図16および図17で示されたいずれかの実施形態で提供された3Dプリンティングデザイン装置3801および3Dプリンティング装置3802が含まれる。
【０５３８】
図39を参照すると、本発明の実施形態では、3Dプリンティングシステムも提供している。システム3900の主な構造には、図18から図22で示されたいずれかの実施形態で提供された3Dプリンティングデザイン装置3901、図31から図33で示されたいずれかの実施形態で提供された3Dプリンティングライセンス付与装置3902、および3Dプリンティング装置3903が含まれる。
【０５３９】
図40を参照すると、本発明の実施形態では、3Dプリンティングシステムも提供している。システム4000の主な構造には、図18から図22で示されたいずれかの実施形態で提供された3Dプリンティングデザイン装置4001、図34および図35で示されたいずれかの実施形態で提供された3Dプリンティングライセンス付与装置4002、および図23および図24で示されたいずれかの実施形態で提供された3Dプリンティング装置4003が含まれる。
【０５４０】
図41を参照すると、本発明の実施形態では、3Dプリンティングシステムも提供している。システム4100の主な構造には、図25および図26で示されたいずれかの実施形態で提供された3Dプリンティングデザイン装置4101および3Dプリンティング装置4102が含まれる。
【０５４１】
図42を参照すると、本発明の実施形態では、3Dプリンティングシステムも提供している。システム4200の主な構造には、3Dプリンティングデザイン装置4201、図36および図37で示されたいずれかの実施形態で提供された3Dプリンティングライセンス付与装置4202、および図27から図30で示されたいずれかの実施形態で提供された3Dプリンティング装置4203が含まれる。
【０５４２】
簡便で短い説明のため、上述のシステム、装置、およびユニットの詳細な作業プロセスのために、上述の方法実施形態の対応するプロセスに参照が行われる場合があり、詳細は本明細書では再説明されないことを、当業者は明確に理解していただけると思う。
【０５４３】
本願で提供されたいくつかの実施形態では、開示されたシステム、装置、および方法は他の方法でも実施することができることを理解していただきたい。例えば、説明された装置実施形態は単なる例示に過ぎない。例えば、ユニットの分割は単なる論理機能分割で、実際の実施形態では他の分割とすることもできる。例えば、複数のユニットまたはコンポーネントは組合せたり、または別のシステムに統合したり、またはいくつかの機能を無視したり、または実行しないようにすることもできる。加えて、表示されまたは説明された相互結合または直接結合または通信接続は、いくつかのインターフェイスを使用して実施することができる。装置またはユニット間の間接結合または通信接続は電子的、機械的または他の形で実施することができる。
【０５４４】
別々の部品として説明されたユニットは物理的に別々の場合もあれば、または別々でない場合もあり、ユニットとして表示された部品は物理的なユニットの場合もあれば、またはそうではない場合もあり、一箇所に配置される場合もあれば、複数のネットワークユニットに分散される場合もある。実施形態の解決策の目的を達成するために、ユニットの一部または全部が実際のニーズに従って選択される場合がある。
【０５４５】
加えて、本発明の実施形態の機能ユニットは1つの処理ユニットに統合される場合、またはユニットのそれぞれが物理的に単独で存在する場合、または2つ以上のユニットが1つのユニットに統合される場合がある。統合されたユニットはハードウェアの形で実装されたり、またはソフトウェアの機能ユニットの形で実装されたりする場合がある。
【０５４６】
統合されたユニットがソフトウェアの機能ユニットの形で実装され、単独の製品として販売または使用される場合、統合されたユニットはコンピュータ可読記憶媒体に保存することができる。そのような理解に基づき、本発明の技術的解決策は本質的に、あるいは従来技術に貢献する部品、あるいは技術的解決策の全部または一部はソフトウェア製品の形で実装することができる。ソフトウェア製品は記憶媒体に保存され、コンピュータデバイス（パーソナルコンピュータ、サーバ、またはネットワークデバイスとすることができる）に指令するためのいくつかの命令を含み、本発明の実施形態で説明された方法のステップの全部または一部を行う。上述の記憶媒体には、USBフラッシュデバイス、着脱可能ハードディスク、読み取り専用メモリ（Read−Only Memory、ROM）、ランダムアクセスメモリ（Random Access Memory、RAM）、磁気ディスク、または光ディスクなど、プログラムコードを保存できる任意の媒体が含まれる。
【０５４７】
上述の実施形態は、本発明を限定するものではないが、本発明の技術的解決策の説明を単に意図しているものである。本発明は上述の実施形態を参照して詳細に説明されたが、当業者ならば、本発明の実施形態の技術的解決策の範囲から逸脱することなく、上述の実施形態で説明された技術的解決策に変更をさらに加えたり、またはそのいくつかの技術的機能に対して等価交換することができることを理解する。
【符号の説明】
【０５４８】
1600  3Dプリンティングデザイン装置
1601  ファイル判定モジュール
1602  第1の安全判定モジュール
1603  ファイル送信モジュール
1701  ファイル判定モジュール
1702  第1の安全判定モジュール
17021  第1の属性取得ユニット
17022  第1のクラス取得ユニット
17023  第1の安全判定ユニット
1703  ファイル送信モジュール
1801  ファイル判定モジュール
1802  第1の安全判定モジュール
18021  第1の属性取得ユニット
18022  第1のクラス取得ユニット
18023  第1の安全判定ユニット
1803  第1の要求送信モジュール
1804  第1のライセンス判定モジュール
1805  ファイル送信モジュール
1900  3Dプリンティングデザイン装置
1901  第1の事前設定ストレージモジュール
1902  ファイル判定モジュール
1903  第1の安全判定モジュール
19031  第1の属性取得ユニット
19032  第1のクラス取得ユニット
19033  第1の安全判定ユニット
1904  第1の事前設定判定モジュール
1905  第1の要求送信モジュール
1906  第1のライセンス判定モジュール
1907  ファイル送信モジュール
2000  3Dプリンティングデザイン装置
2001  第1の事前設定ストレージモジュール
2002  ファイル判定モジュール
2003  第1の安全判定モジュール
20031  第1の属性取得ユニット
20032  第1のクラス取得ユニット
20033  第1の安全判定ユニット
2004  第1の事前設定判定モジュール
2005  第1の要求送信モジュール
2006  第1のライセンス判定モジュール
2007  ファイル送信モジュール
2008  第1のアドレス取得モジュール
2009  第1のアドレスアクセスモジュール
2010  第1の基準更新モジュール
2100  3Dプリンティングデザイン装置
2101  メモリ
2102  CPU
2103  周辺機器インターフェイス
2104  RF回路
2105  オーディオ回路
2106  スピーカ
2107  電源管理集積チップ
2108  入力／出力サブシステム
21081  ディスプレイコントローラ
21082  入力コントローラ
2109  入力／制御デバイス
2110  外部ポート
2111  単一ライン
2112  表示画面
2201  CPU
2202  RF回路
2203  メモリ
2300  3Dプリンティング装置
2301  第1のファイル取得モジュール
2302  第2のライセンス判定モジュール
2303  第1のファイルプリンティングモジュール
2401  CPU
2402  RF回路
2403  I／Oサブシステム
2500  3Dプリンティング装置
2501  第2のファイル取得モジュール
2502  第2の安全判定モジュール
2503  第2のファイルプリンティングモジュール
2600  3Dプリンティング装置
2601  第2のファイル取得モジュール
2602  第2の安全判定モジュール
26021  第2の属性取得ユニット
26022  第2のクラス取得ユニット
26023  第2の安全判定ユニット
2603  第2のファイルプリンティングモジュール
2700  3Dプリンティング装置
2701  第2のファイル取得モジュール
2702  第2の安全判定モジュール
27021  第2の属性取得ユニット
27022  第2のクラス取得ユニット
27023  第2の安全判定ユニット
2703  第2の要求送信モジュール
2704  第2のライセンス判定モジュール
2705  第2のファイルプリンティングモジュール
2800  3Dプリンティング装置
2801  第2の事前設定ストレージモジュール
2802  第2のファイル取得モジュール
2803  第2の安全判定モジュール
28031  第2の属性取得ユニット
28032  第2のクラス取得ユニット
28033  第2の安全判定ユニット
2804  第2の事前設定判定モジュール
2805  第2の要求送信モジュール
2806  第2のライセンス判定モジュール
2807  第2のファイルプリンティングモジュール
2900  3Dプリンティング装置
2901  第2の事前設定ストレージモジュール
2902  第2のファイル取得モジュール
2903  第2の安全判定モジュール
29031  第2の属性取得ユニット
29032  第2のクラス取得ユニット
29033  第2の安全判定ユニット
2904  第2の事前設定判定モジュール
2905  第2の要求送信モジュール
2906  第2のライセンス判定モジュール
2907  第2のファイルプリンティングモジュール
2908  第2のアドレス取得モジュール
2909  第2のアドレスアクセスモジュール
2910  第2の基準更新モジュール
3001  CPU
3002  RF回路
3003  メモリ
3004  I／Oサブシステム
3100  3Dプリンティングライセンス付与装置
3101  第1の要求受信モジュール
3102  第1の基準判定モジュール
3103  第1のライセンス送信モジュール
3200  3Dプリンティングライセンス付与装置
3201  第1の要求受信モジュール
3202  クラス取得モジュール
3203  回数の数量の取得のためのモジュール
3204  回数の数量の判定のためのモジュール
3205  第1の基準判定モジュール
3206  第1のライセンス送信モジュール
3301  CPU
3302  RF回路
3400  3Dプリンティングライセンス付与装置
3401  第2の要求受信モジュール
3402  第2の基準判定モジュール
3403  第2のライセンス送信モジュール
3501  CPU
3502  RF回路
3601  第3の要求受信モジュール
3602  第3の基準判定モジュール
3603  第3のライセンス送信モジュール
3701  CPU
3702  RF回路
3800  システム
3801  3Dプリンティングデザイン装置
3802  3Dプリンティング装置
3901  システム
3901  3Dプリンティングデザイン装置
3902  3Dプリンティングライセンス付与装置
3903  3Dプリンティング装置
4000  システム
4001  3Dプリンティングデザイン装置
4002  3Dプリンティングライセンス付与装置
4003  3Dプリンティング装置
4100  システム
4101  3Dプリンティングデザイン装置
4102  3Dプリンティング装置
4200  システム
4201  3Dプリンティングデザイン装置
4202  3Dプリンティングライセンス付与装置
4203  3Dプリンティング装置
【図１】
0006288803.tif 000002
【図２】
0006288803.tif 000003
【図３】
0006288803.tif 000004
【図４】
0006288803.tif 000005
【図５】
0006288803.tif 000006
【図６】
0006288803.tif 000007
【図７】
0006288803.tif 000008
【図８】
0006288803.tif 000009
【図９】
0006288803.tif 000010
【図１０】
0006288803.tif 000011
【図１１】
0006288803.tif 000012
【図１２】
0006288803.tif 000013
【図１３】
0006288803.tif 000014
【図１４】
0006288803.tif 000015
【図１５】
0006288803.tif 000016
【図１６】
0006288803.tif 000017
【図１７】
0006288803.tif 000018
【図１８】
0006288803.tif 000019
【図１９】
0006288803.tif 000020
【図２０】
0006288803.tif 000021
【図２１】
0006288803.tif 000022
【図２２】
0006288803.tif 000023
【図２３】
0006288803.tif 000024
【図２４】
0006288803.tif 000025
【図２５】
0006288803.tif 000026
【図２６】
0006288803.tif 000027
【図２７】
0006288803.tif 000028
【図２８】
0006288803.tif 000029
【図２９】
0006288803.tif 000030
【図３０】
0006288803.tif 000031
【図３１】
0006288803.tif 000032
【図３２】
0006288803.tif 000033
【図３３】
0006288803.tif 000034
【図３４】
0006288803.tif 000035
【図３５】
0006288803.tif 000036
【図３６】
0006288803.tif 000037
【図３７】
0006288803.tif 000038
【図３８】
0006288803.tif 000039
【図３９】
0006288803.tif 000040
【図４０】
0006288803.tif 000041
【図４１】
0006288803.tif 000042
【図４２】
0006288803.tif 000043